(57)【要約】【課題】コンパクト化又は大型化の抑制を図る場合等であっても接続作業性の低下を抑制することのできる外部端子板を備えた遊技機を提供する。【解決手段】パチンコ機１０には、外部機器からの配線が差し込まれる差込み部を複数備える本体部と、各差込み部に対応して設置され、主制御装置からの電気信号を外部機器からの配線に伝導する端子部材と、各差込み部に差し込まれた配線を端子部材に接触させた状態で保持可能な保持状態と、各差込み部に対する配線の抜き差しを許容する非保持状態とに状態変化可能な操作部材とを備えた外部端子板２４０が設けられている。操作部材は、当該操作部材を非保持状態とする際に操作される操作部を備えている。操作部材には第１操作部材と第２操作部材とがあり、操作部材の操作方向において第１操作部材の操作部と第２操作部材の操作部とが離間している。【選択図】      図５
2010284365.tif 000002
【特許請求の範囲】
【請求項１】
外部機器からの配線が差し込まれる差込み部を複数備えた本体部と、
前記差込み部に対応させて設けられ、所定の電気信号を前記外部機器からの配線に伝導する端子部と、
前記本体部に対して変位可能に取付けられ、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が、前記各差込み部に対応して複数設けられた外部出力手段を備え、
前記操作手段は、前記保持状態にある前記保持手段を前記非保持状態へと状態変化させる際に操作される操作部を備え、
特定方向に並ぶようにして設けられた前記操作手段のうち第１操作手段の操作部と第２操作手段の操作部とは、前記特定方向に対して交差する方向において位置がずれていることを特徴とする遊技機。
【請求項２】
前記第１操作手段の操作部と前記第２操作手段の操作部とは、前記第１操作手段及び前記第２操作手段の操作方向において位置がずれていることを特徴とする請求項１に記載の遊技機。
【請求項３】
前記保持状態にある前記保持手段を前記非保持状態とする際の前記第１操作手段の操作方向及び前記第２操作手段の操作方向は同一方向を含み、
前記第１操作手段は、対応する前記保持手段を前記非保持状態とするべく当該第１操作手段の操作部を操作することで、当該操作部が前記第２操作手段の操作部から遠ざかる方向に変位するとともに、
前記第２操作手段は、対応する前記保持手段を前記非保持状態とするべく当該第２操作手段の操作部を操作することで、当該操作部が前記第１操作手段の操作部に近付く方向に変位する構成であって、
前記第２操作手段の操作部を操作した場合に、前記第２操作手段の操作部が、前記第２操作手段の変位方向において、非操作状態にある前記第１操作手段の操作部を通り越す前の段階で、前記第２操作手段に対応する前記保持手段が前記非保持状態とされ、対応する前記差込み部に前記外部機器からの配線を差し込み可能となることを特徴とする請求項１又は２に記載の遊技機。
【請求項４】
少なくとも前記第１操作手段及び前記第２操作手段のうち一方は前記本体部に対して傾動可能に支持されており、
前記第１操作手段の操作部は、少なくとも前記第１操作手段の操作部を操作して対応する前記保持手段を前記非保持状態へと状態変化させた状態において、前記第２操作手段の操作部よりも前記本体部の外周側に位置し、
前記第２操作手段の操作部は、少なくとも前記第２操作手段の操作部を操作して対応する前記保持手段を前記非保持状態へと状態変化させた状態において、前記第１操作手段の操作部よりも前記本体部の外周側に位置することを特徴とする請求項１乃至３のいずれかに記載の遊技機。
【発明の詳細な説明】
【技術分野】
【０００１】
本発明は、パチンコ機等の遊技機に関するものである。
【背景技術】
【０００２】
一般に、パチンコ機等の遊技機には、背面側において、遊技機からホールコンピュータ等の外部機器に遊技機の状態を示す信号を出力するための外部端子板が設けられている（例えば、特許文献１参照）。遊技機から外部機器に出力される信号としては、例えば、大当たりの発生を示す信号、遊技機に設けられる扉体（内枠や前面枠セット）の開放を示す信号、エラー状態の発生（不正行為の検知）を示す信号等があり、遊技機の管理や、遊技機設置島において各遊技機に個別に対応して設置され、遊技者に本日の通算の大当たり回数等を教示するデータカウンタ装置の表示等に利用される。
【０００３】
さらに、遊技機から外部機器に出力される信号が示す情報は、上記のように、大当たりの発生、エラー状態の発生など複数種類存在し、各種情報を示す信号は、別々の配線を介して外部機器に出力されることとなる。
【先行技術文献】
【特許文献】
【０００４】
【特許文献１】特開２００９−０６１０６７号公報
【発明の概要】
【発明が解決しようとする課題】
【０００５】
ところで、外部端子板のコンパクト化や、前記各種情報が増加した場合等に外部端子板の大型化の抑止等を図ろうとすると、外部端子板に外部機器からの配線を接続する際の作業性の低下等を招くことが懸念される。
【０００６】
なお、上述した課題は、パチンコ機に限られるものではなく、スロットマシン等の他の遊技機にも該当する問題である。
【０００７】
本発明は、上記例示した問題点等を解決するためになされたものであり、その目的は、コンパクト化又は大型化の抑制を図る場合等であっても接続作業性の低下を抑制することのできる外部端子板を備えた遊技機を提供することにある。
【課題を解決するための手段】
【０００８】
本発明の遊技機は、
外部機器からの配線が差し込まれる差込み部を複数備えた本体部と、
前記差込み部に対応させて設けられ、所定の電気信号を前記外部機器からの配線に伝導する端子部と、
前記本体部に対して変位可能に取付けられ、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が、前記各差込み部に対応して複数設けられた外部出力手段を備え、
前記操作手段は、前記保持状態にある前記保持手段を前記非保持状態へと状態変化させる際に操作される操作部を備え、
特定方向に並ぶようにして設けられた前記操作手段のうち第１操作手段の操作部と第２操作手段の操作部とは、前記特定方向に対して交差する方向において位置がずれていることを特徴としている。
【発明の効果】
【０００９】
本発明によれば、コンパクト化又は大型化の抑制を図る場合等であっても接続作業性の低下を抑制することのできる外部出力手段を備えた遊技機を提供することができる。
【図面の簡単な説明】
【００１０】
【図１】一実施形態におけるパチンコ機を示す正面図である。
【図２】パチンコ機を示す斜視図である。
【図３】内枠及び前面枠セットを開放した状態を示す斜視図である。
【図４】内枠および遊技盤等の構成を示す正面図である。
【図５】パチンコ機の構成を示す背面図である。
【図６】内枠及び裏パックユニット等を開放した状態を示す斜視図である。
【図７】外部端子板をパチンコ機の後面側から見た正面図である。
【図８】外部端子板をパチンコ機の前面側（取付面側）から見た正面図である。
【図９】外部端子板の下面図である。
【図１０】外部端子板の部分斜視図である。
【図１１】外部端子板の側面図である。
【図１２】外部端子板の側面図である。
【図１３】外部端子板の断面図である。
【図１４】第１操作部材の斜視図である。
【図１５】第２操作部材の斜視図である。
【図１６】端子部材の斜視図である。
【図１７】中継基板の斜視図である。
【図１８】外部端子板及び中継基板の回路構成を説明するための説明図である。
【図１９】パチンコ機の主な電気的構成を示すブロック図である。
【図２０】遊技制御に用いる各種カウンタの概要を示す説明図である。
【図２１】主制御装置によるメイン処理を示すフローチャートである。
【図２２】主制御装置による通常処理を示すフローチャートである。
【図２３】タイマ割込み処理を示すフローチャートである。
【図２４】ＮＭＩ割込み処理を示すフローチャートである。
【図２５】始動入賞処理を示すフローチャートである。
【図２６】スルーゲート通過処理を示すフローチャートである。
【図２７】第１表示制御処理を示すフローチャートである。
【図２８】変動表示設定処理を示すフローチャートである。
【図２９】判別情報設定処理を示すフローチャートである。
【図３０】（ａ），（ｂ）は各種テーブル構成を示す説明図である。
【図３１】可変入賞装置制御処理を示すフローチャートである。
【図３２】第２表示制御処理を示すフローチャートである。
【図３３】契機対応ユニット制御処理を示すフローチャートである。
【図３４】受信割込み処理を示すフローチャートである。
【図３５】払出制御装置のメイン処理を示すフローチャートである。
【図３６】タイマ割込み処理を示すフローチャートである。
【図３７】コマンド判定処理を示すフローチャートである。
【発明を実施するための形態】
【００１１】
以下、パチンコ遊技機（以下、単に「パチンコ機」という）の一実施形態を、図面に基づいて詳細に説明する。ここで、図１はパチンコ機１０の正面図であり、図２は斜視図であり、図３は内枠１２及び前面枠セット１４を開放した状態を示す斜視図である。図４は内枠１２及び遊技盤３０等の構成を示す正面図である。図５はパチンコ機１０の背面図であり、図６は内枠１２及び裏パックユニット２０３等を開放した状態を示す斜視図である。但し、図３では便宜上、遊技盤３０面上に配設される釘や役物、前面枠セット１４に取付けられるガラスユニット１３７等を省略して示している。
【００１２】
図３等に示すように、パチンコ機１０は、当該パチンコ機１０の外郭を構成する外枠１１を備えており、この外枠１１の一側部に内枠１２が開閉可能に支持されている。
【００１３】
外枠１１は、図６等に示すように、上辺枠構成部１１ａ及び下辺枠構成部１１ｂが木製の板材により構成され、左辺枠構成部１１ｃ及び右辺枠構成部１１ｄがアルミニウム合金製の押出成形材により構成され、これら各枠構成部１１ａ〜１１ｄがネジ等の離脱可能な締結具により全体として矩形枠状に組み付けられている。
【００１４】
左辺枠構成部１１ｃの上下端部には、それぞれ上ヒンジ８１及び下ヒンジ８２が取着されている（図１参照）。当該上ヒンジ８１及び下ヒンジ８２にて、内枠１２の上下部が回動可能に支持されており、これにより内枠１２が開閉可能となる。そして、外枠１１の内側に形成される空間部に内枠１２等が収容される。
【００１５】
また、右辺枠構成部１１ｄには、その幅方向後端部近傍から外枠１１内側へ向け突出した延出壁部８３が形成されている。延出壁部８３は、内枠１２の右側部背面側に設けられる施錠装置６００（図６参照）に対応する上下区間全域を内枠１２の背面側から覆っている（図５参照）。加えて、図３に示すように、延出壁部８３の前面側には、施錠装置６００の係止部材が係止される上下一対の受部８４，８５が設けられている。また、下側の受部８５には、後述する内枠開放検知スイッチ９２に当接する押圧部８６が、外枠１１内側に向けて突設されている。
【００１６】
さらに、下辺枠構成部１１ｂには樹脂製の幕板飾り８７が取着されている。幕板飾り８７の上面奥部には、上方に突出するリブ８８が一体形成されている。これにより内枠１２との間に隙間が形成されにくくなっている。
【００１７】
図３に示すように、内枠１２の開閉軸線は、パチンコ機１０の正面からみて左側において上下に沿って設定されており、この開閉軸線を軸心として内枠１２が前方側に開放できるようになっている。内枠１２は、外形が矩形状をなす樹脂ベース３８を主体に構成されており、当該樹脂ベース３８の中央部には略楕円形状の窓孔３９が形成されている。
【００１８】
また、内枠１２の前面側には前面枠セット１４が開閉可能に取付けられている。前面枠セット１４は、内枠１２と同様に、パチンコ機１０の正面から見て左側において上下に沿って設定された開閉軸線を軸心として前方側に開放できるようになっている。
【００１９】
前面枠セット１４は、内枠１２と同様に外形が矩形状をなし、閉鎖状態においては内枠１２の前面側ほぼ全域を覆う。前面枠セット１４の中央部には略楕円形状の窓部１０１が形成されている。これにより、前面枠セット１４の窓部１０１及び内枠１２の窓孔３９を介して、内枠１２の後面に装着される遊技盤３０（遊技領域）を外部から視認可能となる。遊技盤３０の詳細な構成については後述する。
【００２０】
図１に示すように、前面枠セット１４の前面側には、その下部中央において球受皿としての下皿１５が設けられており、排出口１６より排出された遊技球が下皿１５内に貯留可能になっている。また、下皿１５の手前側には、下皿１５内から遊技球を排出するための球抜きレバー２５が設けられている。加えて、下皿１５の左部には、ＬＥＤが内蔵された演出ボタン１２５が設けられている。演出ボタン１２５は、遊技者の演出ボタン１２５の操作を各種演出等に反映させることで、遊技者の興趣を向上させる目的で設けられたものであり、具体的には、演出ボタン１２５の操作に応じて、後述する装飾図柄表示装置４２の表示内容を変更したり、対応する音声を流したりする等の何らかの変化を生じさせる制御が行われる。
【００２１】
下皿１５の右方には、手前側に突出した遊技球発射ハンドル（以下、単にハンドルという）１８が設けられている。尚、ハンドル１８には、図示しないタッチセンサや、ハンドル１８の操作部の操作量を検出するための図示しない操作量検出手段が設けられている。
【００２２】
下皿１５の上方には上皿１９が設けられている。上皿１９は、遊技球を一旦貯留し、一列に整列させながら後述する発射手段としての遊技球発射装置（以下、単に発射装置という）６０の方へ案内する球受皿である。尚、上皿１９が遊技球で満杯になった状態では、払出される遊技球は、後述する下皿連通路７１及び排出口１６を介して、下皿１５へと案内される。
【００２３】
上皿１９には球貸しボタン１２１と返却ボタン１２２とが設けられている。これにより、遊技ホール等において、パチンコ機１０の側方に配置されるカードユニット（球貸しユニット）に紙幣やカード等を投入した状態で球貸しボタン１２１が操作されると、その操作に応じて貸出球が上皿１９に供給される。一方、返却ボタン１２２は、カードユニットに挿入されたカード等の返却を求める際に操作される。但し、カードユニットを介さずに球貸し装置等から上皿１９に遊技球が直接貸し出されるパチンコ機、いわゆる現金機では球貸しボタン１２１及び返却ボタン１２２は不要である。
【００２４】
さらに、上皿１９には、球抜きボタン１２３が設けられている。球抜きボタン１２３が押圧操作されることで、上皿１９の球案内路の下流側に設けられ、下皿１５に連通する連通孔（図示略）が開口し、上皿１９に貯留されていた遊技球が下皿１５へと案内される（落下する）。つまり、遊技者は、球抜きボタン１２３を操作することで、上皿１９にある遊技球をいつでも下皿１５に移すことができる。
【００２５】
また、前面枠セット１４の前面にはその周囲に各種ランプ等の発光手段が設けられている。これら発光手段は、大当たり時や所定のリーチ時等における遊技状態の変化に応じて点灯、点滅といった発光態様が変更制御され遊技中の演出効果を高める役割を果たすものである。例えば、窓部１０１の周縁には、ＬＥＤ等の発光手段を内蔵した環状電飾部１０２が設けられている。また、該環状電飾部１０２の両側部には、所定のエラー時に点灯するエラー表示ランプ１０４が設けられている。尚、環状電飾部１０２のうち各エラー表示ランプ１０４の上方部位には、前面枠セット１４の背面に設けられるスピーカＳＰ（図３参照）に対応して細かな透孔が多数形成されている。
【００２６】
前面枠セット１４の背面側にはガラスユニット１３７が取付けられている。ガラスユニット１３７は、従来の前後一対の矩形状の板ガラスが前後対をなして別々に取着されるものではなく、全体として丸形をなし、アッセンブリ化された上で取付けられている。
【００２７】
次に、内枠１２（樹脂ベース３８）について図４を参照して説明する。上述した通り、内枠１２（樹脂ベース３８）には、窓孔３９の後側において遊技盤３０が装着されている。遊技盤３０は、その周縁部が内枠１２（樹脂ベース３８）の裏側に当接した状態で取着されている。従って、遊技盤３０の前面部の略中央部分が樹脂ベース３８の窓孔３９を通じて内枠１２の前面側に露出した状態となっている。
【００２８】
また、内枠１２（樹脂ベース３８）の前面下部、すなわち窓孔３９（遊技盤３０）の下方位置には、発射装置６０及び当該発射装置６０より発射された直後の遊技球を案内する発射レール６１が取付けられている。本実施形態では、発射装置６０としてソレノイド式発射装置を採用している。また、発射装置６０の上方には、上皿１９から案内される遊技球を、内蔵された駆動手段（例えばソレノイド）の駆動により、１球ずつ発射装置６０の発射位置へと案内する球送り装置６３が設けられている。
【００２９】
次に、遊技盤３０の構成について図４を参照して説明する。遊技盤３０には、一般入賞口３１、可変入賞装置３２、始動入賞ユニット（始動口）３３、スルーゲート３４、可変表示装置ユニット３５、第１特別表示装置４３Ｌ及び第２特別表示装置４３Ｒ等がルータ加工によって形成された貫通孔に配設され、遊技盤３０前面側から木ネジ等により取付けられている。周知の通り一般入賞口３１、可変入賞装置３２、始動入賞ユニット３３などの各種入賞口に遊技球が入球（入賞）すると、各種検出スイッチにより検出され、上皿１９（又は下皿１５）へ所定数の賞球が払い出される。例えば、始動入賞ユニット３３への入球があった場合には３個、一般入賞口３１への入球があった場合には１０個、可変入賞装置３２への入球があった場合には１５個の遊技球が上皿１９（下皿１５）に払出される。その他に、遊技盤３０にはアウト口３６が設けられており、一般入賞口３１等の各種入賞口に入賞しなかった遊技球は、このアウト口３６を通って遊技領域外へと排出される。また、遊技盤３０には、遊技球の落下方向を適宜分散、調整等するために多数の釘が植設されているとともに、風車等の各種部材（役物）が配設されている。
【００３０】
始動入賞ユニット３３は、始動入球手段としての上入賞口３３ａ（第１始動入球手段）及び下入賞口３３ｂ（第２始動入球手段）と、下入賞口３３ｂの両側部に設けられた開閉する一対の開閉部材３３ｃを備えている。上入賞口３３ａは、遊技球が常時入球可能となっているのに対し、下入賞口３３ｂは、開閉部材３３ｃが所定条件の成立に応じて開閉動作することにより、遊技領域を流下する遊技球が入球可能な開状態と、遊技球が入球不可能な閉状態との間で状態変化可能に構成されている。尚、詳しくは後述するが、始動入賞ユニット３３は、上入賞口３３ａ、下入賞口３３ｂに入球した遊技球をそれぞれ検知する条件成立検出手段（入球検知手段）としての第1始動入賞スイッチ２２４ａ、第２始動入賞スイッチ２２４ｂを備えており、当該始動入賞スイッチ２２４ａ、２２４ｂにて遊技球が検知された場合に、大当たり状態を発生させるか否かの当否抽選が行われるとともに、特別表示装置４３Ｌ、４３Ｒ（及び後述する装飾図柄表示装置４２）にて変動表示が行われる構成となっている。そして、当否抽選にて当選した場合には、大当たり状態（特別遊技状態）が付与される。
【００３１】
本実施形態では、大当たり状態の種別として、「確変大当たり」、「通常大当たり」、及び「特殊確変」がある。「確変大当たり」及び「通常大当たり」の大当たり状態においては、可変入賞装置３２が３０秒間開放状態とされる、又は、可変入賞装置３２に８個の遊技球が入賞することを１ラウンドとして、これが１５回繰り返される。一方、「特殊確変」の大当たり状態においては、可変入賞装置３２が０．４秒間開放状態とされることを１ラウンドとして、これが２回繰り返される。すなわち、「確変大当たり」及び「通常大当たり」の大当たり状態は、遊技球の大幅な増加が望めるのであるが、「特殊確変」の大当たり状態は、大当たり状態中に獲得可能な遊技球の数が著しく少ない（遊技球の増加がほぼ望めない）ものとなる。
【００３２】
さらに、「確変大当たり」又は「特殊確変」が発生した場合には、大当たり状態の終了後に高確率状態（確変モード）が付与される。一方、「通常大当たり」が発生した場合、大当たり状態の終了後に低確率状態（時間短縮モード、通常モード）が付与される。
【００３３】
尚、詳しくは後述するが、本実施形態では、遊技球が上入賞口３３ａに入球した場合と、下入賞口３３ｂに入賞した場合とで、当否抽選にて当選した場合に付与される大当たり状態の種別の振分けが異なるようになっている。上入賞口３３ａへの遊技球の入球を契機とする当否抽選に当選した場合には、「確変大当たり」、「通常大当たり」、及び「特殊確変」のいずれかに振分けられ、下入賞口３３ｂへの遊技球の入球を契機とする当否抽選に当選した場合には、「確変大当たり」、及び「通常大当たり」のどちらかに振分けられることとなる。
【００３４】
第１及び第２特別表示装置４３Ｌ、４３Ｒは、７セグメント表示装置により構成され、可変入賞装置３２の右方に設置されている。そして、始動入賞ユニット３３の上入賞口３３ａへの遊技球の入球を契機として第１特別表示装置４３Ｌにて切替表示（変動表示）が行われ、下入賞口３３ｂへの遊技球の入球を契機として第２特別表示装置４３Ｒにて切替表示（変動表示）が行われる構成となっている。尚、特別表示装置４３Ｌ、４３Ｒは、後述する主制御手段としての主制御装置２６１によって表示内容が直接的に制御される。
【００３５】
また、第１及び第２特別表示装置４３Ｌ、４３Ｒにて変動表示が行われた後、当該変動表示が停止したときの表示態様（例えば、文字）により、大当たりか否かが確定的に表示される。例えば、上入賞口３３ａに遊技球が入賞すると、対応する第１特別表示装置４３Ｌにて、「−」→「７」→「３」→「２」→「−」→・・・という具合に高速で（例えば４ｍｓｅｃ毎に）切替表示（変動表示）がなされ、所定時間が経過すると、いずれかの表示態様を停止表示（例えば数秒間停止）する。そして、大当たり抽選に当選した場合には、「７」、「３」、「２」のいずれかが変動停止時に表示され、大当たり状態が発生する。
【００３６】
具体的に、「確変大当たり」が付与される場合には、第１又は第２特別表示装置４３Ｌ、４３Ｒにおいて「７」が停止表示され、「通常大当たり」が付与される場合には、第１又は第２特別表示装置４３Ｌ、４３Ｒにおいて「３」が停止表示され、「特殊確変」が付与される場合には第１特別表示装置４３Ｌにおいて「２」が停止表示される（第２特別表示装置４３Ｒにおいては「２」は表示されない）。
【００３７】
また、第１特別表示装置４３Ｌ、第２特別表示装置４３Ｒのどちらか一方において、変動表示又は決定表示が行われている場合には、他方が消灯状態とされており（「−」を表示しておいてもよい）、どちらにおいても変動表示及び決定表示が行われていない場合には、両方においてそれぞれ「−」が表示される。
【００３８】
また、第１又は第２特別表示装置４３Ｌ、４３Ｒの変動表示中に新たに遊技球が始動入賞ユニット３３に入賞した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では、上入賞口３３ａに入賞した遊技球、及び下入賞口３３ｂに入賞した遊技球に対応して、それぞれ４回までの変動表示（合計８回の変動表示）が保留される。また、その保留回数が第１保留ランプ４６ａ、第２保留ランプ４６ｂにて点灯表示されるようになっている。尚、大当たり状態中に新たに遊技球が始動入賞ユニット３３に入賞した場合、その分の変動表示についても保留される。
【００３９】
尚、基本的に、上入賞口３３ａへの入賞を契機とする変動表示は、対応する遊技球が上入賞口３３ａへ入球した順に記憶されるとともに入球した順に消化され、下入賞口３３ｂへの入賞を契機とする変動表示は、対応する遊技球が下入賞口３３ｂへ入球した順に記憶されるとともに入球した順に消化される。但し、上入賞口３３ａへの入賞を契機とする変動表示、及び、下入賞口３３ｂへの入球を契機とする変動表示の両方が保留されている場合（第１保留ランプ４６ａ及び第２保留ランプ４６ｂがそれぞれ１つ以上点灯している場合）には、下入賞口３３ｂへの入球を契機とする変動表示が優先的に消化される。すなわち、下入賞口３３ｂへの入賞を契機とする変動表示が全て消化された状態でなければ、上入賞口３３ａへの入球を契機とする変動表示が行われない構成となっている。例えば、第１保留ランプ４６ａが１つ点灯している状態において、下入賞口３３ｂに遊技球が入球し、第２保留ランプ４６ｂが１つ点灯した場合、上入賞口３３ａへの入球を契機とする変動表示が後回しにされ、先に下入賞口３３ｂへの入球を契機とする変動表示が行われることとなる。以下、説明の便宜上、上入賞口３３ａへの入球を契機とする変動表示を「第１変動表示」とも称し、下入賞口３３ｂへの入球を契機とする変動表示を「第２変動表示」とも称する。
【００４０】
また、スルーゲート３４は、遊技領域を流下する遊技球が１球ずつ通過可能に構成されている。詳しくは後述するが、スルーゲート３４は、当該スルーゲート３４を通過する遊技球を検知可能なスルーゲートスイッチ２２５を備えており、当該スルーゲートスイッチ２２５にて遊技球が検知された場合に、始動入賞ユニット３３を開状態とするか否かの開放抽選が行われるとともに、普通図柄表示装置４１にて変動表示が行われる構成となっている。そして、開放抽選にて当選した場合には、始動入賞ユニット３３（開閉部材３３ｃ）が規定時間だけ開状態とされる。
【００４１】
可変表示装置ユニット３５には、スルーゲート３４の通過を契機として変動表示する普通図柄表示装置４１と、第１及び第２特別表示装置４３Ｌ、４３Ｒによる変動表示に合わせて変動表示する装飾図柄表示装置４２とが設けられている。さらに、可変表示装置ユニット３５には、装飾図柄表示装置４２にて行われている変動表示が上入賞口３３ａ及び下入賞口３３ｂのうちどちらの入球に対応するものであるかを示す変動特定ランプ４０と、上記第１保留ランプ４６ａ及び第２保留ランプ４６ｂと、保留ランプ４４とが設けられている。尚、本実施形態では、特別表示装置４３Ｌ、４３Ｒ、変動特定ランプ４０、及び装飾図柄表示装置４２が可変表示装置を構成する。
【００４２】
普通図柄表示装置４１は、普通図柄として「○」又は「×」を点灯表示可能に構成されており、遊技球がスルーゲート３４を通過する毎に例えば普通図柄を「○」→「×」→「○」→・・・という具合に高速で切換表示（変動表示）する。そして、その変動表示が「○」図柄（当選図柄）で数秒間停止した場合には、始動入賞ユニット３３が所定時間だけ開状態となる。この普通図柄表示装置４１は、後述する主制御装置２６１によって直接的に表示内容が制御される。
【００４３】
また、普通図柄表示装置４１の変動表示中に、新たに遊技球がスルーゲート３４を通過した場合には、その分の変動表示は、その時点で行われている変動表示の終了後に行われる構成となっている。つまり、変動表示が待機（保留）されることとなる。この保留される変動表示の最大回数は、パチンコ機の機種毎に決められているが、本実施形態では４回まで保留され、その保留回数が保留ランプ４４にて点灯表示されるようになっている。
【００４４】
装飾図柄表示装置４２は液晶表示装置として構成されており、後述するサブ制御手段としてのサブ制御装置２６２及び表示制御装置４５によって表示内容が制御される。すなわち、装飾図柄表示装置４２においては、第１及び第２特別表示装置４３Ｌ、４３Ｒにて表示される結果に対応させるように、主制御装置２６１からのコマンドに基づき、サブ制御装置２６２によって補助的な表示内容が決定され、後述する表示制御装置４５によって表示が行われる。
【００４５】
装飾図柄表示装置４２には、例えば、上、中及び下の３つの図柄表示領域が設けられ、各図柄表示領域において複数種類の図柄（数字）が順次表示され（変動表示され）、その後、図柄表示領域毎に順番に（例えば、上図柄表示領域→下図柄表示領域→中図柄表示領域の順に）図柄が停止表示されるようになっている。例えば、主制御装置２６１にて大当たりが確定すると、第１又は第２特別表示装置４３Ｌ、４３Ｒにて大当たりに対応する表示がなされるとともに、装飾図柄表示装置４２にて図柄が大当たりに対応する組合わせで停止表示され（例えば、上図柄表示領域、中図柄表示領域、及び下図柄表示領域にて停止表示される図柄が同一となり）、大当たり状態が開始される。
【００４６】
また、図柄が大当たりに対応する組合わせで停止表示される場合には、その前段階として、例えば、上図柄表示領域及び下図柄表示領域において同一の図柄が停止表示されることとなる。このように上図柄表示領域及び下図柄表示領域にて同一図柄が停止表示されるとともに、中図柄表示領域において未だ変動表示が行われている状態がリーチ状態である。
【００４７】
尚、リーチ状態が発生しても、大当たり状態が発生しない場合には、上図柄表示領域及び下図柄表示領域において停止表示された図柄とは異なる図柄が中図柄表示領域において停止表示される。また、「確変大当たり」又は「通常大当たり」となる場合には、上記のように装飾図柄表示装置４２においてゾロ目の数字が停止表示されるのではあるが、「特殊確変」となる場合には、ゾロ目ではなく、予め定められた特定の数字の組み合わせ（以下、チャンス図柄と称する）が停止表示される（例えば、上・中・下図柄表示領域において、「３」・「４」・「１」が停止表示される）。
【００４８】
加えて、変動特定ランプ４０は、発光色が青色のＬＥＤ及び発光色が赤色のＬＥＤを備えており、装飾図柄表示装置４２において、上入賞口３３ａへの入球を契機とする変動表示が行われている場合には青色に発光し、下入賞口３３ｂへの入球を契機とする変動表示が行われている場合には赤色に発光する。
【００４９】
また、可変表示装置ユニット３５には、装飾図柄表示装置４２を囲むようにしてセンターフレーム４７が配設されている。センターフレーム４７の上部には入球口１５１が設けられており、該入球口１５１に入球した遊技球は、センターフレーム４７の内部に形成され、装飾図柄表示装置４２の側部に沿って上下に延びるワープ流路１５２を介して、装飾図柄表示装置４２の下方に形成されたステージ１５３上に案内される。ステージ１５３上に案内された遊技球は、ステージ１５３上から前方の遊技領域に転落したり、ステージ１５３上を転動した後ステージ１５３の中央奥側に形成されたポケット１５４に入球したりする。尚、ポケット１５４は、始動入賞ユニット３３（上入賞口３３ａ）の直上方の遊技領域へと通じる案内通路１５５と連通しており、該ポケット１５４に入球した遊技球は、比較的高い確率で始動入賞ユニット３３（上入賞口３３ａ）に入球するようになっている。
【００５０】
可変入賞装置３２は、通常は遊技球が入賞できない閉状態になっており、大当たり（特別遊技状態の発生）の際に、遊技球が入賞可能な開状態とされる。
【００５１】
また、遊技盤３０には、内レール構成部５１と外レール構成部５２とからなり、発射装置６０から発射された遊技球を遊技盤３０上部へ案内するレール５０が取付けられている。これにより、ハンドル１８の回動操作に伴い発射された遊技球は発射レール６１及びレール５０を通じて、遊技盤３０とガラスユニット１３７との間に形成される遊技領域内に案内される。
【００５２】
内レール構成部５１の先端部分（図４の左上部）には戻り球防止部材５３が取着されている。これにより、一旦、レール５０から遊技領域へと案内された遊技球が再度レール５０内に戻ってしまうといった事態が防止される。
【００５３】
また、本実施形態では、外レール構成部５２が遊技盤３０の右上部で途絶え、内レール構成部５１が遊技盤３０の右下部で途絶えている。このため、遊技領域は、レール５０及び樹脂ベース３８の窓孔３９の内周面により画定される。但し、発射装置６０にて打出された遊技球が、戻り球防止部材５３を通過するまでは、レール５０を逆流する場合があるため、内外レール構成部５１，５２の並行部分は遊技領域から除かれる。
【００５４】
図３に示すように、前面枠セット１４の背面側には、窓部１０１の下方において、球通路ユニット７０が設けられている。球通路ユニット７０は、後述する払出機構部３５２から下皿１５の排出口１６へ繋がる下皿連通路７１と、払出機構部３５２から上皿１９へ繋がる上皿連通路７３と備えている。また、内枠１２に設けられた発射レール６１とレールユニット５０（外レール構成部５２）との間には所定間隔の隙間があり、球通路ユニット７０には、前記隙間より落下した遊技球を下皿１５へと案内するファール球通路７２が形成されている。これにより、仮に、発射装置６０から発射された遊技球が戻り球防止部材５３まで至らずファール球としてレール５０を逆戻りする場合には、そのファール球がファール球通路７２を介して下皿１５に排出される。
【００５５】
また、図３及び図４中の符号６７は後述する払出機構部３５２により払出された遊技球を内枠１２の前方に案内するための払出通路であり、上皿連通路７３（上皿１９）に通じる通路と、下皿連通路７１（下皿１５）に通じる通路とに分かれている。払出通路６７の下方にはシャッタ６８が設けられており、前面枠セット１４を開放した状態では、バネ等の付勢力によりシャッタ６８が前方に突出して払出通路６７の出口をほぼ閉鎖するようになっている。また、前面枠セット１４を閉じた状態では、下皿連通路７１の入口側後端部によってシャッタ６８が押し開けられるようになっている。尚、下皿連通路７１及び上皿連通路７３の入口（球流入部）が隣接するとともに、前面枠セット１４の閉状態において当該各入口と払出通路６７とが所定距離だけ離間しており、両者間の隙間を遊技球が通過可能となっている。このため、上皿１９及び上皿連通路７３が遊技球で満杯となると、払出される遊技球が下皿連通路７１側に流れ（下皿連通路７１の入口側に溢れ）、下皿連通路７１を通って下皿１５に払出されることとなる。
【００５６】
加えて、球通路ユニット７０には、下皿連通路７１内に位置する遊技球を検知する満杯検知スイッチ（図示略）が設けられている。当該満杯検知スイッチの存在により、下皿１５が遊技球で満杯になっていること（下皿１５が遊技球で満杯となり、下皿連通路７１において遊技球が滞留していること）を把握することができる。本実施形態では、満杯検知スイッチによって所定時間継続して遊技球が検知されることに基づき、発射装置６０の打出しを禁止するといった制御が行われる。尚、下皿連通路７１における遊技球の滞留が解消され、満杯検知スイッチにより遊技球が検知されなくなると（所定時間継続して検知されなくなると）発射装置６０の打出しが許容される。
【００５７】
次に、パチンコ機１０の背面構成について図５、図６等を参照して説明する。パチンコ機１０の背面には、各種制御基板が上下左右に並べられるようにして、一部前後に重ねられるようにして配置されており、さらに、遊技球を供給する遊技球供給装置（払出機構）や樹脂製の保護カバー等が取り付けられている。払出機構及び保護カバーは１ユニットとして一体化されており、一般に樹脂部分を裏パックと称することもあるため、ここではそのユニットを「裏パックユニット２０３」と称する。
【００５８】
まず、遊技盤３０の背面構成について説明する。図６に示すように、遊技盤３０中央の貫通孔に対応して配設された可変表示装置ユニット３５（図４参照）の背面側には、センターフレーム４７を背後から覆う樹脂製のフレームカバー２１３が後方に突出して設けられている。また、フレームカバー２１３の背面側には、フレームカバー２１３の開口部から前方に臨む液晶表示装置たる装飾図柄表示装置４２、表示制御装置４５及びサブ制御装置２６２が前後に重ねられた状態で着脱可能に取り付けられている。
【００５９】
装飾図柄表示装置４２は、当該装飾図柄表示装置４２の表示部（液晶画面）をパチンコ機１０の前面側に露出させるための開口部が形成された収容ボックス４２ａに収容されてフレームカバー２１３の背面側に固定されている。表示制御装置４５は基板ボックス４５ａに収容されて装飾図柄表示装置４２（収容ボックス４２ａ）の背面側に固定されている。サブ制御装置２６２は基板ボックス２６２ａに収容されて表示制御装置４５（基板ボックス４５ａ）の背面側に固定されている。尚、フレームカバー２１３内には、センターフレーム４７に内蔵されたＬＥＤ等を駆動するＬＥＤ制御基板等が配設されている。また、収容ボックス４２ａ及び基板ボックス４５ａ，２６２ａは透明樹脂材料等により構成され、内部が視認可能となっている。
【００６０】
フレームカバー２１３の下方には裏枠セット２１５が、一般入賞口３１、可変入賞装置３２及び始動入賞ユニット３３等を背後から覆うようにして遊技盤３０に取付けられている。裏枠セット２１５は、各種入賞口に入賞した遊技球を回収するための球回収機構を備えている（図示略）。この球回収機構により回収された遊技球は、後述する排出通路部２１７に案内され、排出通路部２１７の排出シュートからパチンコ機１０外部に排出される。
【００６１】
また、本実施形態では、裏枠セット２１５が主制御装置２６１の取付台として機能する。より詳しくは、主制御装置２６１を搭載した基板ボックス２６３が、裏枠セット２１５に対し回動可能に軸支され、後方に開放可能となっている。
【００６２】
主制御装置２６１は透明樹脂材料等よりなる基板ボックス２６３に収容されている。基板ボックス２６３は、ボックスベースと該ボックスベースの開口部を覆うボックスカバーとを備え、これらボックスベースとボックスカバーとが封印部材によって連結されている。封印部材によって連結された基板ボックス２６３は、所定の痕跡を残さなければ開封できない構成となっている。これにより、基板ボックス２６３が不正に開封された旨を容易に発見することができる。
【００６３】
また、遊技盤３０には、入球手段としての一般入賞口３１等の各種入賞口に対応して、当該各種入賞口へ入球した遊技球を検出する入球検出スイッチ（入球検出手段）が設けられている。具体的には、図４に示すように、一般入賞口３１に対応する位置には入賞口スイッチ２２１が設けられ、可変入賞装置３２にはカウントスイッチ２２３が設けられている。また、始動入賞ユニット３３には、上入賞口３３ａ及び下入賞口３３ｂそれぞれに対応して第１始動入賞スイッチ２２４ａ（第１条件成立検出手段）、第２始動入賞スイッチ２２４ｂ（第２条件成立検出手段）が設けられている。さらに、スルーゲート３４に対応する位置にはスルーゲートスイッチ２２５が設けられている。
【００６４】
また、図示は省略するが、裏枠セット２１５には、入賞口スイッチ２２１、カウントスイッチ２２３及びスルーゲートスイッチ２２５とケーブルコネクタを介して電気的に接続される第１盤面中継基板が設けられている。この第１盤面中継基板は、入賞口スイッチ２２１等と、主制御手段としての主制御装置２６１とを中継するものであり、ケーブルコネクタを介して主制御装置２６１と電気的に接続されている。
【００６５】
これに対し、始動入賞ユニット３３（上入賞口３３ａ又は下入賞口３３ｂ）への入球を検出する始動入賞スイッチ２２４ａ，２２４ｂは中継基板を経ることなくコネクタケーブルを介して直接主制御装置２６１に接続されている。
【００６６】
各種入球検出スイッチにて各々検出された検出結果は、主制御装置２６１に取り込まれる。そして、該主制御装置２６１よりその都度の入賞状況に応じた払出指令（遊技球の払出個数）が払出制御装置３１１に送信され、該払出制御装置３１１からの出力信号に基づき所定数の遊技球の払出しが実施される（スルーゲートスイッチ２２５により検出された場合を除く。）
この他、遊技盤３０の裏面には、図示は省略するが、可変入賞装置３２にて大入賞口を開放する大入賞口用ソレノイドが設けられ、始動入賞ユニット３３にて一対の開閉部材３３ｃを開閉駆動する入賞口用ソレノイドが設けられている。また、裏枠セット２１５には、これらソレノイドと主制御装置２６１とを中継する第２盤面中継基板（図示略）も設けられている。
【００６７】
次に、裏パックユニット２０３の構成を説明する。図５に示すように、裏パックユニット２０３は、樹脂成形された裏パック３５１と、遊技球の払出機構部３５２とを一体化したものである。また、裏パックユニット２０３は、内枠１２の左側部（図５では右側）に対して開閉可能に支持されており、上下方向に沿って延びる開閉軸線を軸心として後方に開放できるようになっている。加えて、裏パックユニット２０３の左上部（図５では右上部）には外部端子板２４０が設けられている。
【００６８】
外部端子板２４０は、遊技ホールのホールコンピュータなどへの各種情報送信を中継するためのものであり、複数の外部接続端子が設けられている。詳しくは後述するが、現在の遊技状態（大当たり状態や高確率状態等）に関する情報を出力するための端子、後述する開放検知スイッチ９１，９２によって検出される前面枠セット１４や内枠１２の開放に関する情報を出力するための端子、入球エラー、下皿満タンエラー、タンク球無しエラー、払出しエラーなど各種エラー状態に関する情報を出力するための端子、払出制御装置３１１から払出される賞球数に関する情報を出力するための端子などが設けられている。
【００６９】
裏パック３５１は例えばＡＢＳ樹脂により一体成形されており、パチンコ機１０の後方に突出して略直方体形状をなす保護カバー部３５４を備えている。保護カバー部３５４は左右側面及び上面が閉塞され且つ下面のみが開放された形状をなし、少なくともフレームカバー２１３を覆うのに十分な大きさを有する。但し、本実施形態では、保護カバー部３５４が基板ボックス２６３の上部及び右部（図５では左側の部位）も合わせて覆う構成となっている。これにより、裏パックユニット２０３の閉鎖状態において、基板ボックス２６３の右部に設けられた封印部材、及び主制御装置２６１の上縁部に沿って設けられた端子部（基板側コネクタ）が覆われることとなる。
【００７０】
払出機構部３５２は、保護カバー部３５４を迂回するようにして配設されている。すなわち、保護カバー部３５４の上方には、上側に開口したタンク３５５が設けられており、このタンク３５５には遊技ホールの島設備から供給される遊技球が逐次補給される。タンク３５５の下方には、例えば横方向２列の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払出された遊技球は上皿１９等に供給される。
【００７１】
また、払出機構部３５２には、払出制御装置３１１から払出装置３５８への払出指令の信号を中継する払出中継基板３８１が設置されると共に、外部より主電源を取り込む電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦされる。
【００７２】
裏パックユニット２０３（基板ボックス２６３）の下方には、内枠１２の左側部（図５では右側）にて軸支され、後方に開放可能な下枠セット２５１が設けられている。図６に示すように、下枠セット２５１には、上述した球回収機構により回収された遊技球が流入する排出通路部２１７が形成され、排出通路部２１７の最下流部には、遊技球をパチンコ機１０外部へ排出する排出シュート（図示略）が形成されている。つまり、一般入賞口３１等の各入賞口に入賞した遊技球は、裏枠セット２１５の球回収機構を介して集合し、さらに排出通路部２１７の排出シュートを通じてパチンコ機１０外部に排出される。なお、アウト口３６も同様に排出通路部２１７に通じており、何れの入賞口にも入賞しなかった遊技球も排出シュートを介してパチンコ機１０外部に排出される。尚、本実施形態では、裏パックユニット２０３と下枠セット２５１とが別体として構成され、それぞれ独立して開閉可能であるが、裏パックユニット２０３と下枠セット２５１とが一体的に形成されることとしてもよい。
【００７３】
また、図５に示すように、下枠セット２５１の背面側には、払出制御装置３１１、発射制御装置３１２、電源装置３１３及びカードユニット接続基板３１４が前後に重ねられた状態で着脱可能に取り付けられている。
【００７４】
発射制御装置３１２及び電源装置３１３は基板ボックス３１３ａに収容されて下枠セット２５１の背面側に固定されている。尚、発射制御装置３１２及び電源装置３１３は、便宜上それぞれ独立した制御装置として説明するが、実際には１つの基板（プリント基板）により構成される。
【００７５】
また、払出制御装置３１１は、基板ボックス３１１ａに収容されて、基板ボックス３１３ａ（発射制御装置３１２及び電源装置３１３）の背面側に固定されている。尚、払出制御装置３１１が収容される基板ボックス３１１ａには、上述した主制御装置２６１が収容される基板ボックス２６３と同様に封印部材が設けられ、基板ボックス３１１ａの開封された痕跡が残るようになっている。
【００７６】
加えて、カードユニット接続基板３１４は、基板ボックス３１４ａに収容されて、基板ボックス３１３ａ（発射制御装置３１２及び電源装置３１３）の背面側に固定されている。
【００７７】
なお、上記各基板ボックス３１１ａ，３１３ａ，３１４ａは透明樹脂材料等により構成されており、内部が視認可能となっている。
【００７８】
また、払出制御装置３１１には基板ボックス３１１ａから外方に突出する状態復帰スイッチ３２１が設けられている。例えば、払出モータ部の球詰まり等、払出エラーの発生時において状態復帰スイッチ３２１が押下されると、払出モータが正逆回転され、球詰まりの解消（正常状態への復帰）が図られる。
【００７９】
さらに、電源装置３１３には基板ボックス３１３ａから外方に突出するＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰させることができる。従って、通常手順で（例えば遊技ホールの営業終了時に）電源遮断すると電源遮断前の状態が記憶保持されることから、電源投入時に初期状態に戻したい場合には、ＲＡＭ消去スイッチ３２３を押しながら電源を投入する。
【００８０】
また、図６に示すように、内枠１２の右側部背面側には施錠装置６００が設けられている。施錠装置６００は、前面枠セット１４の前面側に露出するシリンダ錠７００（図１等参照）を備えており、該シリンダ錠７００の鍵穴に鍵を挿入し、一方に回動操作することで内枠１２を解錠でき、他方に回動操作することで前面枠セット１４を解錠できるようになっている。本実施形態では、内枠１２は外枠１１に対し施錠され、前面枠セット１４は内枠１２に対し施錠される。
【００８１】
尚、上記のように、外枠１１の右辺枠構成部１１ｄには、施錠装置６００に対応する上下区間全域を内枠１２の背面側から覆う延出壁部８３が形成されている（図５参照）。これにより、外枠１１の背面側から線材等を進入させ、当該線材等により施錠装置６００を操作することが困難となる。結果として、防御性能の向上を図ることができる。さらに、延出壁部８３は、裏パックユニット２０３及び下枠セット２５１の右端部（図５では左側の端部）を背面側から覆う構成となっており、内枠１２の閉状態においては、裏パックユニット２０３及び下枠セット２５１を開放できない構成となっている。
【００８２】
また、図４に示すように、内枠１２の前面側右下部（発射装置６０の右側）には、前面枠セット１４の開放を検知するための前面枠開放検知スイッチ９１が設けられ、図５に示すように、内枠１２の背面側右下部（図５では左下）には、内枠１２の開放を検知するための内枠開放検知スイッチ９２が設けられている。前面枠開放検知スイッチ９１及び内枠開放検知スイッチ９２は、それぞれスイッチ本体部に対して出没可能な検知部を備えており、前面枠開放検知スイッチ９１は検知部が前方に向くように設けられ、内枠開放検知スイッチ９２は検知部が後方へ向くように設けられる。そして、検知部がスイッチ本体部から突出した状態にある場合にはオン信号を主制御装置２６１に出力し、検知部がスイッチ本体部側に押圧され、スイッチ本体部に没入した状態ではオフ信号を主制御装置２６１に出力する構成となっている。つまり、前面枠開放検知スイッチ９１は前面枠セット１４の閉鎖時において検知部が前面枠セット１４の背面で押圧されてオフ状態となり、前面枠セット１４の開放時には、検知部が突出状態に戻ってオン状態となる。同様に、内枠開放検知スイッチ９２は内枠１２の閉鎖時において検知部が外枠１１の受部８５に一体形成された押圧部８６によって押圧されてオフ状態となり、内枠１２の開放時には検知部が突出状態に戻ってオン状態となる。
【００８３】
さて、本実施形態では、外部出力手段としての外部端子板２４０に特徴がある。以下、外部端子板２４０について、図７〜図１６を参照して説明する。尚、図７は、外部端子板２４０をパチンコ機１０の後面側から見た正面図である。また、図１３の断面図では、便宜上、操作部材４０４及びコイルばね４０５の図示を省略している。
【００８４】
外部端子板２４０は、遊技ホールのホールコンピュータや島設備において各パチンコ機１０の上方に設置されるデータカウンタ装置等の外部機器に電気的に接続された配線が差し込まれる差込み部４０２を備えた透明樹脂（例えばＡＢＳ）製の本体部４０１と、差込み部４０２の内側に設置され、主制御装置２６１からの電気信号を外部機器からの配線に伝導する端子部としての端子部材４０３（図１３等参照）と、本体部４０１に対して傾動可能に取付けられる操作部材４０４と、本体部４０１と操作部材４０４との間に介在し、操作部材４０４を後方に付勢するコイルばね４０５（図１１等参照）とを備えている。
【００８５】
（本体部４０１）
本体部４０１は、パチンコ機１０（内枠１２）の後面に対向するようにして設置される左右に長い略矩形板状の底壁部４１１（図８等参照）と、底壁部４１１から底壁部４１１に直交して後方（図１１では右方、図１２では左方）に延出し、底壁部４１１の後面を底壁部４１１の長手方向（左右方向）において所定間隔毎に区切るようにして複数設けられた隔壁部４１２（図７等参照）と、底壁部４１１の上下方向中央部から底壁部４１１に直行して後方に延び、相対する隔壁部４１２間を連結する柱部４１３（図１３等参照）と、各隔壁部４１２の後端部間を連結するようして延びる天壁部４１４とを備え、これらが射出成形により一体的に形成されている。
【００８６】
図７に示すように、本実施形態では、隔壁部４１２は、底壁部４１１の両短辺部から延出するものも含めて全部で１１設けられており、隔壁部４１２によって底壁部４１１の後面が長手方向において１０の領域に区画されている。さらに、隔壁部４１２によって１０区画された底壁部４１１の後面は、柱部４１３によってそれぞれ上下２つの領域に区画されている。従って、底壁部４１１の後面は２０の領域に区画されている。本実施形態では、底壁部４１１、隔壁部４１２、及び柱部４１３によって囲まれた各空間が、前記「差込み部４０２」に相当する。また、各差込み部４０２にはそれぞれ端子部材４０３、操作部材４０４、及びコイルばね４０５が（それぞれ計２０個ずつ）設置される。尚、本実施形態では、差込み部４０２が１０個並ぶ底壁部４１１の長手方向（左右方向）が特定方向に相当する。
【００８７】
図１０、図１３等に示すように、各隔壁部４１２は、後方に向けて次第に上下幅が狭くなるテーパ板状（本実施形態では略半円形状）をなしているとともに、後端部において底壁部４１１と平行して上下に直線状に延びる縦辺部を有している。当該縦辺部は、柱部４１３を跨いで上下に延びており、天壁部４１４は各縦辺部間を連結するようにして形成されている。すなわち、天壁部４１４は、底壁部４１１と平行して延びる略矩形板状に構成されるとともに、各差込み部４０２の後方に張り出す張り出し部４２１を備えている（図７等参照）。また、天壁部４１４の各張り出し部４２１には、その厚み方向（前後方向）に貫通する差込み孔４２２が形成されている。ちなみに、各差込み部４０２のうち、柱部４１３側の部位は前記張り出し部４２１によって後方が閉塞されているが、底壁部４１１の上辺部側又は下辺部側の部位は後方に開口している。
【００８８】
また、相対する各隔壁部４１２には、互いに対向するようにして、それぞれ柱部４１３に沿って張り出し部４２１から前方に向けて延び、各差込み部４０２の内側に膨出する膨出部４２６（図７破線、図１３等参照）が設けられている。膨出部４２６は、その前端部（図１３では右端部）が底壁部４１１よりも後方（図１３では左方）に位置するとともに、当該前端部において略半円形状の凹部が形成されることで構成された軸受部４２７（図１３参照）を有している。当該軸受部４２７には、後述する操作部材４０４の軸部４４４が回動可能に支持される。また、各膨出部４２６と柱部４１３との間には若干の隙間が形成されており、当該隙間に後述する端子部材４０３のベース部４８１（の左右両側部）が挿通される。
【００８９】
図１３に示すように、柱部４１３には、各差込み部４０２を形成する上面及び下面の左右方向中央部において、柱部４１３の後端部から前方に向けて前後方向中央部よりも若干前方位置まで延びる溝部４３１が形成されることにより、溝部４３１の前端部においてそれぞれ天壁部４１４側に臨む係止面４３２が形成されている。当該係止面４３２には、後述する端子部材４０３の係止片４８６が天壁部４１４側から係止されるようになっている。尚、図７等に示すように、天壁部４１４には、成形の都合上、溝部４３１に連続する切欠き部４２３が形成されるとともに、当該切欠き部４２３と前記差込み孔４２２とを連通させる連通部４２４が形成されている。また、後述する端子部材４０３の鍔部４８２の横幅（左右の幅）は、連通部４２４の左右の幅よりも大きくなっており、これによって、鍔部４８２が連通部４２４の内側に進入することなく、天壁部４１４（張り出し部４２１）の裏面（前面）に支持されるようになっている。
【００９０】
図８、図１３等に示すように、底壁部４１１には、天壁部４１４の各張り出し部４２１と対向して、底壁部４１１の厚み方向に貫通する挿通孔４３４が形成されている。各挿通孔４３４は、それぞれ対向する張り出し部４２１とほぼ同形状かつほぼ同じ大きさとなるように矩形状に形成され、その周縁部は各差込み部４０２を形成する隔壁部４１２の内側面や柱部４１３の上面又は下面と連続している。また、図１３に示すように、各差込み部４０２には、底壁部４１１の表面（後面）から後方に突出し、コイルばね４０５の一端部を支持するための略円柱状のばね支持部４３５が設けられている。さらに、底壁部４１１の裏面（前面）には、各挿通孔４３４と上下に隣接して、前方に突出する台座部４３６が形成されている。当該台座部４３６は略コ字状をなし、内側に形成された嵌合凹部４３７が挿通孔４３４に臨む格好で形成されている。当該嵌合凹部４３７には詳しくは後述する端子部材４０３の延出部４８４の先端部位が嵌め込まれることとなる。
【００９１】
また、図１３に示すように、相対する隔壁部４１２の上部間及び下部間をそれぞれ連結するようにして、隔壁部４１２の端縁に沿って底壁部４１１から後方に延びる制限手段を構成する規制壁部４３８が設けられている。ちなみに、規制壁部４３８と天壁部４１４との間には、上記のように開口部が形成されており、当該開口部により差込み部４０２に操作部材４０４やコイルばね４０５を設置したり、操作部材４０４の傾動を許容したりすることができるようになっている。また、規制壁部４３８には、ばね支持部４３５に支持されたコイルばね４０５が略当接し、コイルばね４０５の抜けが抑止されるとともに、詳しくは後述する操作部材４０４を操作して操作部材４０４が所定角度傾動した場合に操作部材４０４が当接することとなり、これによって、操作部材４０４の変位量が制限されることとなる。尚、各隔壁部４１２の上端部及び下端部は、底壁部４１１の上辺部及び下辺部よりも若干底壁部４１１の内周側に位置している。
【００９２】
（操作部材４０４）
操作部材４０４は、第１操作部材４０４ａと第２操作部材４０４ｂとの２種類あり、本体部４０１（底壁部４１１）の長手方向において交互に差込み部４０２に配置されている（図７等参照）。また、柱部４１３を挟んで上下に対向配置される操作部材４０４は同じ種類の操作部材４０４が互いに反転した向きで配置されている。加えて、本実施形態では、本体部４０１の長手方向において並んで配置される操作部材４０４の色が全て異なるとともに、柱部４１３を挟んで対向配置される操作部材４０４の色が同じとなっている。
【００９３】
（第１操作部材４０４ａ）
図１１、図１４等に示すように、第１操作部材４０４ａは、本体部４０１に対して傾動可能に支持される略四角柱状の基部４４１と、基部４４１の一端部から基部４４１と交差する方向（柱部４１３から離間する方向）に延出する延長部４４２と、基部４４１の一端部側から、延長部４４２とは反対側（柱部４１３に近付く方向）に突出する保持突起４４３とを備え、これらが一体的に形成されている。また、基部４４１の他端部側には、基部４４１の両側面からそれぞれ外方に突出する円柱状の軸部４４４が設けられている。そして、当該一対の軸部４４４が、それぞれ前記隔壁部４１２の膨出部４２６の軸受部４２７に回動可能に支持されている。さらに、第１操作部材４０４ａの本体部４０１への取付状態においては、基部４４１及び保持突起４４３は差込み部４０２の内側に位置し、延長部４４２の先端部側は天壁部４１４と規制壁部４３８との間に形成される開口部から差込み部４０２の外方に突出している。
【００９４】
延長部４４２のうち、差込み部４０２の内側（相対する隔壁部４１２間）に位置する基部４４１側の部位には、裏面（前面）から前方に突出する円柱状のばね受部４５１が設けられている。そして、本体部４０１の底壁部４１１に形成されたばね支持部４３５と、当該ばね受部４５１とにかけてコイルばね４０５を設置することにより、第１操作部材４０４ａが後方に付勢されている。具体的に、ばね受部４５１は、第１操作部材４０４ａの非操作状態においてばね支持部４３５よりも柱部４１３側に位置するとともに、コイルばね４０５の付勢力に抗して前方に押圧操作された第１操作部材４０４ａの操作状態においてばね支持部４３５と前後に対向する位置に設けられている。このため、軸部４４４において本体部４０１に回動可能に支持された第１操作部材４０４ａは、コイルばね４０５によって、後方（天壁部４１４側）かつ柱部４１３側に付勢されることとなる。
【００９５】
さらに、第１操作部材４０４ａの非操作状態においては、コイルばね４０５の付勢力により、軸部４４４が軸受部４２７に押付けられることとなり、基本的に軸部４４４が軸受部４２７から外れないようになっている。また、詳しくは後述するが、第１操作部材４０４ａの非操作状態においては、コイルばね４０５の付勢力により、保持突起４４３が、膨出部４２６と柱部４１３との間に挿通されて差込み部４０２の内側に設置される端子部材４０３のベース部４８１に圧接されることとなる。
【００９６】
また、図１０等に示すように、延長部４４２のうち、差込み部４０２の外側に位置する先端部には、表面（後面）から後方に突出する指掛け部４５３が形成されている。本実施形態では、指掛け部４５３は、延長部４４２の延在方向に対して直交して延びる２本の突条部により構成されており、当該２本の突条部のうち、延長部４４２の先端側に設けられた突条部の方が、より大きく突出している。また、延長部４４２表面（後面）の指掛け部４５３近傍部位には、円形状の操作凹部４５４が形成されている。さらに、操作凹部４５４を挟んで指掛け部４５３の反対側には、延長部４４２の延在方向に対して直交して延びる３本の突条部により構成される滑り止め部４５５が形成されている。本実施形態では、指掛け部４５３、操作凹部４５４、及び滑り止め部４５５が形成されている部位が「操作部４５２」に相当する。そして、図１１（ｂ）に示すように、操作部４５２をコイルばね４０５の付勢力に抗して前方（同図矢印方向）に押圧操作することで、第１操作部材４０４ａが軸部４４４を中心に傾動（回動変位）し、保持突起４４３が柱部４１３（端子部材４０３のベース部４８１）から離間することとなる。これにより、天壁部４１４の差込み孔４２２から差込み部４０２に外部機器からの配線を差し込むことができる状態（非保持状態）となる。一方、操作部４５２から手を離すことで、コイルばね４０５の付勢力により第１操作部材４０４ａが回動変位し、差込み部４０２に差し込まれた外部機器からの配線と保持突起４４３とが圧接するとともに、外部機器からの配線が柱部４１３側（端子部材４０３のベース部４８１）に押付けられた状態（保持状態）となる。
【００９７】
尚、上記のように、隔壁部４１２は略半円形状をなしているため、第１操作部材４０４ａを傾動させる際に、操作部４５２を押圧操作している指が隔壁部４１２に接触し、第１操作部材４０４ａの操作が阻害されてしまうといった事態を防止することができる。また、隔壁部４１２が略半円形状に構成されることで、本体部４０１に対する操作部材４０４やコイルばね４０５の組付け作業性の向上、省資源化等を図ることもできる。
【００９８】
また、延長部４４２のうち基部４４１側の表面（後面）には、第１操作部材４０４ａの非操作状態において天壁部４１４の上辺部又は下辺部に当接する第１段差部４５７が形成されている。すなわち、第１操作部材４０４ａの非操作状態においては、当該第１段差部４５７が天壁部４１４に引っ掛かり、それ以上の傾動が規制される。さらに、延長部４４２の中間位置の裏面（前面）には、ばね受部４５１に支持されたコイルばね４０５が略当接する第２段差部４５８が形成されている。当該第２段差部４５８により、コイルばね４０５の抜けが抑止される。また、第１操作部材４０４ａは、操作部４５２を押圧操作して第１操作部材４０４ａを所定角度傾動させた場合に、延長部４４２の裏面（前面）の第２段差部４５８近傍部位において本体部４０１の規制壁部４３８に当接し、それ以上の傾動が規制される構成となっている。
【００９９】
加えて、基部４４１及び保持突起４４３は、延長部４４２よりも薄肉に構成されている。これにより、基部４４１及び保持突起４４３を相対する隔壁部４１２の膨出部４２６間に位置させることができる一方で、延長部４４２先端に形成される操作部４５２の操作面（後面）の面積を極力大きく確保することができる。本実施形態では、延長部４４２の横幅は、相対する隔壁部４１２間の距離とほぼ同じである。さらに、延長部４４２のうち、ばね受部４５１等が形成された基部４４１側の部位は、第１操作部材４０４ａの操作状態及び非操作状態のいずれにおいても、相対する隔壁部４１２間（差込み部４０２内）に位置している。これにより、第１操作部材４０４ａの操作に際し、延長部４４２の基部４４１側の部位が隔壁部４１２の内側面に略摺接することとなり、第１操作部材４０４ａの傾動がガイドされ、第１操作部材４０４ａのがたつき等が抑制される。
【０１００】
（第２操作部材４０４ｂ）
図１２、図１５に示すように、第２操作部材４０４ｂは、基本的に第１操作部材４０４ａと同様の構成を具備しており、一端部側において軸受部４２７に回動可能に支持される一対の軸部４６４を備えた基部４６１と、基部４６１の他端部から斜めに延出する延長部４６２と、基部４６１の他端部側から、延長部４６２とは反対側に突出する保持突起４６３とを備えている。特に、第２操作部材４０４ｂの基部４６１や保持突起４６３の構成は、第１操作部材４０４ａの基部４４１や保持突起４４３の構成と同一となっている。但し、本実施形態では、第２操作部材４０４ｂの延長部４６２の構成が、第１操作部材４０４ａの延長部４４２とは異なっている。
【０１０１】
すなわち、第２操作部材４０４ｂの延長部４６２は、基部４６１の先端部から柱部４１３から離間する方向に延出する第１辺部４７１と、第１辺部４７１の先端部から後方に延出する第２辺部４７２と、第２辺部４７２の先端部から柱部４１３から離間する方向に延出する第３辺部４７３とを備えている。ちなみに、第１辺部４７１の裏面（前面）にばね受部４７５が設けられ、第３辺部４７３の表面（後面）に操作部４７６が設けられている。また、操作部４７６は第１操作部材４０４ａの操作部４５２と同様に、指掛け部４５３、操作凹部４５４、及び滑り止め部４５５を備えている。
【０１０２】
第２操作部材４０４ｂの基部４６１と第１辺部４７１とのなす角度は、第１操作部材４０４ａの基部４４１と延長部４４２とのなす角度と同じである。また、第１辺部４７１の延出角度と第３辺部４７３の延出角度とが同じである。但し、第１辺部４７１及び第３辺部４７３の各延出長は、第１操作部材４０４ａの延長部４４２の延出長の１／２以下、１／３以上となっている。これにより、操作部材４０４ａ、４０４ｂの非操作状態において、第１操作部材４０４ａ（延長部４４２）の先端部は、第２操作部材４０４ｂ（第３辺部４７３）の先端部よりも本体部４０１（底壁部４１１）外周側に位置している。より詳しくは、上下に隣接する差込み部４０２のうち上側の差込み部４０２に対応する第１及び第２操作部材４０４ａ、４０４ｂに関しては第１操作部材４０４ａの操作部４５２が第２操作部材４０４ｂの操作部４７６よりも上側に位置し、下側の差込み部４０２に対応する第１及び第２操作部材４０４ａ、４０４ｂに関しては第１操作部材４０４ａの操作部４５２が第２操作部材４０４ｂの操作部４７６よりも下側に位置している。
【０１０３】
また、第２操作部材４０４ｂが前後に延びる第２辺部４７２を備えることにより、第２操作部材４０４ｂの操作部４７６は、第１操作部材４０４ａの操作部４５２よりも後方に位置している。換言すれば、第２操作部材４０４ｂに第２辺部４７２を設けることによって、操作部材４０４ａ、４０４ｂ（操作部４５２、４７６）の押圧操作方向である前後方向において、第１操作部材４０４ａの操作部４５２の位置と、第２操作部材４０４ｂの操作部４７６の位置とをずらしている。本実施形態では、第２辺部４７２の延出長は７〜１２ｍｍとなっており、第１操作部材４０４ａの操作部４５２の操作面（後面）と、第２操作部材４０４ｂの操作部４７６の裏面（前面）との間に指が入る程度に前後に離間している。
【０１０４】
さらに、本実施形態では、第２操作部材４０４ｂの操作部４７６をコイルばね４０５の付勢力に抗して前方（図１２（ｂ）の矢印方向）に操作した場合に、当該第２操作部材４０４ｂの操作部４７６が、非操作状態にある第１操作部材４０４ａの操作部４５２よりも前方に位置する前の段階で、対応する差込み部４０２に外部機器からの配線を差し込める状態、すなわち、第２操作部材４０４ｂの保持突起４６３と、対応する端子部材４０３のベース部４８１との間に外部機器からの配線が差し込めるだけのスペースが形成された状態となる。
【０１０５】
また、第１辺部４７１の表面（後面）と第２辺部４７２との境界部には、第２操作部材４０４ｂの非操作状態において天壁部４１４の上辺部又は下辺部に当接する第１突部４７８が形成されている。すなわち、第２操作部材４０４ｂの非操作状態においては、当該第１突部４７８が天壁部４１４に引っ掛かり、それ以上の傾動が規制される。さらに、第１辺部４７１の裏面（前面）と第２辺部４７２との境界部には、ばね受部４７５に支持されたコイルばね４０５が略当接する制限手段を構成する第２突部４７９が形成されている。当該第２突部４７９により、コイルばね４０５の抜けが抑止される。また、第２操作部材４０４ｂは、操作部４７６を押圧操作して第２操作部材４０４ｂを所定角度傾動させた場合に、第２突部４７９の先端部において本体部４０１の規制壁部４３８に当接し、それ以上の傾動が規制される構成となっている。加えて、本実施形態では、第２操作部材４０４ｂの第２突部４７９と規制壁部４３８とが当接した状態において、第２操作部材４０４ｂの操作部４７６は、左右方向において、第１操作部材４０４ａの操作部４５２と一部重なるようになっている。
【０１０６】
さらに、本実施形態では、第２操作部材４０４ｂの軸部４６４の軸心から操作部４７６の先端部までの直線距離が、第１操作部材４０４ａの軸部４４４の軸心から操作部４５２の先端部までの直線距離よりも長くなっている。このため、上記のように、操作部材４０４ａ、４０４ｂの非操作状態においては、第１操作部材４０４ａの操作部４５２の方が第２操作部材４０４ｂの操作部４７６よりも底壁部４１１外周側に位置している（図１２（ａ）参照）のであるが、第２操作部材４０４ｂの操作部４７６を押圧操作して第２操作部材４０４ｂを傾動させると、第２操作部材４０４ｂの操作部４７６の方が第１操作部材４０４ａの操作部４５２よりも底壁部４１１外周側に位置することとなる（図１２（ｂ）参照）。
【０１０７】
尚、第２操作部材４０４ｂの第２突部４７９と、本体部４０１の規制壁部４３８とが当接した状態において、第２操作部材４０４ｂの操作部４７６、又は第２操作部材４０４ｂの少なくとも一部（操作部４７６でなくても例えば延長部４６２の一部が）は、非操作状態にある第１操作部材４０４ａの操作部４５２よりも、操作部４５２、４７６の押圧操作方向において同じ位置、又は後方に位置していることとしてもよい。尚、本実施形態では、保持突起４４３、４６３を包含する操作部材４０４及びコイルばね４０５が保持手段を構成する。また、操作部４５２、４７６を包含する操作部材４０４が操作手段を構成する。
【０１０８】
（端子部材４０３）
図１３、図１６等に示すように、端子部材４０３は、略矩形板状のベース部４８１と、ベース部４８１のうち一方の短辺部（後辺部）中央からベース部４８１と直交する方向（柱部４１３から離間する方向）に突出する鍔部４８２と、ベース部４８１のうち他方の短辺部（前辺部）両端から前記鍔部４８２の突出方向側に延出する抜け止め部４８３と、前記他方の短辺部（前辺部）中央から鍔部４８２と同方向に延出する延出部４８４と、延出部４８４の先端からベース部４８１外周側（前方）に突出する接続部４８５と、ベース部４８１の略中央部において、鍔部４８２の突出方向とは反対側に突出する係止片４８６とを備え、これらが所定形状に打ち抜かれた一枚の金属板を折り曲げることで形成されている。
【０１０９】
ベース部４８１の横幅は、相対する隔壁部４１２間の距離と略同じであり、ベース部４８１は、その両側部が各隔壁部４１２に形成された膨出部４２６と柱部４１３との間に挿通されている。このため、ベース部４８１の大部分は差込み部４０２の内側に露出するとともに、ベース部４８１の両側部は膨出部４２６により支持され、ベース部４８１が傾倒してしまうといった事態が防止されている。
【０１１０】
係止片４８６は、ベース部４８１の中央部においてコ字状にスリットを形成し、スリットの内周側を鍔部４８２等とは反対側（柱部４１３側）に折り曲げることにより形成されている。当該係止片４８６は、後辺部（鍔部４８２側の辺部）においてのみベース部４８１と連結されている。そして、係止片４８６を柱部４１３に摺接させながら、係止片４８６が柱部４１３に形成された係止面４３２よりも後方に位置するまで、ベース部４８１を差込み部４０２に挿通させることで、係止片４８６が自身の弾性力により溝部４３１の内側に突出し、係止片４８６の前端部が係止面４３２に係止される状態となる（図１３等参照）。これにより、端子部材４０３を挿通孔４３４から前方に引き抜こうとしても、係止片４８６が係止面４３２に引っ掛かるため、端子部材４０３が本体部４０１から脱落してしまうといった事態を防止することができる。また、上記のように、ベース部４８１は膨出部４２６と柱部４１３とにより挟まれているため、基本的に、係止片４８６を溝部４３１から抜け出させることができなくなっている。尚、係止片４８６は、ベース部４８１のうち、操作部材４０４の保持突起４４３、４６３と対向する部位を外れた位置に設けられている。
【０１１１】
鍔部４８２は、操作部材４０４の非操作状態において保持突起４４３、４６３の天壁部４１４側の面（後側面）に押圧され、天壁部４１４の裏面（前面）に押付けられる構成となっている。すなわち、端子部材４０３は、上記のように本体部４０１に対して、ベース部４８１を膨出部４２６と柱部４１３との間に挿通させるとともに、係止片４８６を溝部４３１の内側に位置させているだけで取付けられるため、構成の簡素化、組み立て作業性の向上等が図られる一方で、前後に若干動き得るようになっている。しかしながら、この場合、外部端子板２４０を後述する中継基板４９１に取付けた際に各種不具合が生じる（本体部４０１にがたつきが生じる、本体部４０１の取付状態の姿勢にばらつきが生じる等）おそれがある。これに対し、本実施形態では、各操作部材４０４を非操作状態とすることで、各端子部材４０３の位置ずれが防止されることから、この状態で外部端子板２４０を中継基板４９１に取付ければ、本体部４０１にがたつきを生じてしまう等の不具合を回避することができる。
【０１１２】
尚、鍔部４８２はベース部４８１の短辺部の中央部にのみ形成されるため、ベース部４８１の差込み部４０２への挿通に際し、鍔部４８２が膨出部４２６に当接することはなく、当該挿通が阻害されるおそれはない。また、保持突起４４３、４６３の天壁部４１４側の面（後面）は、柱部４１３の延在方向に対して交差して延びる傾斜面となっているため、操作状態において鍔部４８２と天壁部４１４とが若干離間していても、非操作状態とすることで鍔部４８２が保持突起４４３、４６３の傾斜面に案内されて、天壁部４１４に圧接されることとなる。
【０１１３】
ベース部４８１の前辺部から延出する抜け止め部４８３は、柱部４１３から離間する方向に向けて、軸受部４２７に回転可能に支持された軸部４４４、４６４の外周方向に凸となるようにして若干湾曲しつつ、後方に延びている。また、抜け止め部４８３の後面（内周側面）は、軸部４４４、４６４と略当接している（図１１等参照）。すなわち、操作部材４０４は、本体部４０１に対して上記のように、コイルばね４０５の付勢力により円弧状の軸受部４２７に軸部４４４、４６４を圧接させるだけで取付けられるため、構成の簡素化、組み立て作業性の向上等が図られる一方で、コイルばね４０５の付勢力に抗して操作部材４０４を傾動させることなく全体的に前方に変位させる（軸部４４４、４６４を前方に変位させる）と、軸部４４４、４６４が軸受部４２７から外れ、操作部材４０４が本体部４０１から脱落してしまうおそれがある。これに対し、本実施形態では、軸部４４４、４６４を前方に変位させても、軸部４４４、４６４が抜け止め部４８３によって柱部４１３側に案内されることとなるため、軸部４４４、４６４が軸受部４２７から外れ、操作部材４０４が本体部４０１から脱落してしまうといった事態を抑止することができる。
【０１１４】
延出部４８４の先端部側は、本体部４０１の底壁部４１１の台座部４３６に形成された嵌合凹部４３７に嵌め込まれている。これにより、端子部材４０３（特に接続部４８５）の位置ずれが抑制されることとなる。また、延出部４８４は台座部４３６の前面よりも後方に位置している。このため、外部端子板２４０を後述する中継基板４９１に対して固定する際に、延出部４８４が中継基板４９１に当接するといった事態を回避することができる。ちなみに、後述する中継基板４９１のプリントパターンと電気的に接続される接続部４８５に関しては、台座部４３６よりも前方に突出している。尚、台座部４３６の存在により、外部端子板２４０と中継基板４９１との間に隙間を形成することができるため、放熱性の向上を図ることができる。
【０１１５】
次に、外部端子板２４０の組み立て作業について説明する。先ず、本体部４０１を天壁部４１４が下向きとなるように配置するとともに、各差込み部４０２に対し、張り出し部４２１と規制壁部４３８との間に形成される開口部を介して、操作部材４０４の基部４４１、４６１側を差込み、軸部４４４、４６４を軸受部４２７に当接（支持）させた状態とする。
【０１１６】
続いて、本体部４０１の差込み部４０２に対し、底壁部４１１の挿通孔４３４を介して、端子部材４０３を差し込む。このとき、端子部材４０３のベース部４８１を、柱部４１３と膨出部４２６との間に挿通させるようにして端子部材４０３を押込む。また、端子部材４０３の挿通に際して、鍔部４８２と保持突起４４３、４６３とが当接するが、操作部材４０４は未だコイルばね４０５によって付勢された状態ではない上、保持突起４４３、４６３の前側面は端子部材４０３の挿通方向に対して傾斜しているため、そのまま端子部材４０３を押込むことで、操作部材４０４が追従的に回動することとなり、端子部材４０３を奥まで挿通させることができる。そして、鍔部４８２と天壁部４１４とが略当接するまで、端子部材４０３を差込み部４０２に挿入させると、係止片４８６が溝部４３１の内側に突出し、延出部４８４が嵌合凹部４３７の内側に嵌り込み、抜け止め部４８３が軸部４４４、４６４（の前面側）に略当接することとなる。
【０１１７】
その後、本体部４０１（底壁部４１１）のばね支持部４３５にコイルばね４０５の一端部を支持させるとともに、操作部材４０４のばね受部４５１、４７５にコイルばね４０５の他端部を支持させる。これにより、操作部材４０４が後方かつ柱部４１３側に付勢され、保持突起４４３、４６３と端子部材４０３のベース部４８１とが圧接することとなる。以上のようにして、外部端子板２４０が組み立てられる。
【０１１８】
また、以上のように構成された外部端子板２４０は、図１７に示す中継基板４９１に固定されるとともに、外部端子板２４０（天壁部４１４）を後方に露出させる開口部が形成された透明なボックス４９０（図５参照）に収容されている。ボックス４９０は、中継基板４９１を係止する係止部（図示略）、及び、裏パックユニット２０３に係止される係止爪部（図示略）を備えている。そして、一体化された外部端子板２４０及び中継基板４９１をボックス４９０に収容して中継基板４９１を係止部で係止させるとともに、ボックス４９０の係止爪部を裏パックユニット２０３に係止させることで、外部端子板２４０及び中継基板４９１が内枠１２に取り付けられている。
【０１１９】
また、中継基板４９１には、各端子部材４０３の接続部４８５がそれぞれ挿通される計２０個の連通孔４９２が形成されている。そして、各接続部４８５が各連通孔４９２に挿通状態とされ、本体部４０１の台座部４３６と中継基板４９１の後面とが当接するとともに、中継基板４９１の前面側において、中継基板４９１を貫通した接続部４８５と中継基板４９１のプリントパターンとが電気的に接続されている。尚、底壁部４１１の隅部に対応して設けられた台座部４３６には、前方に突出する位置決め突部４３９（図８等参照）が設けられており、中継基板４９１には、位置決め突部４３９が差し込まれる位置決め孔４９３が形成されている。
【０１２０】
さらに、中継基板４９１には、本体部４０１に対して上下一対で配置される端子部材４０３のうち上側の端子部材４０３の接続部４８５に対応した連通孔４９２と、下側の端子部材４０３の接続部４８５に対応した連通孔４９２との間に開口部４９４が形成されている。すなわち、中継基板４９１のうち、外部端子板２４０によって覆われる位置に、開口部４９４が形成されている。当該開口部４９４により、例えば、中継基板４９１の裏側（前面側）に不正な基板を配設されたとしても、外部端子板２４０の透明な本体部４０１及び中継基板４９１の開口部４９４を介して、かかる不正基板を発見することができる。加えて、中継基板４９１には、主制御装置２６１に電気的に接続された信号線（ハーネス）が接続されるコネクタ４９６が設けられている。
【０１２１】
また、中継基板４９１には、信号規制手段としてのフォトカプラ４９７が搭載されており、図１８に示すように、主制御装置２６１の入出力ポート５０５に電気的に接続される入力側と、ホールコンピュータ５００等の外部機器に電気的に接続される出力側とが電気的に絶縁されている。そして、主制御装置２６１から信号が出力された場合にのみ、ホールコンピュータ５００等の外部機器に信号が送られることとなる。尚、便宜上、具体的な説明は省略するが、主制御装置２６１の入出力ポート５０５と中継基板４９１とが信号線を介して直接接続されていなくてもよく、その他の基板が介在していてもよい。
【０１２２】
そして、外部機器からの配線を外部端子板２４０に接続する際には、操作部材４０４の操作部４５２、４７６を操作して保持突起４４３、４６３と端子部材４０３のベース部４８１との間に配線挿通用のスペースを空けた状態で、外部機器からの配線を差込み部４０２に差込み、その後、操作部４５２、４７６から手を離す。これにより、差込み部４０２に差し込まれた外部機器からの配線が、操作部材４０４の保持突起４４３、４６３に押圧されて端子部材４０３のベース部４８１に押付けられる。以上のようにして、外部機器からの配線が端子部材４０３と電気的に接続される。
【０１２３】
尚、本実施形態では、主制御装置２６１とホールコンピュータ５００との間にフォトカプラ４９７を介在させる構成のため、外部端子板２４０の端子部材４０３が（上下の）２個で１組となっている。すなわち、上記のように、差込み部４０２のうち上下に隣接する２つの差込み部４０２に設置された端子部材４０３同士が互いに対応している。また、主制御装置２６１と中継基板４９１とを電気的に接続する信号線（配線）、及び、ホールコンピュータ５００と外部端子板２４０とを電気的に接続する配線についても、２本で１組である。
【０１２４】
ちなみに、上下に隣接する差込み部４０２に設けられた操作部材４０４は形状が同じ（同種の操作部材４０４ａ、４０４ｂ）であるとともに、同色である。具体的に、上下一対で１０組設けられる操作部材４０４は、図７の左から第１操作部材４０４ａ、第２操作部材４０４ｂ、第１操作部材４０４ａ・・・・となっており、色は図７の左側から紫、黄、茶色、赤、グレー、緑、黒、青、橙色、ピンクとなっている。尚、便宜上、上下一対の端子部材４０３を、図７の左側から、第１端子部、第２端子部、第３端子部、第４端子部、第５端子部、第６端子部、第７端子部、第８端子部、第９端子部、第１０端子部（便宜上、部材番号は省略する）とも称する。また、大当たり状態中である場合には、主制御装置２６１からの信号が第１、第３、及び第４端子を介して外部機器に出力され、特別表示装置４３Ｌ、４３Ｒにおいて変動表示が停止表示された場合には、主制御装置２６１からの信号が第２端子を介して外部機器に出力され、時短モード中である場合には、主制御装置２６１からの信号が第３端子を介して外部機器に出力され、確変モード中である場合には、主制御装置２６１からの信号が第４端子を介して外部機器に出力され、上入賞口３３ａに遊技球が入球した場合には、主制御装置２６１からの信号が第５端子を介して外部機器に出力され、下入賞口３３ｂに遊技球が入球した場合には、主制御装置２６１からの信号が第６端子を介して外部機器に出力され、不正等の各種エラーを検知した場合には、主制御装置２６１からの信号が第７端子を介して外部機器に信号が出力され、賞球が払出された場合には、主制御装置２６１からの信号が第８端子を介して外部機器に出力され、内枠１２が開放されている場合には、主制御装置２６１からの信号が第９端子を介して外部機器に出力され、前面枠セット１４が開放されている場合には、主制御装置２６１からの信号が第１０端子を介して外部機器に出力される。
【０１２５】
次に、パチンコ機１０の電気的構成について説明する。図１９は、本パチンコ機１０の電気的構成を示すブロック図である。主制御手段としての主制御装置２６１（主基板）には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するメモリであるＲＡＭ５０３と、割込回路やタイマ回路、データ送受信回路などの各種回路等が内蔵されている。但し、ＣＰＵ、ＲＯＭ及びＲＡＭが１チップ化されておらず、それぞれの機能毎にチップ化されている構成であってもよい。
【０１２６】
ＲＡＭ５０３は、ＣＰＵ５０１の内部レジスタの内容やＣＰＵ５０１により実行される制御プログラムの戻り先番地などが記憶されるスタックエリアと、各種フラグ及びカウンタ、Ｉ／Ｏ等の値が記憶される作業エリア（作業領域）と、バックアップエリア５０３ａとを備えている。
【０１２７】
また、ＲＡＭ５０３は、パチンコ機１０の電源のオフ後においても電源装置３１３からバックアップ電圧が供給されてデータを保持（バックアップ）できる構成となっており、スタックエリア、作業エリア及びバックアップエリア５０３ａに記憶されるすべてのデータがバックアップされるようになっている。
【０１２８】
バックアップエリア５０３ａは、停電などの発生により電源が切断された場合において、電源の再入時にパチンコ機１０の状態を電源切断前の状態に復帰させるべく、電源切断時（停電発生時を含む。以下同様）のスタックポインタや、各レジスタ、Ｉ／Ｏ等の値を記憶しておくエリアである。バックアップエリア５０３ａへの書き込みは、メイン処理によって電源切断時に実行され、逆にバックアップエリア５０３ａに書き込まれた各値の復帰は、電源入時（停電解消による電源入を含む。以下同様）のメイン処理において実行される。なお、ＣＰＵ５０１のＮＭＩ端子（ノンマスカブル割込端子）には、停電等の発生による電源断時に、後述する停電監視回路５４２から出力される停電信号ＳＫ１が入力されるように構成されており、停電の発生により、停電処理（ＮＭＩ割込み処理）が即座に実行される。
【０１２９】
なお、少なくともスタックエリアとバックアップエリア５０３ａとに記憶されるデータをバックアップすれば、必ずしもすべてのエリアに記憶されるデータをバックアップする必要はない。例えば、スタックエリアとバックアップエリア５０３ａとに記憶されるデータをバックアップし、作業エリアに記憶されるデータをバックアップしない構成としてもよい。
【０１３０】
かかるＲＯＭ５０２及びＲＡＭ５０３を内蔵したＣＰＵ５０１には、アドレスバス及びデータバス等で構成されるバスライン５０４を介して入出力ポート５０５が接続されている。入出力ポート５０５には、後述するＲＡＭ消去スイッチ回路５４３、払出制御装置３１１、サブ制御装置２６２、第１及び第２特別表示装置４３Ｌ、４３Ｒ、普通図柄表示装置４１等が接続されている。この構成により、上述した特別表示装置４３Ｌ、４３Ｒ、及び普通図柄表示装置４１は、主制御装置２６１により直接的に制御される。一方、装飾図柄表示装置４２は、サブ制御装置２６２を介して制御される。
【０１３１】
その他、便宜上、各種中継基板等の図示は省略するが、入出力ポート５０５には、入賞口スイッチ２２１、カウントスイッチ２２３、始動入賞ユニットスイッチ２２４ａ，２２４ｂ、スルーゲートスイッチ２２５などの各種検出スイッチや、各種基板などの各種電気部品が接続されている。つまり、主制御装置２６１には、各種ケーブルコネクタのコネクタを接続するための複数の端子部（基板側コネクタ）が設けられているが、これら端子部等により、入出力ポート５０５が構成される。
【０１３２】
サブ制御手段としてのサブ制御装置２６２（サブ制御基板）は、演算装置であるＣＰＵ５５１、該ＣＰＵ５５１により実行される各種の制御プログラムや固定値データを記憶したＲＯＭ５５２、該ＲＯＭ５５２内に記憶される制御プログラムの実行に際して各種のデータ等を一時的に記憶するメモリであるＲＡＭ５５３、入出力ポート５５４、バスライン５５５を備えるとともに、その他にも図示しない割込回路やタイマ回路、データ送受信回路などの各種回路等を備えている。ＲＡＭ５５３は、ＣＰＵ５５１による各種プログラムの実行時に使用されるワークデータやフラグを一時的に記憶するメモリである。
【０１３３】
入出力ポート５５４には、バスライン５５５を介してＣＰＵ５５１、ＲＯＭ５５２、ＲＡＭ５５３が接続されるとともに、表示制御装置４５が接続されている。さらに、入出力ポート５５４には、スピーカＳＰ、演出ボタン１２５、各種電飾部及びランプ１０２〜１０４が接続されている。
【０１３４】
サブ制御装置２６２のＣＰＵ５５１は、例えば主制御装置２６１から送信される指令信号（例えば変動パターンコマンド）に基づいて表示制御装置４５に表示制御を実行させ、装飾図柄表示装置４２に表示させる。なお、上記のように、本実施形態では、主制御装置２６１が制御する第１及び第２特別表示装置４３Ｌ、４３Ｒにて大当たりか否かを表示するようになっており、サブ制御装置２６２が制御する装飾図柄表示装置４２では、前記特別表示装置４３Ｌ、４３Ｒの表示に合わせた表示が行われる。
【０１３５】
また、払出制御装置３１１は、払出装置３５８により賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１３６】
払出制御装置３１１のＲＡＭ５１３は、主制御装置２６１のＲＡＭ５０３と同様に、ＣＰＵ５１１の内部レジスタの内容やＣＰＵ５１１により実行される制御プログラムの戻り先番地などが記憶されるスタックエリアと、各種フラグ及びカウンタ、Ｉ／Ｏ等の値が記憶される作業エリア（作業領域）と、バックアップエリア５１３ａとを備えている。
【０１３７】
ＲＡＭ５１３は、パチンコ機１０の電源のオフ後においても電源装置３１３からバックアップ電圧が供給されてデータを保持（バックアップ）できる構成となっており、スタックエリア、作業エリア及びバックアップエリア５１３ａに記憶されるすべてのデータがバックアップされるようになっている。なお、少なくともスタックエリアとバックアップエリア５１３ａとに記憶されるデータをバックアップすれば、必ずしもすべてのエリアに記憶されるデータをバックアップする必要はない。例えば、スタックエリアとバックアップエリア５１３ａとに記憶されるデータをバックアップし、作業エリアに記憶されるデータをバックアップしない構成としてもよい。
【０１３８】
バックアップエリア５１３ａは、停電などの発生により電源が切断された場合において、電源の再入時にパチンコ機１０の状態を電源切断前の状態に復帰させるべく、電源切断時のスタックポインタや、各レジスタ、Ｉ／Ｏ等の値を記憶しておくエリアである。このバックアップエリア５１３ａへの書き込みは、メイン処理によって電源切断時に実行され、バックアップエリア５１３ａに書き込まれた各値の復帰は電源入時のメイン処理において実行される。なお、主制御装置２６１のＣＰＵ５０１と同様、ＣＰＵ５１１のＮＭＩ端子にも、停電等の発生による電源遮断時に停電監視回路５４２から停電信号ＳＫ１が入力されるように構成されており、その停電信号ＳＫ１がＣＰＵ５１１へ入力されると、停電時処理としてのＮＭＩ割込み処理が即座に実行される。
【０１３９】
作業エリアには、払出制御装置３１１による賞球の払出許可が設定される払出許可フラグと、主制御装置２６１から送信されたコマンドを受信した場合に設定されるコマンド受信フラグと、主制御装置２６１から送信されたコマンドが記憶されるコマンドバッファとが設けられている。
【０１４０】
払出許可フラグは、賞球の払出許可を設定するフラグであり、主制御装置２６１から賞球の払出を許可する特定のコマンドが送信され、その特定のコマンドを受信した場合にオンされ、初期設定の処理又は電源遮断前へ復帰された場合にオフされる。本実施形態では、特定のコマンドは、払出制御装置３１１のＲＡＭ５１３の初期処理の指示をする払出初期化コマンドと、賞球の払出を指示する賞球コマンドと、主制御装置２６１が復電された場合に送信される払出復帰コマンドの３つである。
【０１４１】
コマンド受信フラグは、払出制御装置３１１がコマンドを受信したか否かを確認するフラグであり、いずれかのコマンドを受信した場合にオンされ、払出許可フラグと同様に、初期設定の処理又は電源遮断前へ復帰された場合にオフされるとともに、コマンド判定処理により受信されたコマンドの判定が行われた場合にオフされる。
【０１４２】
コマンドバッファは、主制御装置２６１から送信されるコマンドを一時的に記憶するリングバッファで構成されている。
【０１４３】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、ＲＡＭ消去スイッチ回路５４３、主制御装置２６１、発射制御装置３１２、払出装置３５８等がそれぞれ接続されている。
【０１４４】
カードユニット接続基板３１４は、パチンコ機１０前面の貸球操作部（球貸しボタン１２１及び返却ボタン１２２）と、遊技ホール等にてパチンコ機１０の側方に配置されるカードユニット（球貸しユニット）とにそれぞれ電気的に接続され、遊技者による球貸し操作の指令を取り込んでそれをカードユニットに出力するものである。なお、カードユニットを介さずに球貸し装置等から上皿１９に遊技球が直接貸し出される現金機では、カードユニット接続基板３１４を省略することも可能である。
【０１４５】
発射制御装置３１２は、発射装置６０による遊技球の発射を許可又は禁止するものであり、発射装置６０は、所定条件が整っている場合に駆動が許可される。具体的には、払出制御装置３１１から発射許可信号が出力されていること、遊技者がハンドル１８をタッチしていることをセンサ信号により検出していること、発射を停止させる発射停止スイッチが操作されていないことを条件に、発射装置６０が駆動され、ハンドル１８の操作量に応じた強度で遊技球が発射される。
【０１４６】
表示制御装置４５は、サブ制御装置２６２からの指示に従い、装飾図柄表示装置４２における装飾図柄の変動表示を実行するものである。この表示制御装置４５は、ＣＰＵ５２１と、プログラムＲＯＭ５２２と、ワークＲＡＭ５２３と、ビデオＲＡＭ５２４と、キャラクタＲＯＭ５２５と、ビデオディスプレイプロセッサ（ＶＤＰ）５２６と、入力ポート５２７と、出力ポート５２９と、バスライン５３０，５３１とを備えている。入力ポート５２７にはサブ制御装置２６２の入出力ポート５５４が接続されている。また、入力ポート５２７には、バスライン５３０を介して、ＣＰＵ５２１、プログラムＲＯＭ５２２、ワークＲＡＭ５２３、ＶＤＰ５２６が接続されている。また、ＶＤＰ５２６にはバスライン５３１を介して出力ポート５２９が接続されており、その出力ポート５２９には液晶表示装置たる装飾図柄表示装置４２が接続されている。
【０１４７】
表示制御装置４５のＣＰＵ５２１は、サブ制御装置２６２から送信される表示コマンドを、入力ポート５２７を介して受信するとともに、受信コマンドを解析し又は受信コマンドに基づき所定の演算処理を行ってＶＤＰ５２６の制御（具体的にはＶＤＰ５２６に対する内部コマンドの生成）を実施する。これにより、装飾図柄表示装置４２における表示制御を行う。
【０１４８】
プログラムＲＯＭ５２２は、そのＣＰＵ５２１により実行される各種の制御プログラムや固定値データを記憶するメモリであり、ワークＲＡＭ５２３は、ＣＰＵ５２１による各種プログラムの実行時に使用されるワークデータやフラグを一時的に記憶するメモリである。
【０１４９】
ビデオＲＡＭ５２４は、装飾図柄表示装置４２に表示される表示データを記憶するメモリであり、このビデオＲＡＭ５２４の内容を書き替えることにより、装飾図柄表示装置４２の表示内容が変更される。キャラクタＲＯＭ５２５は、装飾図柄表示装置４２に表示される図柄などのキャラクタデータを記憶するメモリである。
【０１５０】
ＶＤＰ５２６は、装飾図柄表示装置４２に組み込まれたＬＣＤドライバ（液晶駆動回路）を直接操作する一種の描画回路である。ＶＤＰ５２６はＩＣチップ化されているため「描画チップ」とも呼ばれ、その実体は、描画処理専用のファームウェアを内蔵したマイコンチップとでも言うべきものである。ＶＤＰ５２６は、ＣＰＵ５２１、ビデオＲＡＭ５２４等のそれぞれのタイミングを調整してデータの読み書きに介在するとともに、ビデオＲＡＭ５２４に記憶される表示データを所定のタイミングで読み出して装飾図柄表示装置４２に表示させる。
【０１５１】
また、電源装置３１３は、パチンコ機１０の各部に電力を供給する電源部５４１と、停電等による電源遮断を監視する停電監視回路５４２と、ＲＡＭ消去スイッチ３２３に接続されてなるＲＡＭ消去スイッチ回路５４３とを備えている。
【０１５２】
電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動する＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。同様に、各種スイッチやモータ等には、これらが接続される制御装置を介して動作電源が供給されることとなる。
【０１５３】
停電監視回路５４２は、停電等の発生による電源断時に、主制御装置２６１のＣＰＵ５０１及び払出制御装置３１１のＣＰＵ５１１の各ＮＭＩ端子へ停電信号ＳＫ１を出力する回路である。停電監視回路５４２は、電源部５４１から出力される最大電圧である直流安定２４ボルトの電圧を監視し、この電圧が２２ボルト未満になった場合に停電（電源断）の発生と判断して、停電信号ＳＫ１を主制御装置２６１及び払出制御装置３１１へ出力する。この停電信号ＳＫ１の出力によって、主制御装置２６１及び払出制御装置３１１は、停電の発生を認識し、停電時処理（ＮＭＩ割込み処理）を実行する。
【０１５４】
なお、電源部５４１は、直流安定２４ボルトの電圧が２２ボルト未満になった後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１５５】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアする回路である。ＲＡＭ消去スイッチ３２３が押下された際、ＲＡＭ消去スイッチ回路５４３は、ＲＡＭ消去信号ＳＫ２を主制御装置２６１及び払出制御装置３１１に出力する。ＲＡＭ消去スイッチ３２３が押下された状態でパチンコ機１０の電源が投入されると（停電解消による電源入を含む）、主制御装置２６１及び払出制御装置３１１においてそれぞれのＲＡＭ５０３，５１３のデータがクリアされる。
【０１５６】
次に、上記の如く構成されたパチンコ機１０の動作について説明する。
【０１５７】
本実施形態では、主制御手段としての主制御装置２６１に設けられたＣＰＵ５０１は、遊技に際し各種カウンタ情報を用いて抽選を行うこととしている。具体的には、図２０に示すように、大当たり状態を発生させるか否かの大当たり抽選（当否抽選）に使用する当否乱数生成手段としての大当たり乱数カウンタＣ１と、大当たり状態の種別の決定に使用するモード種別乱数生成手段及び当選種別乱数生成手段としてのモード決定カウンタＣ２と、装飾図柄表示装置４２においてリーチ状態を発生させるか否かの決定に使用するリーチ乱数生成手段としての変動選択カウンタＣ３と、大当たり乱数カウンタＣ１の初期値設定に使用する初期値乱数カウンタＣＩＮＩと、第１及び第２特別表示装置４３Ｌ、４３Ｒ（装飾図柄表示装置４２）の変動表示時間の決定等に使用する変動種別カウンタＣＳ１，ＣＳ２と、普通図柄表示装置４１の抽選（始動入賞ユニット３３の開閉部材３３ｃを開状態とするか否かの開放抽選）に使用する普通図柄乱数カウンタＣ４とを用いることとしている。なお、変動選択カウンタＣ３は、装飾図柄表示装置４２を外れ変動させる際のリーチ種別の抽選にも使用される。また、変動種別カウンタＣＳ１，ＣＳ２は、装飾図柄表示装置４２の変動パターン選択（演出パターン選択）にも使用される。詳しくは、決定された変動パターンにより、特別表示装置４３Ｌ、４３Ｒの変動時間が決定されるとともに、装飾図柄表示装置４２における変動態様及び変動時間すなわち演出パターンが決定される。
【０１５８】
カウンタＣ１，Ｃ２，Ｃ３，ＣＩＮＩ，ＣＳ１，ＣＳ２，Ｃ４は、その更新の都度前回値に１が加算され、上限値に達した後、下限値である０に戻るループカウンタとなっている。各カウンタは定期的に更新され、その更新値がＲＡＭ５０３の所定領域に設定されたカウンタ用バッファに適宜格納される（乱数初期値カウンタＣＩＮＩを除く）。
【０１５９】
ＲＡＭ５０３には、大当たり乱数カウンタＣ１、モード決定カウンタＣ２、及び変動選択カウンタＣ３の各値が記憶される保留記憶エリアとしての特別変動保留エリアと、普通図柄乱数カウンタＣ４の値が記憶される普通変動保留エリアとが設けられている。普通変動保留エリアは、１つの実行エリアと４つの保留エリア（保留第１〜保留第４エリア）とを備えている。
【０１６０】
また、特別変動保留エリアは、それぞれ４つの保留エリア（保留第１〜保留第４エリア）を備える第１特別変動保留エリア及び第２特別変動記憶エリアと、１つの実行エリアとを備えている。第１特別変動保留エリアの各保留エリアには、上入賞口３３ａへの遊技球の入賞履歴に合わせて、大当たり乱数カウンタＣ１、モード決定カウンタＣ２、及び変動選択カウンタＣ３の各値が時系列的に格納される。第２特別変動保留エリアの各保留エリアには、下入賞口３３ｂへの遊技球の入賞履歴に合わせて、大当たり乱数カウンタＣ１、モード決定カウンタＣ２、及び変動選択カウンタＣ３の各値が時系列的に格納される。普通変動保留エリアの各保留エリアには、スルーゲート３４への遊技球の通過履歴に合わせて、普通図柄乱数カウンタＣ４の値が時系列的に格納される。当該構成を採用することで、上記のように特別表示装置４３Ｌ、４３Ｒ及び普通図柄表示装置４１における変動表示をそれぞれ４回まで保留可能としている。
【０１６１】
各カウンタについて詳しく説明すると、当否乱数生成手段としての大当たり乱数カウンタＣ１は、例えば０〜５９９の範囲内で順に１ずつ加算され、終値としての上限値（つまり５９９）に達した後、始値としての下限値である０に戻る構成となっている。通常、大当たり乱数カウンタＣ１が１周した場合、その時点の初期値乱数カウンタＣＩＮＩの値が当該大当たり乱数カウンタＣ１の次の初期値として読み込まれる。なお、初期値乱数カウンタＣＩＮＩは、大当たり乱数カウンタＣ１と同様のループカウンタであり（値＝０〜５９９）、タイマ割込み毎に１回更新されると共に通常処理の残余時間内で繰り返し更新される。一方、大当たり乱数カウンタＣ１は定期的に（本実施形態ではタイマ割込み毎に１回）更新され、大当たり乱数カウンタＣ１の値が大当たり乱数カウンタバッファに格納される。そして、遊技球が始動入賞ユニット３３の上入賞口３３ａ又は下入賞口３３ｂに入賞したタイミングで、大当たり乱数カウンタバッファに格納されている大当たり乱数カウンタＣ１の値が、第１特別変動保留エリア又は第２特別変動保留エリアに格納される。大当たりとなる乱数の値は、第１の遊技モードとしての低確率状態（通常モードや時間短縮モード等）と、第２の遊技モードとしての高確率状態（確変モード）とで２種類設定されており、本実施形態では、低確率状態であれば大当たりとなる乱数の値の数は２つで、その値は「７、３０７」であり、高確率状態であれば大当たりとなる乱数の値の数は２０で、その値は「７〜１６、３０７〜３１６」である。すなわち、低確率状態においては１／３００の確率で当否抽選に当選し（大当たり状態が発生し）、高確率状態においては１／３０の確率で当否抽選に当選することとなる。尚、本実施形態では、ＲＯＭ５０２に対し、大当たり乱数カウンタＣ１の値が大当たりに対応するか否かの判定を行う際に参照される当選値記憶手段としての当否判定テーブルが設けられている。当否判定テーブルは、大当たりに対応する値（以下「当選対応値」と称する）をグループ分けして記憶しているとともに、各グループに個別に対応して、「１」から昇順となる識別情報としての番号（以下「アドレス番号」と称する）を記憶している。具体的に、当否判定テーブルには、アドレス番号「１」に対応して当選対応値「７、３０７」、アドレス番号「２」に対応して当選対応値「８〜１６、３０８〜３１６」が記憶されている。
【０１６２】
ここで、各種遊技モードについて説明する。本実施形態では、遊技モード（遊技状態）が、通常モード、確変モード、及び時間短縮モードの間で切替設定される。
【０１６３】
通常モードとは、確変モード及び時間短縮モードではない通常の状態をいう。従って、通常モード時には、大当たり確率（大当たり状態の当選確率）が通常の低確率（例えば１／３００）となっている。
【０１６４】
また、確変モードとは、第１又は第２特別表示装置４３Ｌ、４３Ｒにおいて「７」が停止表示されること（装飾図柄表示装置４２において確変図柄が停止表示されること）によって「確変大当たり」になる、又は、第１特別表示装置４３Ｌにおいて「２」が停止表示されること（装飾図柄表示装置４２においてチャンス図柄が停止表示されること）によって「特殊確変」になり、大当たり終了後の大当たり確率が通常モード時に比べアップした状態（例えば１／３０）をいう。尚、確変モードは、次回の大当たり状態が発生するまで継続する。
【０１６５】
さらに、本実施形態では、確変モードにおいては、大当たり確率が高められるだけでなく、特別表示装置４３Ｌ、４３Ｒにおける変動表示時間が短くなる（時間短縮状態となる）。また、通常モード時に比べ、当選１回あたりの始動入賞ユニット３３（開閉部材３３ｃ）の開放時間が長くなるとともに、開放回数が多くなる。これによって、始動入賞ユニット３３が開状態となっている時間帯が長くなるため、始動入賞ユニット３３（下入賞口３３ｂ）に対して遊技球が頻繁に入球するようになり、大当たり抽選が連続してなされると共に、玉持ちのよい状態となる。従って、確変モードは、高確率・時間短縮・高入球状態と言い換えることができる。
【０１６６】
尚、確変モードにおいて、普通図柄表示装置４１における変動時間を短くしたり、普通図柄表示装置４１において「○」図柄が停止表示される確率（開放抽選の当選確率）を通常モード時よりも高くしたりすることとしてもよい。
【０１６７】
時間短縮モードとは、第１又は第２特別表示装置４３Ｌ、４３Ｒにおいて「３」で停止表示されること（装飾図柄表示装置４２において予め定められた確変図柄以外の通常図柄で停止表示されること）によって「通常大当たり」になり、大当たり状態終了後に、第１及び第２特別表示装置４３Ｌ、４３Ｒにて行われる合計１００回の変動表示にわたって設定される遊技モードである。時間短縮モードは、大当たり確率が通常モード時と同じ低確率であり、かつ、始動入賞ユニット３３における単位時間あたりの閉状態に対する開状態の割合が通常モード時の割合より高い遊技モードである。つまり、大当たり確率（大当たり状態の当選確率）の違いを除いて同様の状態（低確率・時間短縮・高入球状態）となる。尚、時間短縮モードは、大当たり状態が発生しなくても、特別表示装置４３Ｌ、４３Ｒにて合計１００回の変動表示が行われた後、通常モードに移行する。
【０１６８】
モード種別乱数生成手段及び当選種別乱数生成手段としてのモード決定カウンタＣ２は、例えば０〜１９の範囲内で順に１ずつ加算され、上限値（つまり１９）に達した後、下限値である０に戻る構成となっている。本実施形態では、モード決定カウンタＣ２によって、大当たり状態の種別、すなわち、「確変大当たり」、「通常大当たり」、及び「特殊確変」のいずれを付与するかが決定されるようになっている。
【０１６９】
尚、上記のように、本実施形態では、遊技球が上入賞口３３ａへ入賞した場合と、下入賞口３３ｂへ入賞した場合とで、大当たり状態の種別の振り分けが異なっている。具体的には、遊技球が上入賞口３３ａへ入賞した場合、モード決定カウンタＣ２の値が「０〜８」であれば「確変大当たり」の付与が決定され、「９〜１２」であれば「特殊確変」の付与が決定され、「１３〜１９」であれば「通常大当たり」の付与が決定される。すなわち、上入賞口３３ａへの入賞を契機とする当否抽選に当選した場合には、４５％の確率で「確変大当たり」となり、２０％の確率で「特殊確変」となり、３５％の確率で「通常大当たり」となる。
【０１７０】
一方、遊技球が下入賞口３３ｂへ入賞した場合、モード決定カウンタＣ２の値が「０〜１２」であれば「確変大当たり」の付与が決定され、「１３〜１９」であれば「通常大当たり」の付与が決定される。すなわち、下入賞口３３ｂへの入賞を契機とする当否抽選に当選した場合には、６５％の確率で「確変大当たり」となり、３５％の確率で「通常大当たり」となる（「特殊確変」は発生しない）。
【０１７１】
尚、本実施形態では、ＲＯＭ５０２には、モード決定カウンタＣ２の値がいずれの大当たりに対応するかの判定を行う際に参照されるモード種別判定値記憶手段としてのモード種別判定テーブルが設けられている。モード種別判定テーブルは、大当たりの種別に対応する値をグループ分けして記憶しているとともに、各グループに個別に対応して、「１」から昇順となる識別情報としての番号（以下「アドレス番号」と称する）を記憶している。具体的に、モード種別判定テーブルには、アドレス番号「１」に対応して「０〜８」、アドレス番号「２」に対応して当選対応値「９〜１２」、アドレス番号「３に対応して「１３〜１９」が記憶されている。
【０１７２】
尚、モード決定カウンタＣ２は定期的に（本実施形態ではタイマ割込み毎に１回）更新され、モード決定カウンタＣ２の値がモード決定カウンタバッファに格納される。そして、遊技球が始動入賞ユニット３３の上入賞口３３ａ又は下入賞口３３ｂに入賞したタイミングで、モード決定カウンタバッファに格納されているモード決定カウンタＣ２の値がＲＡＭ５０３の特別変動保留エリア（第１特別変動保留エリア又は第２特別変動保留エリア）に格納される。
【０１７３】
また、リーチ乱数生成手段としての変動選択カウンタＣ３は、例えば０〜２３８の範囲内で順に１ずつ加算され、上限値（つまり２３８）に達した後、下限値である０に戻る構成となっている。本実施形態では、変動選択カウンタＣ３によって、装飾図柄に関してリーチが発生した後、最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチが発生しない「完全外れ」とを抽選することとしている。本実施形態では、ＲＯＭ５０２に対し、変動選択カウンタＣ３の値がリーチ状態の発生に対応する値であるか否か及びいずれのリーチに対応するかの判定を行う際に参照されるリーチ判定値記憶手段としてのリーチ判定テーブルが設けられている。リーチ判定テーブルには「０〜２３８」の値が記憶され、Ｃ３＝０，１が前後外れリーチに該当し、Ｃ３＝２〜２１が前後外れ以外リーチに該当し、Ｃ３＝２２〜２３８が完全外れに該当する構成となっている。
【０１７４】
変動選択カウンタＣ３は定期的に（本実施形態ではタイマ割込み毎に１回）更新され、変動選択カウンタバッファに変動選択カウンタＣ３の値が格納される。そして、遊技球が始動入賞ユニット３３の上入賞口３３ａ又は下入賞口３３ｂに入賞したタイミングで、変動選択カウンタバッファに格納されている変動選択カウンタＣ３の値がＲＡＭ５０３の特別変動保留エリア（第１特別変動保留エリア又は第２特別変動保留エリア）に格納される。
【０１７５】
また、２つの変動種別カウンタＣＳ１，ＣＳ２のうち、一方の変動種別カウンタＣＳ１は、例えば０〜１９８の範囲内で順に１ずつ加算され、上限値（つまり１９８）に達した後、下限値である０に戻る構成となっており、他方の変動種別カウンタＣＳ２は、例えば０〜２４０の範囲内で順に１ずつ加算され、上限値（つまり２４０）に達した後、下限値である０に戻る構成となっている。以下の説明では、ＣＳ１を「第１変動種別カウンタ」、ＣＳ２を「第２変動種別カウンタ」ともいう。図２０中でもこのように表記した。第１変動種別カウンタＣＳ１によって、いわゆるノーマルリーチ、スーパーリーチ、プレミアムリーチ等、装飾図柄のリーチ種別（リーチパターン）やその他大まかな図柄変動態様が決定され、第２変動種別カウンタＣＳ２によって、リーチ発生後に最終停止図柄（本実施形態では中図柄）が停止するまでの経過時間（言い換えれば、変動図柄数）などより細かな図柄変動態様が決定される。従って、これらの変動種別カウンタＣＳ１，ＣＳ２を組合わせることで、変動パターンの多種多様化を容易に実現できる。また、第１変動種別カウンタＣＳ１だけで図柄変動態様を決定したり、第１変動種別カウンタＣＳ１と停止図柄とを組合わせて同じく図柄変動態様を決定したりすることも可能である。
【０１７６】
なお、本実施形態では、「大当たり」が発生する場合には、ノーマルリーチ、スーパーリーチ、プレミアムリーチのうちいずれかが選択され、「前後外れリーチ」が発生する場合には、ノーマルリーチ、スーパーリーチのうちどちらかが選択され、「前後外れ以外リーチ」が発生する場合にはノーマルリーチが選択される。また、「完全外れ」となる場合には、ノーマルリーチ、スーパーリーチ、プレミアムリーチのいずれも選択されない。
【０１７７】
また、変動種別カウンタＣＳ１，ＣＳ２は、後述する通常処理が１回実行される毎に１回更新され、当該通常処理の残余時間内でも繰り返し更新される。そして、装飾図柄表示装置４２による装飾図柄の変動開始時における変動パターン決定に際してＣＳ１，ＣＳ２のバッファ値が取得される。
【０１７８】
なお、各カウンタの大きさや範囲は一例にすぎず任意に変更できる。但し、大当たり乱数カウンタＣ１、変動選択カウンタＣ３、変動種別カウンタＣＳ１，ＣＳ２の大きさは何れも異なる素数とし、いかなる場合にも同期しない数値としておくのが望ましい。
【０１７９】
また、普通図柄乱数カウンタＣ４は、例えば０〜９の範囲内で順に１ずつ加算され、上限値（つまり９に達した後、下限値である０に戻るループカウンタとして構成されている。普通図柄乱数カウンタＣ４は定期的に（本実施形態ではタイマ割込み毎に１回）更新され、遊技球が左右何れかのスルーゲート３４を通過した時に普通図柄乱数カウンタＣ４の値が取得される。通常、当選となる乱数の値の数は６つあり、その範囲は「３〜８」である。そして、当選となる普通図柄乱数カウンタＣ４の値が取得された場合、普通図柄表示装置４１において変動表示が所定時間行われた後、当選に対応する図柄（本例では「○」）が停止表示され、始動入賞ユニット３３（開閉部材３３ｃ）が所定時間の間、開状態となる。
【０１８０】
尚、本実施形態では、普通図柄表示装置４１にて当選に対応する図柄が停止表示される確率、すなわち、始動入賞ユニット３３を開状態とするか否かの開放抽選の当選確率はいずれのモードでも共通である。また、確変モード及び時短モードにあるときには、普通図柄表示装置４１にて行われる変動表示の変動時間が、通常モードにあるときに比べて短縮されている。
【０１８１】
次いで、主制御装置２６１内のＣＰＵ５０１により実行される各制御処理を、フローチャートを参照しながら説明する。かかるＣＰＵ５０１の処理としては大別して、電源投入に伴い起動されるメイン処理と、定期的に（本実施形態では２ｍｓｅｃ周期で）起動されるタイマ割込み処理と、ＮＭＩ端子（ノンマスカブル端子）への停止信号の入力により起動されるＮＭＩ割込み処理とがあり、説明の便宜上ここでは、先ずタイマ割込み処理とＮＭＩ割込み処理とを説明し、その後でメイン処理を説明する。
【０１８２】
図２３は、タイマ割込み処理を示すフローチャートであり、本処理は主制御装置２６１のＣＰＵ５０１により例えば２ｍｓｅｃ毎に実行される。
【０１８３】
図２３において、先ずステップＳ３０１では、各種入賞スイッチの読み込み処理を実行する。すなわち、主制御装置２６１に接続されている各種スイッチ（但し、ＲＡＭ消去スイッチ３２３を除く）の状態を読み込むと共に、当該スイッチの状態を判定して検出情報（入賞検知情報等）を保存する。
【０１８４】
また、本実施形態では、ステップＳ３０１において、前面枠開放検知スイッチ９１及び内枠開放検知スイッチ９２の状態を確認して、前面枠セット１４や内枠１２が開放されているか否かを判別し、前面枠セット１４や内枠１２が開放されている場合、前面枠セット１４や内枠１２が開放されていることを示す信号を出力するための設定が行われる。そして、当該設定に基づいて、通常処理の外部出力処理に際して、外部端子板２４０に信号が出力されたりする。さらに、図示等は省略するが、パチンコ機１０には、不正な電波や磁力を検知可能な不正検知手段が設けられており、ステップＳ３０１において、かかる不正検知手段の状態を確認して、不正されているか否かを判別し、不正が確認された場合、不正が行われていることを示す信号を出力するための設定が行われる。そして、当該設定に基づいて、通常処理の外部出力処理に際して、外部端子板２４０に信号が出力されたりする。
【０１８５】
尚、本実施形態では、可変入賞装置３２への入賞（カウントスイッチ２２３による検知）があった場合、大当たり状態中であるか否かを示す大当たりフラグがオンであるか否かを判別し、大当たり状態中ではないにもかかわらず、可変入賞装置３２への入賞が確認された場合には、入球エラーの設定が行われ、当該エラーの設定に基づいて、通常処理の外部出力処理に際して、外部端子板２４０に信号が出力されたり、エラー表示ランプ１０４が点灯されたりする。
【０１８６】
ステップＳ３０２では乱数初期値更新処理を実行する。具体的には、乱数初期値カウンタＣＩＮＩを１インクリメントすると共に、そのカウンタ値が最大値（本例では５９９）に達した際０にクリアする。
【０１８７】
また、ステップＳ３０３では乱数更新処理を実行する。具体的には、大当たり乱数カウンタＣ１、モード決定カウンタＣ２、変動選択カウンタＣ３及び普通図柄乱数カウンタＣ４をそれぞれ１インクリメントすると共に、それらのカウンタ値が最大値（本実施形態ではそれぞれ、５９９，１９，２３８，９）に達した際それぞれ０にクリアする。そして、各カウンタＣ１，Ｃ２，Ｃ３，Ｃ４の更新値を、ＲＡＭ５０３の該当するバッファ領域に格納する。
【０１８８】
その後、ステップＳ３０４では、始動入賞ユニット３３への入賞に伴う始動入賞処理を実行し、ステップＳ３０５では、スルーゲート３４への遊技球の通過に伴うスルーゲート通過処理を実行する。その後、タイマ割込み処理を一旦終了する。
【０１８９】
ここで、ステップＳ３０４の始動入賞処理について図２５のフローチャートを参照して説明する。
【０１９０】
先ず、ステップＳ５０１では、遊技球が下入賞口３３ｂに入賞したか否かを第２始動入賞スイッチ２２４ｂの検知情報により判別する。当該ステップＳ５０１で肯定判別された場合、ステップＳ５０２において、下入賞口３３ｂへの入賞を契機とする変動表示の保留数をカウントする下保留カウンタＮｂの値が上限値（本実施形態では「４」）未満であるか否かを判別する。ステップＳ５０２で肯定判別された場合には、ステップＳ５０３に進み、下保留カウンタＮｂを１インクメントする。
【０１９１】
続くステップＳ５０４では、上記ステップＳ３０３の乱数更新処理で更新した大当たり乱数カウンタＣ１、モード決定カウンタＣ２、及び変動選択カウンタＣ３の各値を、第２特別変動保留エリアの空いている保留エリアのうち最初のエリアに格納する。
【０１９２】
ステップＳ５０４の後、或いは、ステップＳ５０１又はステップＳ５０２で否定判別された場合には、ステップＳ５０５に移行する。
【０１９３】
ステップＳ５０５では、遊技球が上入賞口３３ａに入賞したか否かを第１始動入賞ユニットスイッチ２２４ａの検知情報により判別する。当該ステップＳ５０５で否定判別された場合には、そのまま本処理を終了する。一方、肯定判別された場合には、ステップＳ５０６において、上入賞口３３ａへの入賞を契機とする変動表示の保留数をカウントする上保留カウンタＮａの値が上限値（本実施形態では「４」）未満であるか否かを判別する。当該ステップＳ５０６で否定判別された場合には、そのまま本処理を終了する。一方、ステップＳ５０６で肯定判別された場合には、ステップＳ５０７に進み、上保留カウンタＮａを１インクメントする。
【０１９４】
続くステップＳ５０８では、大当たり乱数カウンタＣ１、モード決定カウンタＣ２、及び変動選択カウンタＣ３の各値を、第１特別変動保留エリアの空いている保留エリアのうち最初のエリアに格納する。ステップＳ５０８の後、本処理を終了する。
【０１９５】
次に、ステップＳ３０５のスルーゲート通過処理について図２６のフローチャートを参照して説明する。
【０１９６】
ステップＳ６０１では、遊技球がスルーゲート３４を通過したか否かをスルーゲートスイッチ２２５の検出情報により判別する。
【０１９７】
ステップＳ６０１で否定判別された場合、そのまま本処理を終了する。一方、ステップＳ６０１にて肯定判別された場合、すなわち、遊技球がスルーゲート３４を通過したと判別されると、ステップＳ６０２において、普通図柄表示装置４１にて行われる変動表示の保留数をカウントする普通保留カウンタＮｃの値が上限値（本実施形態では４）未満であるか否かを判別する。ここで否定判別された場合には、そのまま本処理を終了する。一方、ステップＳ６０２で肯定判別された場合、すなわち、スルーゲート３４への遊技球の通過が確認され、且つ、普通保留カウンタＮｃの値＜４であることを条件にステップＳ６０３に進み、普通保留カウンタＮｃを１インクリメントする。
【０１９８】
また、続くステップＳ６０４では、当否に関わる乱数を取得する。具体的には、上記ステップＳ３０３の乱数更新処理で更新した普通図柄乱数カウンタＣ４の値を、ＲＡＭ５０３の普通変動保留エリアの空き記憶エリアのうち最初のエリアに格納する。その後、スルーゲート通過処理を終了する。
【０１９９】
図２４は、ＮＭＩ割込み処理を示すフローチャートであり、本処理は、主制御装置２６１のＣＰＵ５０１により停電の発生等によるパチンコ機１０の電源断時に実行される。このＮＭＩ割込みにより、電源断時の主制御装置２６１の状態がＲＡＭ５０３のバックアップエリア５０３ａに記憶される。
【０２００】
すなわち、停電の発生等によりパチンコ機１０の電源が遮断されると、停電信号ＳＫ１が停電監視回路５４２から主制御装置２６１内のＣＰＵ５０１のＮＭＩ端子に出力される。すると、ＣＰＵ５０１は実行中の制御を中断してＮＭＩ割込み処理を開始し、ステップＳ４０１において、電源断の発生情報の設定として電源断の発生情報をＲＡＭ５０３のバックアップエリア５０３ａに記憶してＮＭＩ割込み処理を終了する。
【０２０１】
なお、上記のＮＭＩ割込み処理は払出制御装置３１１でも同様に実行され、かかるＮＭＩ割込みにより、電源断の発生情報がＲＡＭ５１３のバックアップエリア５１３ａに記憶される。すなわち、停電の発生等によりパチンコ機１０の電源が遮断されると、停電信号ＳＫ１が停電監視回路５４２から払出制御装置３１１内のＣＰＵ５１１のＮＭＩ端子に出力され、ＣＰＵ５１１は実行中の制御を中断して図２４のＮＭＩ割込み処理を開始する。その内容は上記説明の通りである。
【０２０２】
次に、主制御装置２６１内のＣＰＵ５０１により実行されるメイン処理の流れを図２１のフローチャートを参照しながら説明する。このメイン処理は電源投入時のリセットに伴い起動される。
【０２０３】
先ず、ステップＳ１０１では、電源投入に伴う初期設定処理を実行する。具体的には、スタックポインタに予め決められた所定値を設定すると共に、サブ側の制御装置（サブ制御装置２６２，払出制御装置３１１等）が動作可能な状態になるのを待つために例えば１秒程度、ウェイト処理を実行する。続くステップＳ１０２では、ＲＡＭアクセスを許可する。
【０２０４】
その後、ＣＰＵ５０１内のＲＡＭ５０３に関してデータバックアップの処理を実行する。つまり、ステップＳ１０３では、電源装置３１３に設けたＲＡＭ消去スイッチ３２３が押下（ＯＮ）されているか否かを判別し、押下されていれば、バックアップデータをクリア（消去）するべく、ステップＳ１１２へ移行する。一方、ＲＡＭ消去スイッチ３２３が押下されていなければ、続くステップＳ１０４で、ＲＡＭ５０３のバックアップエリア５０３ａに電源断の発生情報が設定されているか否かを判別する。ここで、設定されていなければ、バックアップデータは記憶されていないので、この場合もステップＳ１１２へ移行する。バックアップエリア５０３ａに電源断の発生情報が設定されていれば、ステップＳ１０５でＲＡＭ判定値を算出し、続くステップＳ１０６では、そのＲＡＭ判定値が電源断時に保存したＲＡＭ判定値と一致するか否か、すなわちバックアップの有効性を判別する。ここで算出したＲＡＭ判定値が電源断時に保存したＲＡＭ判定値と一致しなければ、バックアップされたデータは破壊されているので、この場合もステップＳ１１２へ移行する。
【０２０５】
ステップＳ１１２の処理では、サブ側の制御装置となるサブ制御装置２６２及び払出制御装置３１１等を初期化するために、初期化コマンドを送信する。その後、ＲＡＭの初期化処理（ステップＳ１１３等）に移行する。なお、ＲＡＭ判定値は、例えばＲＡＭ５０３の作業領域アドレスにおけるチェックサム値である。このＲＡＭ判定値に代えて、ＲＡＭ５０３の所定のエリアに書き込まれたキーワードが正しく保存されているか否かによりバックアップの有効性を判断することも可能である。
【０２０６】
上述したように、本パチンコ機１０では、例えばホールの営業開始時など、電源投入時に初期状態に戻したい場合にはＲＡＭ消去スイッチ３２３を押しながら電源が投入される。従って、ＲＡＭ消去スイッチ３２３がＯＮされていれば、ＲＡＭの初期化処理（ステップＳ１１３等）に移行する。また、電源断の発生情報が設定されていない場合や、ＲＡＭ判定値（チェックサム値等）によりバックアップの異常が確認された場合も同様にＲＡＭ５０３の初期化処理（ステップＳ１１３等）に移行する。つまり、ステップＳ１１３ではＲＡＭ５０３の使用領域を０にクリアし、続くステップＳ１１４ではＲＡＭ５０３の初期値を設定する。その後、ステップＳ１１１で割込み許可を設定し、後述する通常処理に移行する。
【０２０７】
一方、ＲＡＭ消去スイッチ３２３が押されていない場合（ステップＳ１０３：ＮＯ）には、電源断の発生情報が設定されていること、及びＲＡＭ判定値（チェックサム値等）が正常であることを条件に、復電時の処理（電源断復旧時の処理）を実行する。つまり、ステップＳ１０７では、電源断前のスタックポインタを復帰させ、ステップＳ１０８では、電源断の発生情報をクリアする。ステップＳ１０９では、サブ側の制御装置を電源断時の遊技状態に復帰させるコマンドを送信し、ステップＳ１１０では、使用レジスタをＲＡＭ５０３のバックアップエリア５０３ａから復帰させる。その後、ステップＳ１１１で割込み許可を設定し、後述する通常処理に移行する。
【０２０８】
次に、通常処理の流れを図２２のフローチャートを参照しながら説明する。この通常処理では遊技の主要な処理が実行される。その概要として、ステップＳ２０１〜Ｓ２１０の処理が４ｍｓｅｃ周期の定期処理として実行され、その残余時間でステップＳ２１１，ステップＳ２１２のカウンタ更新処理が実行される構成となっている。
【０２０９】
先ずステップＳ２０１では、前回の処理で更新された特別表示装置４３Ｌ、４３Ｒや始動入賞ユニット３３等の設定内容に基づいた制御信号を各装置に送信したり、コマンド等の出力データをサブ側の各制御装置に送信したりする外部出力処理を実行する。
【０２１０】
例えば、装飾図柄表示装置４２による装飾図柄の変動表示に際して、変動パターンコマンド、図柄コマンド等をサブ制御装置２６２に送信する。つまり、変動パターンコマンドや図柄コマンドは、第１及び第２特別表示装置４３Ｌ、４３Ｒにて行われる表示に合わせた表示演出を装飾図柄表示装置４２にて行わせるためにサブ制御装置２６２に出力されるコマンドであり、本実施形態における指令情報に相当する。従って、この外部出力処理の機能が本実施形態における指令情報出力手段を構成する。これに対し、変動パターンコマンド、図柄コマンド等を入力したサブ制御装置２６２は、かかる各種コマンドに基づいて、装飾図柄表示装置４２の変動態様を決定し、該変動態様を装飾図柄表示装置４２において表示（変動表示）するように表示制御装置４５に対し指示を出す。
【０２１１】
便宜上、ここで変動パターンコマンド等について説明する。変動パターンコマンドには、ノーマルリーチ、スーパーリーチ、プレミアムリーチといった装飾図柄の変動種別を特定する情報が含まれている。本実施形態では、例えば通常モード時には「ＦＦ１０」，「ＦＦ１１」，「ＦＦ１２」，「ＦＦ１３」，「ＦＦ１４」，「ＦＦ１５」，「ＦＦ１６」，「ＦＦ１７」のうちのいずれかが変動パターンコマンドとして設定される。また、確変モード時には、「ＦＤ１０」，「ＦＤ１１」，「ＦＤ１２」，「ＦＤ１３」，「ＦＤ１４」，「ＦＤ１５」，「ＦＤ１６」，「ＦＤ１７」が設定され、時間短縮モード時には、「ＦＥ１０」，「ＦＥ１１」，「ＦＥ１２」，「ＦＥ１３」，「ＦＥ１４」，「ＦＥ１５」，「ＦＥ１６」，「ＦＥ１７」が設定される。一方、サブ制御装置２６２には、これらの変動パターンコマンドと装飾図柄の変動種別との関係がテーブルで記憶されている。そして、サブ制御装置２６２は、変動パターンコマンドに対応する演出パターンを実行する。
【０２１２】
以下、装飾図柄の変動種別、及び、変動種別と変動パターンコマンドとの対応関係について説明する。
【０２１３】
ノーマルリーチは、装飾図柄の変動以外には特段の演出表示がされないリーチパターンである。そして、ノーマルリーチに対応する変動パターンコマンドには通常モード時には「ＦＦ１１」が設定され、確変モード時には「ＦＤ１１」が設定され、時間短縮モード時には「ＦＥ１１」が設定される。なお、本実施形態では、ノーマルリーチが導出される変動表示時間は通常モード時「２０秒」、確変モード時「８秒」、時間短縮モード時「１０秒」に設定されている。
【０２１４】
スーパーリーチは、装飾図柄の変動表示中（リーチ状態成立後）において、装飾図柄以外にも、装飾図柄表示装置４２にキャラクタ等が表示され、これにより遊技者に対し期待感を抱かせるリーチパターンである。本実施形態では、スーパーリーチには通常モード時で３０秒、４０秒、５０秒パターンの３種類（スーパーリーチＳＲ１，ＳＲ２，ＳＲ３）が用意されている。なお、確変モード時及び時間短縮モード時の変動表示時間は、上記ノーマルリーチ同様に通常モード時に比べ時間短縮されている。各リーチパターンに対応して、スーパーリーチＳＲ１ならば通常モード時「ＦＦ１２」、確変モード時「ＦＤ１２」、時間短縮モード時「ＦＥ１２」が変動パターンコマンドに設定される。スーパーリーチＳＲ２ならば通常モード時「ＦＦ１３」、確変モード時「ＦＤ１３」、時間短縮モード時「ＦＥ１３」が設定される。スーパーリーチＳＲ３ならば通常モード時「ＦＦ１４」、確変モード時「ＦＤ１４」、時間短縮モード時「ＦＥ１４」が設定される。
【０２１５】
プレミアムリーチは、大当たり状態が発生する際にのみ導出され得る演出態様であり、装飾図柄の変動表示中（リーチ状態成立後）において、装飾図柄以外に、スーパーリーチとは異なるパターンのキャラクタ等が表示される態様で行われ、これにより遊技者に対し期待感を抱かせるリーチパターンである。本実施形態のプレミアムリーチには通常モード時で６０秒、７０秒パターンの２種類（プレミアムリーチＰＲ１，ＰＲ２）が用意されている。なお、確変モード時及び時間短縮モード時の変動表示時間は、上記ノーマルリーチ同様に通常モード時に比べ時間短縮されている。各リーチパターンに対応して、プレミアムリーチＰＲ１ならば通常モード時「ＦＦ１５」、確変モード時「ＦＤ１５」、時間短縮モード時「ＦＥ１５」が変動パターンコマンドに設定される。プレミアムリーチＰＲ２ならば通常モード時「ＦＦ１６」、確変モード時「ＦＤ１６」、時間短縮モード時「ＦＥ１６」が設定される。
【０２１６】
また、いずれのリーチ状態にもならない「完全外れ」に対応する変動パターンコマンドには通常モード時「ＦＦ１０」、確変モード時「ＦＤ１０」、時間短縮モード時「ＦＥ１０」が変動パターンコマンドに設定される。本実施形態では、完全外れとなる変動表示時間は通常モード時で１０秒に設定されている。もちろん、確変モード時及び時間短縮モード時の変動表示時間は、上記ノーマルリーチ同様に通常モード時に比べ時間短縮されている。
【０２１７】
さらに、上記のように、本実施形態では、「特殊確変」となる場合には、装飾図柄表示装置４２にてリーチ状態が発生することなく、上・中・下図柄表示領域に「３」・「４」・「１」の図柄（チャンス図柄）が停止表示される。本実施形態では、「特殊確変」に対応する変動パターンコマンドには通常モード時「ＦＦ１７」、確変モード時「ＦＤ１７」、時間短縮モード時「ＦＥ１７」が変動パターンコマンドに設定される。
【０２１８】
また、サブ制御装置２６２は、図柄コマンドに基づき停止図柄（停止図柄の組合わせ）を決定して、変動時間経過後に表示する。図柄コマンドは、サブ制御装置２６２に停止図柄を決定させるコマンドであり、確変図柄の組合わせ、通常図柄の組合わせ、前後外れ図柄の組合わせ、前後外れ以外図柄の組合わせ、完全外れ図柄の組合わせ、チャンス図柄の組合わせという６つの区分を指定するものである。これらの区分は、例えば、「Ａ１」，「Ａ２」，「Ａ３」，「Ａ４」，「Ａ５」，「Ａ６」で示され、この内のいずれかが図柄コマンドとして設定される。一方、サブ制御装置２６２には、これらのコマンドと停止図柄との関係がテーブルで記憶されている。そして、サブ制御装置２６２は、図柄コマンドに対応する停止図柄を表示する。
【０２１９】
以下、停止図柄の区分及び、停止図柄と図柄コマンドとの対応関係について説明する。
【０２２０】
確変図柄の組合わせは、１，３，５，７，９の数字のゾロ目からなる図柄の組合わせであり、確変図柄の組合わせに対応する図柄コマンドには「Ａ１」が設定される。そして、サブ制御装置２６２は、図柄コマンドに確変図柄を示す「Ａ１」が設定されている場合、１，３，５，７，９の数字のゾロ目からなる図柄の組合わせのうちの一つを停止図柄として決定する。
【０２２１】
通常図柄の組合わせは、０，２，４，６，８の数字のゾロ目からなる図柄の組合わせであり、通常図柄の組合わせに対応する図柄コマンドには「Ａ２」が設定される。そして、サブ制御装置２６２は、図柄コマンドに通常図柄を示す「Ａ２」が設定されている場合、０，２，４，６，８の数字のゾロ目からなる図柄の組合わせのうちの一つを停止図柄として決定する。
【０２２２】
前後外れ図柄の組合わせは、リーチ発生した後、最終停止図柄がリーチ図柄の前後に１つだけずれて停止する「前後外れリーチ」に対応するものであり、前後外れ図柄の組合わせに対応する図柄コマンドには「Ａ３」が設定される。前後外れ以外図柄の組合わせは、リーチ発生した後、最終停止図柄がリーチ図柄の前後以外で停止する「前後外れ以外リーチ」に対応するものであり、前後外れ以外図柄の組合わせに対応する図柄コマンドには「Ａ４」が設定される。完全外れ図柄の組合わせは、リーチ発生しない「完全外れ」に対応するものであり、完全外れ図柄の組合わせに対応する図柄コマンドには「Ａ５」が設定される。また、チャンス図柄の組合わせに対応する図柄コマンドには「Ａ６」が設定される。ちなみに、チャンス図柄は１種類であり、本例では、各図柄表示領域にて停止表示される装飾図柄が上から「３」・「４」・「１」となっている。
【０２２３】
なお、詳しくは後述するが、図柄コマンドに「Ａ３」〜「Ａ５」が設定されている場合、サブ制御装置２６２は、対応するＲＡＭ５５３のカウンタ用バッファに格納されている図柄の組合わせを停止図柄として決定する。また、図柄コマンドに「Ａ６」が設定されている場合、サブ制御装置２６２は、装飾図柄の組合わせとしてチャンス図柄を選択する。尚、本実施形態では、外れ用の図柄コマンドに「Ａ３」〜「Ａ５」の３つのコマンドを用意しているが、これに限らず、例えば外れ用の図柄コマンドが１つだけの構成としてもよい。
【０２２４】
また、Ｓ２０１の外部出力処理では、外部端子板２４０への信号の出力処理についても行う。すなわち、主制御装置２６１の入出力ポート５０５と、外部端子板２４０が取付けられた中継基板４９１（のフォトカプラ４９７の入力側）とを電気的に接続する信号線は、２本１組で１０セットあり、各種契機に応じて主制御装置２６１から各種信号線、中継基板４９１、及び外部端子板２４０を介してホールコンピュータ等の外部機器に信号が出力される。
【０２２５】
例えば、大当たり状態中である場合（大当たりフラグがオンの場合）には、上下一対で１０組設けられる端子部材４０３（第１〜第１０端子部）のうち第１、第３、及び第４端子に対応する第１、第３、及び第４信号線に信号が出力される。大当たり状態に対応して信号が出力されることにより、遊技者やホール関係者に大当たりが発生したこと（大当たり中であること）を報知することができる。ちなみに、当該信号に基づいて、遊技ホールの島設備において、各パチンコ機１０の上方に設置されるデータカウンタ装置で、本日の通算の大当たり回数を表示することもできる。
【０２２６】
特別表示装置４３Ｌ、４３Ｒにおいて変動表示が停止表示された場合（第１表示制御処理（図２７参照）の停止表示設定や判別情報設定処理が行われた場合）には、第２端子に対応する第２信号線に信号が出力される。特別表示装置４３Ｌ、４３Ｒにおける変動停止に対応して信号が出力されることにより、遊技者やホール関係者に特別表示装置４３Ｌ、４３Ｒの変動表示が停止したこと、ひいては、変動表示が行われた回数を報知することができる。ちなみに、当該信号に基づいて、データカウンタ装置で、直前の大当たり状態が終了してから現在までの特別表示装置４３Ｌ、４３Ｒの通算変動回数を表示することもできる。また、本日の通算の変動回数を表示することもできる。
【０２２７】
時短モード中である場合（高確率状態フラグはオフであるが時間短縮状態フラグがオンの場合）には、第３端子に対応する第３信号線に信号が出力される。つまり、第３信号線には、大当たり中及び時短モード中に信号が出力される。時短モードに対応して信号が出力されることにより、ホール関係者に時短モード中であることを報知することができる。
【０２２８】
確変モード中である場合（高確率状態フラグがオンの場合）には、第４端子に対応する第４信号線に信号が出力される。つまり、第４信号線には、大当たり中及び確変モード中に信号が出力される。確変モードに対応して信号が出力されることにより、ホール関係者に確変モード中であることを報知することができる。また、データカウンタ装置において、確変大当たりした回数等を表示することもできる。
【０２２９】
上入賞口３３ａに遊技球が入球した場合には、第５端子に対応する第５信号線に信号が出力され、下入賞口３３ｂに遊技球が入球した場合には、第６端子に対応する第６信号線に信号が出力される。上入賞口３３ａ、下入賞口３３ｂへの入球に対応して信号が出力されることにより、ホール関係者に上入賞口３３ａ、下入賞口３３ｂへ入球があったことを報知することができる。これにより、上入賞口３３ａ及び下入賞口３３ｂへの入球がないのにもかかわらず、不正に大当たり状態が発生したこと等を把握することができる。また、かかる報知をカウントすることで、上入賞口３３ａ、下入賞口３３ｂへの通算の入球回数を把握することもできる。
【０２３０】
不正等の各種エラーを検知した場合（払出異常信号等を受信した場合）には、第７端子に対応する第７信号線に信号が出力される。エラーの発生に対応して信号が出力されることにより、遊技者やホール関係者にエラーが生じたことを報知することができる。従って、不正行為等の抑止、及び早期発見を図ることができる。
【０２３１】
賞球が払出された場合には、（例えば、賞球が１０個払出される毎に）第８端子に対応する第８信号線に信号が出力される。賞球の払出しに対応して信号を出力することにより、ホール関係者に賞球状態を報知することができる。例えば、賞球が行われたときの遊技状態を鑑み（外部端子板２４０を介して出力された信号に基づいて、大当たり状態中、時短モード中、確変モード中、通常モード中のいずれであるかを判断し）、必要以上に（不自然に）賞球が払出されている、すなわち、例えば、大当たり状態中ではないのにもかかわらず、多数の賞球が払出されている等の事態をホール関係者が把握することもでき、賞球の払出しに関する不正の抑止、及び早期発見を図ることができる。尚、貸球の払出しが行われた場合、（例えば、貸球が１０個貸し出される毎に）外部端子板２４０に信号を出力するように構成してもよい。
【０２３２】
内枠１２が開放されている場合には、第９端子に対応する第９信号線に信号が出力され、前面枠セット１４が開放されている場合には、第１０端子に対応する第１０信号線に信号が出力される。内枠１２、前面枠セット１４の開放に対応して信号が出力されることにより、ホール関係者に内枠１２及び前面枠セット１４が開放されていることを報知することができる。これにより、内枠１２及び前面枠セット１４の不正開放を抑止、及び早期発見することができる。尚、一般に、島設備には、各パチンコ機１０に対応して、ホールコンピュータに電気的に接続された赤外線センサ等が設けられており、ホール関係者が赤外線センサ等を介してホールコンピュータに信号を送った上で、内枠１２や前面枠セット１４を開放することで、ホール関係者が内枠１２や前面枠セット１４を開放したことを把握することができるようになっている。
【０２３３】
尚、外部端子板２４０に出力される信号が示す情報の内容や数等は特に限定されるものではなく、例えば、パチンコ機１０の機種等によって、上記した各種信号の中で外部端子板２４０に出力される設定のないものがあってもよいし、上記各種信号或いはそのいずれかに加えて又は代えて、その他の情報を示す信号が外部端子板２４０に出力されるように構成してもよい。
【０２３４】
図２２の説明に戻り、ステップＳ２０２では、変動種別カウンタＣＳ１，ＣＳ２の更新を実行する。より具体的には、他のカウンタと同様に、変動種別カウンタＣＳ１，ＣＳ２を１インクリメントすると共に、それらのカウンタ値が上限値（本実施形態では１９８，２４０）に達した際、それぞれ０にクリアする。そして、変動種別カウンタＣＳ１，ＣＳ２の更新値を、ＲＡＭ５０３の該当するバッファ領域に格納する。
【０２３５】
続くステップＳ２０３では、払出制御装置３１１より受信した賞球計数信号を読み込む。尚、当該ステップＳ２０３において、各種入賞スイッチに基づいて払出制御装置３１１に出力した払出コマンドと、払出制御装置３１１から受信した賞球計数信号との内容が一致するか否かを判別し、一致しない場合には、払出しエラーの設定を行い、当該エラーの設定に基づいて、通常処理の外部出力処理に際して、外部端子板２４０に信号が出力されたり、エラー表示ランプ１０４が点灯されたりすることとしてもよい。
【０２３６】
次に、ステップＳ２０４では、払出制御装置３１１より受信した払出異常（エラー）信号を読み込む。尚、当該ステップＳ２０４において、その他の異常（エラー）信号（例えば、不正な電波や磁力を検知したことを示す信号）を読み込んだり、内枠１２や前面枠セット１４が開放されていることを示す信号を読み込んだりすることとしてもよい。
【０２３７】
その後、ステップＳ２０５では、第１表示制御処理を実行する。この処理では、第１及び第２特別表示装置４３Ｌ、４３Ｒにおいてどのような制御を行うか当該特別表示装置４３Ｌ、４３Ｒの制御内容の設定が行われると共に、大当たり判定や装飾図柄表示装置４２における装飾図柄の変動パターン（演出パターン）の設定などが行われる。この第１表示制御処理の詳細は後述する。
【０２３８】
ステップＳ２０６では、可変入賞装置制御処理を実行する。この処理では、可変入賞装置３２においてどのような制御を行うか当該可変入賞装置３２の制御内容の設定が行われる。これにより、大当たり状態（特別遊技状態）となった場合には、可変入賞装置３２の大入賞口の開閉処理が所定ラウンド数繰り返し実行される。可変入賞装置制御処理の詳細は後述する。
【０２３９】
ステップＳ２０７では、第２表示制御処理を実行する。この処理では、普通図柄表示装置４１おいてどのような制御を行うか当該普通図柄表示装置４１の制御内容の設定などが行われる。この第２表示制御処理の詳細は後述する。
【０２４０】
ステップＳ２０８では、契機対応ユニット制御処理を実行する。この処理では、始動入賞ユニット３３においてどのような制御を行うか当該始動入賞ユニット３３の制御内容の設定が行われる。
【０２４１】
その後は、ステップＳ２０９において、ＲＡＭ５０３のバックアップエリア５０３ａに電源断の発生情報が設定されているか否かを判別する。ここでバックアップエリア５０３ａに電源断の発生情報が設定されていなければ、ステップＳ２１０で、次の通常処理の実行タイミングに至ったか否か、すなわち前回の通常処理の開始から所定時間（本実施の形態では４ｍｓｅｃ）が経過したか否かを判別する。そして、既に所定時間が経過していれば、ステップＳ２０１へ移行し、上記ステップＳ２０１以降の処理を繰り返し実行する。
【０２４２】
一方、前回の通常処理の開始から未だに所定時間が経過していなければ、次の通常処理の実行タイミングに至るまでの残余時間内において、乱数初期値カウンタＣＩＮＩ及び変動種別カウンタＣＳ１，ＣＳ２の更新を繰り返し実行する（ステップＳ２１１，ステップＳ２１２）。
【０２４３】
つまり、ステップＳ２１１では、乱数初期値カウンタＣＩＮＩの更新を実行する。具体的には、乱数初期値カウンタＣＩＮＩを１インクリメントすると共に、そのカウンタ値が最大値（本例では５９９）に達した際０にクリアする。
【０２４４】
また、ステップＳ２１２では、変動種別カウンタＣＳ１，ＣＳ２の更新を実行する（前記ステップＳ２０２と同様）。具体的には、変動種別カウンタＣＳ１，ＣＳ２を１インクリメントすると共に、それらのカウンタ値が最大値（本例では１９８，２４０）に達した際それぞれ０にクリアする。そして、変動種別カウンタＣＳ１，ＣＳ２の変更値を、ＲＡＭ５０３の該当するバッファ領域に格納する。
【０２４５】
ここで、ステップＳ２０１〜Ｓ２０９の各処理の実行時間は遊技の状態に応じて変化するため、次の通常処理の実行タイミングに至るまでの残余時間は一定ではなく変動する。故に、かかる残余時間を使用して乱数初期値カウンタＣＩＮＩの更新を繰り返し実行することにより、乱数初期値カウンタＣＩＮＩ（すなわち大当たり乱数カウンタＣ１の初期値）をランダムに更新することができ、同様に変動種別カウンタＣＳ１，ＣＳ２についてもランダムに更新することができる。
【０２４６】
さて、ＲＡＭ５０３のバックアップエリア５０３ａに電源断の発生情報が設定されていれば（ステップＳ２０９：ＹＥＳ）、電源が遮断されたことになるので、電源断時の停電処理としてステップＳ２１３以降の処理が行われる。停電処理は、まずステップＳ２１３において各割込み処理の発生を禁止し、ステップＳ２１４において、ＣＰＵ５０１が使用している各レジスタの内容をスタックエリアに退避し、ステップＳ２１５において、スタックポインタの値をバックアップエリア５０３ａに記憶する。その後、ステップＳ２１６において、電源が遮断されたことを示す電源断通知コマンドを他の制御装置（払出制御装置３１１等）に対して送信する。そして、ステップＳ２１７でＲＡＭ判定値を算出し、バックアップエリア５０３ａに保存する。ＲＡＭ判定値は、例えば、ＲＡＭ５０３の作業領域アドレスにおけるチェックサム値である。その後、ステップＳ２１８でＲＡＭアクセスを禁止して、電源が完全に遮断して処理が実行できなくなるまで無限ループを継続する。
【０２４７】
なお、ステップＳ２０９の処理は、ステップＳ２０１〜Ｓ２０８で行われる遊技の状態変化に対応した一連の処理の終了時、又は、残余時間内に行われるステップＳ２１１，Ｓ２１２の処理の１サイクルの終了時となるタイミングで実行されている。よって、主制御装置２６１の通常処理において、各処理の終了時に電源断の発生情報を確認しているので、各処理が途中の場合と比較してＲＡＭ５０３のバックアップエリア５０３ａに記憶するデータ量が少なくなり、容易に記憶することができる。また、電源遮断前の状態に復帰する場合には、バックアップエリア５０３ａに記憶されているデータ量が少ないので、容易に復帰させることができ、主制御装置２６１の処理の負担を軽減することができる。さらに、データの記憶前に割込み処理の発生を禁止（ステップＳ２１３）するので、電源が遮断されたときのデータが変更されることを防止でき、電源遮断前の状態を確実に記憶することができる。
【０２４８】
次に、前記ステップＳ２０５の第１表示制御処理について図２７のフローチャートを参照して説明する。
【０２４９】
図２７において、ステップＳ８０１では、詳しくは後述する大当たりフラグを参照し、今現在、大当たり中であるか否かを判別する。尚、大当たり中には、大当たり状態（特別遊技状態）の最中と大当たり状態終了後の所定時間（ここで言う大当たり状態終了後の所定時間とは、大当たり状態終了後、通常遊技（特別表示装置４３Ｌ、４３Ｒにおける変動表示）が開始されるまでの時間であり、一般にこの時間帯は、装飾図柄表示装置４２にて大当たり状態の終了や大当たり後に付与されるモードを示す表示が行われる）とが含まれる。また、特別表示装置４３Ｌ、４３Ｒ、及び装飾図柄表示装置４２にて変動表示が大当たりに対応する態様にて停止表示されてから可変入賞装置３２（大入賞口）が開放されるまでの間の期間（一般にこの時間帯は装飾図柄表示装置４２にて大当たり状態の開始を示す表示が行われる）についても大当たり中に含まれる。
【０２５０】
ステップＳ８０１で肯定判別された場合、すなわち大当たり中である場合には、そのまま本処理を終了する、一方、ステップＳ８０１で否定判別された場合には、ステップＳ８０２において、詳しくは後述する第１表示中フラグの設定状況を見て、第１又は第２特別表示装置４３Ｌ、４３Ｒ（装飾図柄表示装置４２）にて変動表示中であるか否かを判別する。詳しくは、第１表示中フラグが設定されている場合（オン状態の場合）には変動表示中とみなされ、第１表示中フラグが解除されている場合（オフ状態の場合）には、変動表示が停止した状態にあたる停止表示中であるとみなされる。尚、詳しくは後述するが、第１表示中フラグは、第１及び第２特別表示装置４３Ｌ、４３Ｒの変動表示を開始する際（ステップＳ９１７参照）にオンにされ、第１及び第２特別表示装置４３Ｌ、４３Ｒの変動表示が停止表示される際（ステップＳ８１１参照）にオフにされる。
【０２５１】
そして、ステップＳ８０２で否定判別された場合、すなわち、大当たり中でなくさらに変動表示中でもない場合には、ステップＳ８０３に進み、下入賞口３３ｂへの入球を契機とする変動表示（第２変動表示）の保留数をカウントする下保留カウンタＮｂの値が０よりも大きいか否かを判別する。
【０２５２】
ステップＳ８０３で肯定判別された場合、すなわち、第２変動表示が１つでも保留記憶されている場合には、ステップＳ８０４において、下保留カウンタＮｂから１を減算する。尚、本実施形態では、ステップＳ８０３の判別処理により、第２変動表示が保留記憶されている場合には、第１変動表示を実行することなく第２変動表示を実行することとなる。つまり、第２変動表示よりも第１変動表示の方が早くに保留記憶された場合であっても、第２変動表示を優先して消化する（第１変動表示を後回しにする）構成となっている。
【０２５３】
続くステップＳ８０５では、第２特別変動保留エリアに格納された変動情報（データ）をシフトさせる処理を実行する。このデータシフト処理は、第２特別変動保留エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。ステップＳ８０５の後、ステップＳ８０６において、変動特定ランプ４０を赤色に発光させる処理を行うとともに、ステップＳ８０７において、実行エリアにシフトされた変動情報（変動表示の内容を決定するために使用される情報）が下入賞口３３ｂに対応するものであるか否かを示す下変動フラグをオンにしてから、ステップＳ８０８に移行する。
【０２５４】
また、ステップＳ８０３で否定判定された場合、すなわち、第２変動表示が１つも保留記憶されていない場合には、ステップＳ８０９において、上入賞口３３ａへの入球を契機とする変動表示（第１変動表示）の保留数をカウントする上保留カウンタＮａが０よりも大きいか否かを判別する。当該ステップＳ８０９で否定判別された場合には、そのまま本処理を終了する。
【０２５５】
一方、ステップＳ８０９で肯定判別された場合には、ステップＳ８１０において、上保留カウンタＮａから１を減算する。続くステップＳ８１１では、第１特別変動保留エリアに格納されたデータをシフトさせる処理を実行する。このデータシフト処理は、第１特別変動保留エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。ステップＳ８１１の後、ステップＳ８１２において、変動特定ランプ４０を青色に発光させる処理を行うとともに、ステップＳ８１３において、実行エリアにシフトされた変動情報が下入賞口３３ｂに対応するものであるか否かを示す下変動フラグをオフにしてから、ステップＳ８０８に移行する。尚、本実施形態では、特別変動保留エリアの実行エリアは１つであり、第１特別変動保留エリア及び第２特別変動保留エリアに格納されている変動情報（データ）は、当該データに基づく変動表示を行う際に、共通の実行エリアにシフトされることとなる。
【０２５６】
ステップＳ８０８では変動表示設定処理が行われる。ここで、変動表示設定処理の詳細について、図２８を参照して説明する。
【０２５７】
先ず、ステップＳ９０１では、詳しくは後述する高確率状態フラグがオンであるか否かを判別し、高確率状態であるか否かを判別する。当該ステップＳ９０１で肯定判別された場合、すなわち高確率状態である場合には、ステップＳ９０２において、特別変動保留エリアの実行エリアに記憶された大当たり乱数カウンタＣ１の値が、大当たりに対応する値（当否判定テーブルのアドレス番号「１」及び「２」に対応して記憶された値）「７〜１６、３０７〜３１６」のいずれかであるか否かを判別する。
【０２５８】
当該ステップＳ９０２で肯定判別された場合、すなわち、高確率状態において当否抽選に当選した（大当たり状態が発生する）と判別された場合には、ステップＳ９０３に移行し、特別変動保留エリアの実行エリアに記憶されたモード決定カウンタＣ２の値が、「通常大当たり」に対応する値（モード種別判定テーブルのアドレス番号「３」に対応して記憶された値）「１３〜１９」のいずれかと一致するか否かを判別する。
【０２５９】
ステップＳ９０３で肯定判別された場合、すなわち「通常大当たり」である場合には、ステップＳ９０４にて通常大当たり変動パターンを決定し、変動パターンコマンドに設定する。その後、ステップＳ９０５にて通常図柄（本実施形態では「Ａ２」）を図柄コマンドに設定して、ステップＳ９２１へ移行する。
【０２６０】
ステップＳ９０３で否定判別された場合、ステップＳ９０６に進み、実行エリアにシフトされた変動情報が下入賞口３３ｂへの入球に対応するものであるか否かを示す下変動フラグがオンされているか否かを判別する。当該ステップＳ９０６で肯定判別された場合、すなわち、モード決定カウンタＣ２の値「０〜１９」のうち、「通常大当たり」に対応する値「１３〜１９」を除いた値「０〜１２」がいずれも「確変大当たり」に対応する場合には、ステップＳ９０７にて確変大当たり変動パターンを決定し、変動パターンコマンドに設定する。その後、ステップＳ９０８にて確変図柄（本実施形態では「Ａ１」）を図柄コマンドに設定して、ステップＳ９２１へ移行する。
【０２６１】
尚、ステップＳ９０４，ステップＳ９０７では、ＲＡＭ５０３のカウンタ用バッファに格納されている変動種別カウンタＣＳ１，ＣＳ２の値を確認し、第１及び第２変動種別カウンタＣＳ１、ＣＳ２の値に基づいて装飾図柄の図柄変動態様を決定する。なお、第１変動種別カウンタＣＳ１の数値とリーチパターン（変動種別）との関係、第２変動種別カウンタＣＳ２の数値と変動時間との関係は、遊技モード毎にテーブル等により予め規定されている。
【０２６２】
ここで、当たり時の第１変動種別カウンタＣＳ１及び第２変動種別カウンタＣＳ２の数値と変動種別との対応関係について説明する。例えば通常モード中の大当たり時においては、図３０（ａ）に示すような通常モード中大当たり時テーブルによって前記対応関係が規定されている。すなわち、ＣＳ１＝０〜９のときは、ＣＳ２の値に関わらず、変動パターンコマンドに「ＦＦ１１」（ノーマルリーチ）が設定される。ＣＳ１＝１０〜１９６かつＣＳ２＝０〜６９のときは、変動パターンコマンドに「ＦＦ１２」（スーパーリーチＳＲ１）が設定される。ＣＳ１＝１０〜１９６かつＣＳ２＝７０〜１４９のときは、変動パターンコマンドに「ＦＦ１３」（スーパーリーチＳＲ２）が設定される。ＣＳ１＝１０〜１９６かつＣＳ２＝１５０〜２４０のときは、変動パターンコマンドに「ＦＦ１４」（スーパーリーチＳＲ３）が設定される。ＣＳ１＝１９７，１９８かつＣＳ２＝０〜１２０のときは、変動パターンコマンドに「ＦＦ１５」（プレミアムリーチＰＲ１）が設定される。ＣＳ１＝１９７，１９８かつＣＳ２＝１２１〜２４０のときは、変動パターンコマンドに「ＦＦ１６」（プレミアムリーチＰＲ２）が設定される。
【０２６３】
また、ステップＳ９０６で否定判別された場合、すなわち、実行エリアにシフトされた変動情報が上入賞口３３ａへの入球に対応するものである場合には、ステップＳ９０９において、実行エリアに記憶されたモード決定カウンタＣ２の値が「特殊確変」に対応する値（モード種別判定テーブルのアドレス番号「２」に対応して記憶された値）「９〜１２」のいずれかと一致するか否かを判別する。当該ステップＳ９０９で否定判別された場合、すなわち「確変大当たり」である場合には、上記ステップＳ９０７に移行する。
【０２６４】
一方、ステップＳ９０９で肯定判別された場合、すなわち「特殊確変」である場合には、ステップＳ９１０にて特殊確変変動パターンを決定し、変動パターンコマンドに設定する。その後、ステップＳ９１１にてチャンス図柄（本実施形態では「Ａ６」）を図柄コマンドに設定して、ステップＳ９２１へ移行する。尚、上記のように、「特殊確変」に対応する変動パターンコマンドには、遊技状態に応じて、通常モード時「ＦＦ１７」、確変モード時「ＦＤ１７」、時間短縮モード時「ＦＥ１７」が設定される。
【０２６５】
また、ステップＳ９０１で否定判別された場合、すなわち低確率状態である場合には、ステップＳ９１２において、特別変動保留エリアの実行エリアに記憶された大当たり乱数カウンタＣ１の値が、大当たりに対応する値（当否判定テーブルのアドレス番号「１」に対応して記憶された値）「７」、「３０７」のどちらかと一致するか否かを判別する。ステップＳ９１２で肯定判別された場合、すなわち、低確率状態において当否抽選に当選した（大当たり状態が発生する）と判別された場合には、上記ステップＳ９０３に移行し、各種大当たり状態を発生させるための処理を行う。一方、ステップＳ９１２で否定判別された場合には、ステップＳ９１３に移行する。
【０２６６】
ステップＳ９０２又はステップＳ９１２で否定判別された場合、すなわち、大当たり状態が発生しない（「外れ」である）と判別された場合には、ステップＳ９１３において、リーチ判定テーブルを参酌し、実行エリアに記憶された変動選択カウンタＣ３の値が、「前後外れリーチ」に対応する値「０、１」のどちらかと一致するか否かを判別する。ステップＳ９１３で肯定判別された場合、すなわち、「前後外れリーチ」である場合には、ステップＳ９１４にて前後リーチ変動パターンを決定し、変動パターンコマンドに設定する。その後、ステップＳ９１５にて前後外れ図柄を図柄コマンドに設定して、ステップＳ９２１へ移行する。
【０２６７】
一方、ステップＳ９１２で否定判別された場合には、ステップＳ９１６において、リーチ判定テーブルを参酌し、実行エリアに記憶された変動選択カウンタＣ３の値が、「前後外れ以外リーチ」に対応する値「２〜２１」のいずれかと一致するか否かを判別する。当該ステップＳ９１６で肯定判別された場合、すなわち、「前後外れ以外リーチ」である場合には、ステップＳ９１７にて前後外れ以外リーチ変動パターンを決定し、変動パターンコマンドに設定する。その後、ステップＳ９１８にて前後外れ以外図柄を図柄コマンドに設定して、ステップＳ９２１へ移行する。
【０２６８】
また、ステップＳ９１６で否定判別された場合、すなわち「完全外れ」である場合には、ステップＳ９１９にて外れ変動パターンを決定し、変動パターンコマンドに設定する。その後、ステップＳ９２０にて完全外れ図柄を図柄コマンドに設定して、ステップＳ９２１へ移行する。
【０２６９】
尚、上記ステップＳ９１４，ステップＳ９１７，ステップＳ９１９で外れ時の変動パターンを決定する際、ＲＡＭ５０３のカウンタ用バッファに格納されている変動種別カウンタＣＳ１，ＣＳ２の値に基づいて変動パターンが決定されるのは前記ステップＳ９０４やステップＳ９０７等と同様である。
【０２７０】
ここで、リーチ状態が発生する外れ時の第１変動種別カウンタＣＳ１の数値と変動種別との対応関係について説明する。例えば通常モード中の前後外れリーチ時においては、図３０（ｂ）に示すような通常モード中前後外れリーチ時テーブルによって前記対応関係が規定されている。すなわち、ＣＳ１＝０〜９のときは、ＣＳ２の値に関わらず、変動パターンコマンドに「ＦＦ１１」（ノーマルリーチ）が設定される。ＣＳ１＝１０〜１９８かつＣＳ２＝０〜９０のときは、変動パターンコマンドに「ＦＦ１２」（スーパーリーチＳＲ１）が設定される。ＣＳ１＝１０〜１９８かつＣＳ２＝９１〜１７０のときは、変動パターンコマンドに「ＦＦ１３」（スーパーリーチＳＲ２）が設定される。ＣＳ１＝１０〜１９８かつＣＳ２＝１７１〜２４０のときは、変動パターンコマンドに「ＦＦ１４」（スーパーリーチＳＲ３）が設定される。また、前後外れ以外リーチ時（Ｃ３＝２〜２１）においては、変動種別カウンタＣＳ１，ＣＳ２の値にかかわらずノーマルリーチとなり、変動パターンコマンドに「ＦＦ１１」が設定される。また、完全外れ時（Ｃ３＝２２〜２３８）においては、変動種別カウンタＣＳ１，ＣＳ２の値にかかわらず、変動パターンコマンドに「ＦＦ１０」が設定される。
【０２７１】
また、ステップＳ９１５，ステップＳ９１８，ステップＳ９２０における図柄コマンドが外れの図柄の組合わせの所定区分を指示するものであることも、上記ステップＳ９０５、ステップＳ９０８等と同様である。具体的には、前後外れ図柄の組合わせを示す「Ａ３」が図柄コマンドに設定されると、当該図柄コマンドを受信したサブ制御装置２６２は、ＲＡＭ５５３の前後外れリーチ図柄バッファに格納されている前後外れリーチに対応する図柄の組合わせを停止図柄として決定する。前後外れ以外図柄の組合わせを示す「Ａ４」が図柄コマンドに設定されると、ＲＡＭ５５３の前後外れ以外リーチ図柄バッファに格納されている前後外れ以外リーチに対応する図柄の組合わせを、サブ制御装置２６２が停止図柄として決定する。完全外れ図柄の組合わせを示す「Ａ５」が図柄コマンドに設定されると、ＲＡＭ５５３の完全外れ図柄バッファに格納されている完全外れに対応する図柄の組合わせを、サブ制御装置２６２が停止図柄として決定する。
【０２７２】
さて、ステップＳ９２１では、特別表示装置４３Ｌ、４３Ｒにおいて切替表示（変動表示）を行う条件が成立したことを示す開始設定処理を行う。この開始設定処理では、特別表示装置４３Ｌ、４３Ｒにて変動表示中であるか否かを示す第１表示中フラグがオンにされるとともに、第１表示タイマの設定処理が行われる。第１表示タイマとは、特別表示装置４３Ｌ、４３Ｒにおける変動時間（変動表示の残余時間）を計測する手段であり、変動表示開始から所定時間が経過したか否かを判別する際に参酌される。なお、本実施形態における特別表示装置４３Ｌ、４３Ｒの変動表示時間は、上記変動種別カウンタＣＳ１，ＣＳ２により選出される装飾図柄の変動パターンに対応した値が設定される。このような第１表示タイマの設定に基づき、次回の通常処理の外部出力処理において、特別表示装置４３Ｌ、４３Ｒに対し切替表示（変動表示）を開始する旨の制御信号が出力された場合には、特別表示装置４３Ｌ、４３Ｒにおいて切替表示（変動表示）が開始される。特別表示装置４３Ｌ、４３Ｒは上述したような７セグメント表示装置であり、表示されている文字が「−」であれば「７」、「７」であれば「３」、「３」であれば「２」、「２」であれば「−」へ（第２特別表示装置４２Ｒに関しては「２」が表示されることはなく、表示されている文字が「３」であれば「−」へ）切替表示を行う。そして、ステップＳ９２１の終了後、変動表示設定処理を終了する。
【０２７３】
図２７の説明に戻り、ステップＳ８０２で肯定判別された場合、すなわち変動表示中である場合には、ステップＳ８１４に進み、第１表示タイマ減算処理を行う。この処理が１回行われる毎に第１表示タイマの値が４ｍｓｅｃずつ減算されていく。例えば変動時間が１０秒（１００００ｍｓｅｃ）の場合には、第１表示タイマに対して「２５００」が設定され、４ｍｓｅｃ毎に１減算される。
【０２７４】
続いてステップＳ８１５に進み、上記減算後の第１表示タイマの値を参酌して所定の変動時間が経過したか否かを判別する。このとき、所定の変動時間が経過した時すなわち第１表示タイマの値が「０」となった時にステップＳ８１５が肯定判別される。
【０２７５】
ステップＳ８１５で否定判別された場合には、ステップＳ８１９において、特別表示装置４３Ｌ、４３Ｒの切替表示（変動表示）を継続して行うための切替表示設定を行い、本処理を終了する。尚、切替表示設定の設定内容に基づき、次回の通常処理における外部出力処理において、特別表示装置４３Ｌ、４３Ｒに対し切替表示を行う旨の制御信号が出力される。具体的には、現在表示されている文字が「−」であれば「７」、「７」であれば「３」、「３」であれば「２」、「２」であれば「−」（第２特別表示装置４３Ｒに関しては「３」であれば「−」）への切替えを行うよう設定する。これによって、第１表示制御処理のタイミング、すなわち４ｍｓ毎に特別表示装置４３Ｌ、４３Ｒの切替表示（変動表示）が実現される。
【０２７６】
一方、ステップＳ８１５で肯定判別された場合には、ステップＳ８１６において第１表示中フラグを解除（オフ）し、ステップＳ８１７において特別表示装置４３Ｌ、４３Ｒにて停止表示を行うための停止表示設定を行う。この停止表示設定の設定内容に基づき、次回の通常処理における外部出力処理において、特別表示装置４３Ｌ、４２Ｒに対し停止表示を行う旨の制御信号が出力される。すなわち、確変モードへの移行を伴う確変大当たりである場合には「７」を停止表示（例えば数秒間だけ点灯）させ、時間短縮モードへの移行を伴う通常大当たりである場合には「３」を停止表示させ、確変モードへの移行を伴う特殊確変である場合には「２」を停止表示させ、外れである場合には「−」を停止表示させる。繰り返しとなるが、このような特別表示装置４３Ｌ、４３Ｒによる停止表示が主となる表示であり、装飾図柄表示装置４２による装飾図柄の表示はあくまでも補助的なものとなっている。
【０２７７】
続いて、ステップＳ８１８において判別情報設定処理を行った後、本処理を終了する。ここで、判別情報設定処理について、図２９を参照して説明する。
【０２７８】
先ず、ステップＳ１００１において、特別変動保留エリアの実行エリアに記憶されている大当たり乱数カウンタＣ１に基づいて、停止表示が大当たりに対応するか否かを判別する。ここで、大当たりに対応する場合には、ステップＳ１００２へ移行し、大当たり設定を行う。具体的には、大当たりフラグ、第１可変フラグ、第１可変タイマ、ラウンド数カウンタ、及び入賞カウンタ等の設定処理を行う。そして、ステップＳ１００２の終了後、判別情報設定処理を終了する。
【０２７９】
大当たりフラグとは、特別遊技状態としての大当たり状態か否かを判別するための状態判別情報であり、ここでは大当たり状態の発生を示す「１」がフラグ値として設定される（オンされる）。大当たりフラグの値は、大当たり乱数カウンタＣ１の値に基づき決定される。
【０２８０】
第１可変フラグとは、可変入賞装置３２（大入賞口）が開状態中であるか否かを判別するための判別情報である。
【０２８１】
第１可変タイマとは、可変入賞装置３２の開放時間等を計測する手段であり、開放開始から規定時間が経過したか否かを判別する際等に参酌される。本例では、第１可変タイマに対して「７５００」が値として設定される。これにより、1ラウンドあたりの最大開放時間（可変入賞装置３２が開状態とされる最長時間）が３０秒となる。
【０２８２】
ラウンド数カウンタとは、大当たり状態中に実行されるラウンドの回数（特賞状態発生回数、つまり可変入賞装置３２の開閉処理の実行回数）を判別するための判別情報であり、本処理では１５ラウンドを示す「１５」が値として設定される。
【０２８３】
入賞カウンタとは、可変入賞装置３２に入球した遊技球の数をカウントする手段であり、本処理では、1ラウンドあたりの最大入球個数を示す「８」が値として設定される。尚、タイマ割込み処理のスイッチ読み込み処理（図２３参照）に際して、可変入賞装置３２への入球があったか否かをカウントスイッチ２２３の検出情報により判別し、可変入賞装置３２への入球があったと判別されると、入賞カウンタの値が１減算される。
【０２８４】
尚、本実施形態では、「確変大当たり」、「通常大当たり」の場合には、上記のように、ラウンド数カウンタに「１５」、第１可変タイマに「７５００」、入賞カウンタに「８」が設定されるが、「特殊確変」の場合には、ラウンド数カウンタに「２」、第１可変タイマに「１００」、入賞カウンタに「８」が設定される。
【０２８５】
さて、ステップＳ１００１において、大当たりに対応しない、すなわち外れであると判別された場合には、ステップＳ１００３へ移行する。
【０２８６】
ステップＳ１００３では、変動回数カウンタの設定の有無を判別する。変動回数カウンタとは、時間短縮状態の継続期間（変動表示何回分か）を計測するための手段であり、後述するように通常大当たり終了後にカウンタ値として「１００」が設定される。
【０２８７】
ここで、変動回数カウンタのカウンタ値が「０」の場合には、そのまま本処理を終了する。一方、変動回数カウンタが設定されている場合（カウンタ値が「０」以外の場合）には、時間短縮状態の設定中とみなし、ステップＳ１００４において、変動回数カウンタの値を１減算する処理を行い、ステップＳ１００５へ移行する。
【０２８８】
ステップＳ１００５では、変動回数カウンタのカウンタ値が「０」か否かを判別する。つまり、今回の変動表示が、通常大当たりの終了後（時間短縮状態の付与後）、１００回目の変動表示であったか否かを判別する。ここで、変動回数カウンタの値が「０」であれば、ステップＳ１００６において後述する高入球状態フラグをオフする処理を行い、ステップＳ１００７において後述する時間短縮状態フラグをオフする処理を行い、本処理を終了する。
【０２８９】
一方、ステップＳ１００５で、変動回数カウンタのカウンタ値が「０」でないと判別された場合には、そのまま本処理を終了する。
【０２９０】
次に、上記ステップＳ２０６の可変入賞装置制御処理について図３１のフローチャートを参照して説明する。
【０２９１】
まず、ステップＳ１２０１において大当たりフラグがオンであるか否かを判別する。ここで否定判別された場合にはそのまま本処理を終了する。
【０２９２】
ステップＳ１２０１で肯定判別された場合、ステップＳ１２０２において、第１可変タイマのカウント値を１減算する。続くステップＳ１２０３では、第１可変フラグがオンであるか否かを判別する。
【０２９３】
ステップＳ１２０３で肯定判別された場合、すなわち、可変入賞装置３２が開状態である場合には、ステップＳ１２０４に進み、第１可変タイマのカウント値が「０」であるか否か、すなわち、１ラウンドあたりの可変入賞装置３２の開放時間が残されているか否かを判別する。
【０２９４】
ステップＳ１２０４にて否定判別された場合には、ステップＳ１２０５に進み、入賞カウンタの値が「０」であるか否か、すなわち、可変入賞装置３２へ入賞した遊技球の球数が１ラウンドあたりの規定個数（本例では８個）に達したか否かを判別する。ステップＳ１２０４にて否定判別された場合、すなわち、可変入賞装置３２を閉状態とするタイミング（ラウンド終了のタイミング）が未だ到来していない場合には、そのまま本処理を終了する。
【０２９５】
一方、ステップＳ１２０４又はステップＳ１２０５にて肯定判別された場合には、ステップＳ１２０６に進み、ラウンド数カウンタのカウンタ値が「０」であるか否か、すなわち、ラウンド数（可変入賞装置３２の開放回数）が規定回数に達したか否かを判別する。
【０２９６】
ステップＳ１２０６で肯定判別された場合には、ステップＳ１２０７において終了設定処理を行い、本処理を終了する。ステップＳ１２０７の終了設定処理では、第１可変フラグ及び大当たりフラグをオフするとともに、高確率状態フラグの設定処理、時間短縮状態フラグの設定処理、高入球状態フラグの設定処理、変動回数カウンタの設定処理などが行われる。
【０２９７】
高確率状態フラグとは、遊技モードが高確率状態か否かを判別するための状態判別情報であり、前記高確率状態フラグの設定処理では、特別変動保留球格納エリアの実行エリアに格納されているモード決定カウンタＣ２の値に基づいて、フラグ値の切換設定が行われる。これにより、大当たり終了後に高確率モードが設定される場合（確変大当たり）には、高確率状態の発生を示す「１」がフラグ値として設定され、時間短縮モードが設定される場合（通常大当たり）には、低確率状態の発生を示す「０」がフラグ値として設定される。
【０２９８】
時間短縮状態フラグとは、遊技モードが時間短縮状態か否かを判別するための状態判別情報であり、前記時間短縮状態フラグの設定処理では、時間短縮状態を発生させる旨を示す「１」がフラグ値として設定される。
【０２９９】
高入球状態フラグとは、遊技モードが高入球状態か否かを判別するための状態判別情報であり、前記高入球状態フラグの設定処理では、高入球状態を発生させる旨を示す「１」がフラグ値として設定される。
【０３００】
変動回数カウンタとは、上述したように時間短縮状態の継続期間（変動表示何回分か）を計測するための手段であり、前記変動回数カウンタの設定処理では、上記高確率状態フラグの設定処理と同様にモード決定カウンタＣ２の値に基づいて、変動回数カウンタの切換設定が行われる。これにより、時間短縮モードが設定される場合（通常大当たり）には、変動回数カウンタの値として変動表示１００回分に相当する「１００」が設定される。
【０３０１】
尚、図２９の判別情報設定処理において大当たり設定（ステップＳ１００２）が行われた場合に、高確率状態フラグ、時間短縮状態フラグ、高入球状態フラグ（及び変動回数カウンタ）を一度リセットする（「０」を設定する）構成としてもよい。
【０３０２】
ステップＳ１２０６で否定判別された場合、すなわちラウンド数が規定回数に達していない場合には、ステップＳ１２０８において、ラウンド送り処理を行い、本処理を終了する。ラウンド送り処理では、ラウンド数カウンタの値を１減算する。つまり、実行したラウンド数が、事前に設定された規定回数に達するまで上記開閉処理が繰り返し行われる。また、ラウンド送り処理では、第１可変フラグをオフにするとともに、第１可変タイマに対して、次のラウンドが開始されるまでの時間（ウエイト時間）をセットする。
【０３０３】
また、上記ステップＳ１２０３にて否定判別された場合、すなわち、ラウンド間のウエイト期間中である場合には、ステップＳ１２０９に進み、第１可変タイマの値が「０」であるか否かを判別する。
【０３０４】
ステップＳ１２０９にて肯定判別された場合、すなわちウエイト期間が終了し、次のラウンドを開始するタイミングに至った場合には、ステップＳ１２１０においてラウンド開始処理を行う。ラウンド開始処理では、第１可変フラグをオンにするとともに、第１可変タイマに対して１ラウンドあたりの可変入賞装置３２の開放時間（本例では「７５００」）を設定し、入賞カウンタに対して１ラウンドあたりの最大入賞個数（本例では「８」）を設定する。ステップＳ１２０９にて否定判別された場合、ステップＳ１２１０にてラウンド開始処理が完了した場合には、本処理を終了する。尚、「特殊確変」の場合には、第１可変タイマに対して「４００」が設定される。
【０３０５】
尚、第１可変フラグのオンオフ状況に基づき、次回の通常処理の外部出力処理において、可変入賞装置３２に対し各種制御信号が出力される。第１可変フラグがオンの場合には可変入賞装置３２に対し大入賞口を開放する旨の制御信号が出力され、可変入賞装置３２が開状態となる。一方、第１可変フラグがオフの場合には可変入賞装置３２に対し大入賞口を閉鎖する旨の制御信号が出力され、可変入賞装置３２が閉状態となる。
【０３０６】
次に、前記ステップＳ２０７の第２表示制御処理について図３２のフローチャートを参照して説明する。
【０３０７】
図３２において、ステップＳ２１０１では、普通図柄表示装置４１にて変動表示中であるか否かを示す第２表示中フラグの設定状況を見て普通図柄表示装置４１による切換表示（変動表示）中であるか否かを判別する。詳しくは、第２表示中フラグがオンである場合には普通図柄表示装置４１において変動表示中であるとみなされ、第２表示中フラグがオフである場合には、普通図柄表示装置４１において変動表示が停止した状態にあたる停止表示中であるとみなされる。
【０３０８】
ステップＳ２１０１で否定判別された場合には、ステップＳ２１０２に進み、普通保留カウンタＮｃの値が０よりも大きいか否かを判別する。このとき、普通保留カウンタＮｃの値が０である場合には、そのまま本処理を終了する。
【０３０９】
また、変動表示中でなく且つ普通保留カウンタＮｃの値＞０であれば、ステップＳ２１０３に進む。ステップＳ２１０３では、普通保留カウンタＮｃから１を減算する。ステップＳ２１０４では、普通変動保留エリアに格納されたデータをシフトさせる処理を実行する。このデータシフト処理は、普通変動保留エリアの保留第１〜第４エリアに格納されているデータを実行エリア側に順にシフトさせる処理であって、保留第１エリア→実行エリア、保留第２エリア→保留第１エリア、保留第３エリア→保留第２エリア、保留第４エリア→保留第３エリアといった具合に各エリア内のデータがシフトされる。
【０３１０】
その後、ステップＳ２１０５では、開始設定処理を実行する。この処理では、普通図柄表示装置４１において切換表示（変動表示）を行う条件が成立したことを示す処理を行う。詳しくは、第２表示中フラグをオンにするとともに、第２表示タイマの設定処理が行われる。第２表示タイマとは、普通図柄表示装置４１にて行われる変動表示の変動時間（残余時間）を計測する手段であり、変動表示開始から所定時間が経過したか否かを判別する際に参酌される。本実施形態では、通常モードにおいては、普通図柄表示装置４１にて行われる変動表示の変動時間は２秒であるため、第２表示タイマには「５００」が設定される。また、確変モード、時間短縮モードにおいては、第２表示タイマに「１００」が設定される。当該開始設定処理における設定に基づき、次回の通常処理の外部出力処理において、普通図柄表示装置４１に対し切換表示（変動表示）を開始する旨の制御信号が出力された場合には、普通図柄表示装置４１において切換表示が開始される。上述したように普通図柄表示装置４１は、普通図柄として「○」又は「×」を点灯表示するように構成されており、表示されているのが「○」であれば「×」、「×」であれば「○」へ切換え表示する。そして、ステップＳ２１０５の終了後、第２表示制御処理を終了する。
【０３１１】
さて、ステップＳ２１０１で肯定判別された場合、すなわち普通図柄表示装置４１にて変動表示中である場合には、ステップＳ２１０６に進み、第２表示タイマ減算処理を行う。この処理が１回行われる毎に第２表示タイマのカウント値が１減算される。
【０３１２】
続いてステップＳ２１０７に進み、第２表示タイマのカウント値が「０」であるか否か、すなわち、変動時間が経過したか否かを判別する。ステップＳ２１０７で肯定判別された場合には、ステップＳ２１０８において第２表示中フラグをオフし、ステップＳ２１０９において普通図柄表示装置４１にて停止表示を行うための普通図柄停止表示設定を行う。そして、この普通図柄停止表示設定の設定内容に基づき、次回の通常処理における外部出力処理において、普通図柄表示装置４１に対し停止表示を行う旨の制御信号が出力される。すなわち、当選である場合には「○」図柄（当選図柄）を停止表示（例えば数秒間だけ点灯）させ、外れである場合には「×」図柄を停止表示させる。
【０３１３】
なお、上述したように、普通変動保留エリアの実行エリアに格納されている普通図柄乱数カウンタＣ４の値に基づいて当選か否かが判別される。具体的には、普通図柄乱数カウンタＣ４の数値０〜２５０のうち「５〜１５３」が当たり値である。
【０３１４】
続いてステップＳ２１１０に進み、普通図柄判別情報設定処理を行い、本処理を終了する。この処理において、停止表示が当選に対応する場合には、始動入賞ユニット３３の開閉処理を行うための設定処理を行う。具体的には、第２可変フラグをオンにして、第２可変タイマに開放時間を設定する。
【０３１５】
第２可変フラグとは、始動入賞ユニット３３（開閉部材３３ｃ）が開状態中であるか否かを判別するための判別情報である。
【０３１６】
第２可変タイマとは、始動入賞ユニット３３の開放時間（残余時間）を計測する手段であり、開放開始から規定時間が経過したか否かを判別する際に参酌される。尚、本実施形態では、高入球状態（確変モード及び時間短縮モード）と低入球状態（通常モード）とで始動入賞ユニット３３の開放時間が異なり、高入球状態においては、第２可変タイマに対して「１０００」が設定され、低入球状態においては、第２可変タイマに対して「１００」が設定される。
【０３１７】
一方、ステップＳ２１０７で否定判別された場合には、ステップＳ２１１１において、普通図柄表示装置４１の切替表示（変動表示）を継続して行うための切替表示設定を行い、本処理を終了する。そして、この切替表示設定の設定内容に基づき、次回の通常処理における外部出力処理において、普通図柄表示装置４１に対し切替表示を行う旨の制御信号が出力される。具体的には、現在の点灯が「○」であれば「×」、「×」であれば「○」へ切換え表示する。これによって、第２表示制御処理のタイミング、すなわち４ｍｓ毎に普通図柄表示装置４１の切換表示（変動表示）が実現される。
【０３１８】
次に上記ステップＳ２０８の契機対応ユニット制御処理について図３３のフローチャートを参照して説明する。
【０３１９】
まず、ステップＳ２２０１において始動入賞ユニット３３（開閉部材３３ｃ）が開状態であるか否かを示す第２可変フラグがオンであるか否かを判別する。ここで、第２可変フラグがオンではない（始動入賞ユニット３３が閉状態である）と判別された場合、そのまま本処理を終了する。
【０３２０】
一方、上記ステップＳ２２０１において肯定判別された場合、すなわち第２可変フラグがオンである場合は始動入賞ユニット３３が開状態であるとみなし、ステップＳ２２０２において第２可変タイマ減算処理を行う。この処理が１回行われる毎に第２可変タイマの値が１ずつ減算されていく。
【０３２１】
続いてステップＳ２２０３に進み、上記減算後の第２可変タイマの値を参酌して、規定された開放時間が経過したか否かを判別する。ここでは、規定された開放時間を経過した時、すなわち第２可変タイマの値が「０」となった時にステップＳ２２０３が肯定判別される。ここで否定判別された場合には、そのまま本処理を終了する。
【０３２２】
一方、ステップＳ２２０３で肯定判別された場合にはステップＳ２２０４へ移行し、ステップＳ２２０４にて終了設定処理を行ってから、本処理を終了する。ステップＳ２２０４の終了設定処理では、第２可変フラグをオフする処理が行われる。
【０３２３】
尚、第２可変フラグのオンオフ状況に基づき、次回の通常処理の外部出力処理において、始動入賞ユニット３３に対し各種制御信号が出力される。第２可変フラグがオンの場合には始動入賞ユニット３３に対し開閉部材３３ｃを開放する旨の制御信号が出力され、始動入賞ユニット３３が開状態となる。一方、第２可変フラグがオフの場合には始動入賞ユニット３３に対し開閉部材３３ｃを閉鎖する旨の制御信号が出力され、始動入賞ユニット３３が閉状態となる（開閉部材３３ｃが閉状態とされ、下入賞口３３ｂへの遊技球の入球が不可能となる）。
【０３２４】
次に、払出制御装置３１１内のＣＰＵ５１１により実行される払出制御について説明する。説明の便宜上、まず図３４を参照して受信割込み処理を説明し、その後図３５を参照してメイン処理を説明する。
【０３２５】
図３４は、払出制御装置３１１により実行される受信割込み処理を示すフローチャートである。受信割込み処理は、主制御装置２６１から送信されるコマンドを払出制御装置３１１が受信した場合に割り込んで実行される処理である。主制御装置２６１から送信されたコマンドが受信されたことを払出制御装置３１１が確認すると、払出制御装置３１１内のＣＰＵ５１１により実行される他の処理を一端待機させ、受信割込み処理が実行される。受信割込み処理が実行されると、まずステップＳ３００１において主制御装置２６１から送信されたコマンドをＲＡＭ５１３のコマンドバッファに記憶し、ステップＳ３００２において主制御装置２６１からコマンドが送信されたことを記憶するためにコマンド受信フラグをオンして、本受信割込み処理を終了する。上述したように、コマンドがコマンドバッファに記憶される場合には、記憶ポインタが参照されて所定の記憶領域に記憶されると共に、次に受信したコマンドを次の記憶領域に記憶させるために記憶ポインタが更新される。
【０３２６】
なお、本実施形態では、主制御装置２６１から送信されるコマンドの受信処理は、そのコマンドが受信されたときに実行される割込処理で行われるものとしたが、例えば、図３６に示したタイマ割込処理において、コマンド判定処理（ステップＳ３２０１）が行われる前に、コマンドが受信されたか否かを確認し、コマンドが受信されている場合にはそのコマンドをＲＡＭ５１３のコマンドバッファへ記憶してコマンド受信フラグをオンするとともに、コマンドが受信されていない場合にはコマンド判定処理へ移行するものとしてもよい。かかる場合には、所定間隔毎に入出力ポートのコマンド入力に対応するポートを確認することで、コマンドが受信されたか否かを確認する。
【０３２７】
次に、払出制御装置３１１のメイン処理について図３５を参照して説明する。図３５は、払出制御装置３１１のメイン処理を示すフローチャートであり、このメイン処理は電源投入時のリセットに伴い起動される。
【０３２８】
先ず始めに、ステップＳ３１０１では、電源投入に伴う初期設定処理を実行する。具体的には、スタックポインタに予め決められた所定値を設定すると共に、割込みモードを設定する。そして、ステップＳ３１０３でＲＡＭアクセスを許可すると共に、ステップＳ３１０４で外部割込みベクタの設定を行う。
【０３２９】
その後、ステップＳ３１０６では、ＲＡＭ５１３のバックアップエリア５１３ａに電源断の発生情報が設定されているか否かを判別する。そして、バックアップエリア５１３ａに電源断の発生情報が設定されていれば、ステップＳ３１０７でＲＡＭ判定値を算出し、続くステップＳ３１０８で、そのＲＡＭ判定値が電源断時に保存したＲＡＭ判定値と一致するか否か、すなわちバックアップの有効性を判別する。ＲＡＭ判定値は、例えばＲＡＭ５１３の作業領域アドレスにおけるチェックサム値である。なお、ＲＡＭ５１３の所定のエリアに書き込まれたキーワードが正しく保存されているか否かによりバックアップの有効性を判断することも可能である。
【０３３０】
ステップＳ３１０６で電源断の発生情報が設定されていない場合や、ステップＳ３１０８でＲＡＭ判定値（チェックサム値等）によりバックアップの異常が確認された場合には、ステップＳ３１１５以降のＲＡＭ５１３の初期化処理へ移行する。
【０３３１】
ステップＳ３１１５ではＲＡＭ５１３の全領域を０にクリアし、ステップＳ３１１６ではＲＡＭ５１３の初期値を設定する。その後、ステップＳ３１１７ではＣＰＵ周辺デバイスの初期設定を行い、ステップＳ３１１４へ移行して割込みを許可する。
【０３３２】
一方、ステップＳ３１０６で電源断の発生情報が設定されていること、及びステップＳ３１０８でＲＡＭ判定値（チェックサム値等）が正常であることを条件に、復電時の処理（電源断復旧時の処理）を実行する。つまり、ステップＳ３１０９で電源断前のスタックポインタを復帰させ、ステップＳ３１１０で電源断の発生情報をクリアし、ステップＳ３１１１で賞球の払出を許可する払出許可フラグをクリアする。また、ステップＳ３１１２では、ＣＰＵ周辺デバイスの初期設定を行い、ステップＳ３１１３では、使用レジスタをＲＡＭ５１３のバックアップエリア５１３ａから復帰させる。さらに、ステップＳ３１１４では、割込みを許可する。
【０３３３】
ステップＳ３１１４で割込みが許可された後は、ステップＳ３１２２の処理において、バックアップエリア５１３ａに電源断の発生情報が設定されているか否かを判別する。ここで、電源断の発生情報が設定されていれば、電源が遮断されたことになるので、電源断時の停電処理としてステップＳ３１２３以降の処理が行われる。停電処理は、まずステップＳ３１２３において各割込み処理の発生を禁止し、次のステップＳ３１２４において後述するコマンド判定処理を実行する。その後、ステップＳ３１２５でＣＰＵ５１１が使用している各レジスタの内容をスタックエリアに退避し、ステップＳ３１２６でスタックポインタの値をバックアップエリア５１３ａに記憶し、ステップＳ３１２７でＲＡＭ判定値を算出してバックアップエリア５１３ａに保存し、ステップＳ３１２８でＲＡＭアクセスを禁止して、電源が完全に遮断して処理が実行できなくなるまで無限ループを継続する。ここで、ＲＡＭ判定値は、例えば、ＲＡＭ５１３のバックアップされるスタックエリア及び作業エリアにおけるチェックサム値である。
【０３３４】
なお、ステップＳ３１２２の処理は、電源投入時に行われる処理の終了後に電源断の発生情報を確認しているので、各処理が途中の場合と比較してＲＡＭ５１３のバックアップエリア５１３ａに記憶するデータ量が少なくなり、容易に記憶することができる。また、電源遮断前の状態に復帰する場合には、バックアップエリア５１３ａに記憶されているデータ量が少ないので、容易に復帰させることができ、払出制御装置３１１の処理の負担を軽減することができる。
【０３３５】
次に、図３６のフローチャートを参照して、払出制御装置３１１のタイマ割込み処理を説明する。このタイマ割込み処理は、定期的に（本実施形態では２ｍｓｅｃ周期で）起動される。
【０３３６】
タイマ割込み処理では、まず、主制御装置２６１からのコマンドを取得し、そのコマンドの判定処理を行う（ステップＳ３２０１）。このコマンド判定処理について図３７を参照して以下に説明する。
【０３３７】
図３７は、払出制御装置３１１により行われるコマンド判定処理を示すフローチャートである。コマンド判定処理（ステップＳ３１２４，Ｓ３２０１）では、まず、ステップＳ３３０１においてコマンド受信フラグがオンされているか否かを判別する。コマンド受信フラグは、上述した受信割込み処理（図３４参照）において主制御装置２６１から送信されたコマンドを受信したときにオンされる。
【０３３８】
ステップＳ３３０１においてコマンド受信フラグがオフと判別されれば、新たなコマンドを主制御装置２６１から受信していないので、そのまま本処理を終了する。一方、ステップＳ３３０１でコマンド受信フラグがオンと判別されれば、ステップＳ３３０２において、その受信したコマンドをＲＡＭ５１３から読み出し、ステップＳ３３０３においてコマンド受信フラグをオフする。ステップＳ３３０３においてコマンド受信フラグをオフすることにより、新たにコマンドが受信されるまで、ステップＳ３３０２〜ステップＳ３３１１の処理をスキップできるので、払出制御装置３１１の制御を軽減することもできる。
【０３３９】
ステップＳ３３０４〜ステップＳ３３０６の処理でＲＡＭ５１３から読み出されたコマンドの種類が判別される。ステップＳ３３０４では主制御装置２６１から送信されたコマンドが払出初期化コマンドであるか否かが判別され、ステップＳ３３０５では払出復帰コマンドであるか否かが判別され、ステップＳ３３０６では賞球コマンドであるか否かが判別される。
【０３４０】
主制御装置２６１から送信されたコマンドが払出初期化コマンドであれば、ステップＳ３３０７で既に払出許可フラグがオンされているか否かが判別され、払出許可フラグがオフされていれば、電源投入時に主制御装置２６１からＲＡＭ５１３の初期化が指示されていることになるので、ステップＳ３３０８でＲＡＭ５１３のスタックエリア以外となる作業領域（エリア）を０にクリアし、ステップＳ３３０９でＲＡＭ５１３の初期値を設定する。その後、ステップＳ３３１１で払出許可フラグをオンして、賞球の払出許可が設定される。
【０３４１】
上述したように、主制御装置２６１は、払出初期化コマンドを送信した後に、ＲＡＭ５０３の初期化処理を行っており、払出制御装置３１１は、払出初期化コマンドを受信した後に、ＲＡＭ５１３の初期化処理を行っているので、ＲＡＭ５０３が初期化されるタイミングと、ＲＡＭ５１３が初期化されるタイミングとが略同時期となる。よって、初期化のタイミングがずれることにより、主制御装置２６１から送信されるコマンドを払出制御装置３１１が受信したとしても、ＲＡＭ５１３が初期化されてしまい、受信したコマンドに対応する制御が行えない等の弊害の発生を防止することができる。また、ＲＡＭ５１３が初期化された後に、払出許可フラグをオンするので、賞球の払出許可を確実に設定することができる。
【０３４２】
一方、ステップＳ３３０７で既に払出許可フラグがオンされていれば、ＲＡＭ５１３の作業領域のクリアと、ＲＡＭ５１３の初期化処理とを行わずに、本コマンド判定処理を終了する。すなわちステップＳ３３０７の処理は、払出許可フラグが設定された状態でＲＡＭ５１３が初期化されることを禁止している。なお、払出初期化コマンドは、電源投入時にＲＡＭ消去スイッチ３２３がオンされている場合のみ送信されるコマンドであるので、払出許可フラグがオンされた状態で受信することはなく、かかる場合には、ノイズなどの影響によって払出制御装置３１１が払出初期化コマンドとして認識してしまったことが考えられる。よって、払出許可フラグがオンされている状態で、ＲＡＭ５１３の作業領域のクリア（ステップＳ３３０８）と、ＲＡＭ５１３の初期値設定（ステップＳ３３０９）を実行すると、賞球が残っている場合に払出されないなどの弊害が生じて遊技者に損失を与えてしまうが、払出許可フラグがオンされている状態で、ＲＡＭ５１３が初期化されることを防止しているので、遊技者に損失を与えることを防止できる。
【０３４３】
また、主制御装置２６１から送信されたコマンドが払出復帰コマンドであれば（ステップＳ３３０４：ＮＯ、ステップＳ３３０５：ＹＥＳ）、主制御装置２６１及び払出制御装置３１１が電源遮断前の状態に復帰するので、賞球の払出を許可するためにステップＳ３３１１で払出許可フラグをオンする。すなわち、電源断の発生情報があり、主制御装置２６１と払出制御装置３１１が電源遮断前の状態に復帰した場合には、賞球の払出が許可される。ステップＳ３３１１の処理において払出許可フラグがオンされると、コマンドバッファの所定の記憶領域に記憶されたコマンドに基づく処理が終わったことになるので、読出ポインタが次の記憶領域に対応した読出ポインタに更新される。
【０３４４】
さらに、主制御装置２６１から送信されたコマンドが賞球コマンドであれば（ステップＳ３３０５：ＮＯ、ステップＳ３３０６：ＹＥＳ）、ステップＳ３３１０において、受信した賞球個数を総賞球個数に加算して記憶し、賞球の払出を許可するためにステップＳ３３１１で払出許可フラグをオンする。この際、払出制御装置３１１は、コマンドバッファ（リングバッファ）に記憶された賞球コマンドを順次読み出し、当該コマンドに対応する賞球個数を、所定のバッファ領域に記憶される総賞球個数に加算して記憶する。主制御装置２６１から送信される賞球コマンドに基づいて賞球個数に対応した賞球の払出しが行われるので、賞球コマンドは、賞球コマンドは賞球の払出しを指示する払出指示コマンドである。また、賞球コマンドが受信された場合には、即座に払出許可が設定されるので、入賞に対して早期に賞球の払出しを行うことができる。ステップＳ３３１１の処理において払出許可フラグがオンされると、コマンドバッファの所定の記憶領域に記憶されたコマンドに基づく処理が終わったことになるので、読出ポインタが次の記憶領域に対応した読出ポインタに更新される。
【０３４５】
なお、主制御装置２６１から送信されたコマンドが払出初期化コマンドでもなく（ステップＳ３３０４：ＮＯ）、払出復帰コマンドでもなく（ステップＳ３３０５：ＮＯ）、賞球コマンドでもなければ（ステップＳ３３０６：ＮＯ）、払出許可フラグをオンすることなく、コマンド判定処理を終了する。
【０３４６】
ここで、図３６のフローチャートに戻って説明する。コマンド判定処理が終わると、ステップＳ３２０２において、コマンド判定処理で払出許可フラグがオンされたか否かが判別される。ここで、払出許可フラグがオンされていなければ、そのまま本処理を終了する。つまり、主制御装置２６１からコマンドが送信される前に賞球の払出しが行われることを防止することができる。
【０３４７】
一方、ステップＳ３２０２で肯定判別されれば、ステップＳ３２０３で発射制御装置３１２に対して発射許可の設定を行い、ステップＳ３２０４で状態復帰スイッチ３２１をチェックして、状態復帰動作開始と判定した場合に状態復帰動作を実行する。この処理により、例えば払出モータの球詰まり等、払出エラーの発生時において状態復帰スイッチ３２１が押下されると、払出モータが正逆回転され、球詰まりの解消（正常状態への復帰）が図られる。
【０３４８】
その後、ステップＳ３２０５では、下皿１５の状態の変化に応じて下皿満タン状態又は下皿満タン解除状態の設定を実行する。すなわち、下皿満タンスイッチの検出信号により下皿１５の満タン状態を判別し、下皿満タンになった時、下皿満タン状態の設定を実行し、下皿満タンでなくなった時、下皿満タン解除状態の設定を実行する。
【０３４９】
また、ステップＳ３２０６では、タンク球の状態の変化に応じてタンク球無し状態（球切れ状態）又はタンク球無し解除状態（球有り状態）の設定を実行する。すなわち、タンク球無しスイッチの検出信号によりタンク球無し状態を判別し、タンク球無しになった特、タンク球無し状態の設定を実行し、タンク球無しでなくなった特、タンク球無し解除状態の設定を実行する。
【０３５０】
その後、ステップＳ３２０７では、例えば、下皿満タンエラー、タンク球無しエラー、及び払出しエラー等の報知すべき状態の有無を判別し、報知すべき状態が有る場合には報知する。すなわち、エラー状態と判別された場合には、エラー表示ランプ１０４を点灯させたり、主制御装置２６１に信号を出力したりする。
【０３５１】
続いて賞球及び貸球の払出制御処理を実行する。詳しくは、ステップＳ３２０８で払出個数設定処理を行い、ステップＳ３２０９においてモータ制御状態取得処理を行い、ステップＳ３２１０においてモータ駆動処理を行う。また、本実施形態では、賞球の払出しが行われた場合に、主制御装置２６１に信号を出力する。尚、貸球の払出しが行われた場合にも、主制御装置２６１に信号を出力するように構成してもよい。
【０３５２】
尚、本実施形態では、上述のように、払出しエラー等が発生した場合には、払出制御装置３１１から主制御装置２６１に出力された信号に基づいて、主制御装置２６１から外部端子板２０４に対応する信号が出力されるよう構成されているが、主制御装置２６１を介さずに払出制御装置３１１の入出力ポート５１５と外部端子板２０４（中継基板４９１のフォトカプラ４９７の入力側）とを電気的に接続し、当該ステップＳ２０４、ステップＳ２０５等の信号に基づいて、払出制御装置３１１から外部端子板２０４に対応する信号が出力されるよう構成してもよい。
【０３５３】
ステップＳ３２１１では、状態復帰スイッチ３２１をチェックして球抜き不可状態でないこと、及び球抜き動作開始でないことを条件に、払出モータ３５８ａを駆動させ球抜き処理を実行する。続くステップＳ３２１２では、球詰まり状態であることを条件にバイブレータ３６０の制御（バイブモータ制御）を実行する。その後、本タイマ割込み処理の先頭に戻る。
【０３５４】
以上詳述したように、外部端子板２４０には、ホールコンピュータ等の外部機器からの配線が差し込まれる差込み部４０２が左右方向に１０個並ぶようにして設けられるとともに、各差込み部４０２に対してそれぞれ端子部材４０３、操作部材４０４、及びコイルばね４０５が設けられている。また、操作部材４０４には、延長部４４２、４６２の形状が異なる第１操作部材４０４ａと第２操作部材４０４ｂとがあり、左右方向に１０個並ぶ差込み分４０２に対して交互に配置されている。そして、操作部材４０４の操作方向である前後方向において、第１操作部材４０４ａの操作部４５２と、第２操作部材４０４ｂの操作部４７６とが離間している。このため、操作部材４０４同士を（第１操作部材４０４ａと第２操作部材４０４ｂとを）近接配置しても、各操作部材４０４の操作部４５２、４７６の周りに一定のスペースを確保することができ、各操作部材４０４の操作部４５２、４７６を比較的スムースに操作することができる。従って、各操作部材４０４の操作部４５２、４７６への操作性を向上させつつ、互いに隣接する操作部材４０４同士、ひいては、差込み部４０２同士を近接配置することができ、外部端子板２４０のコンパクト化を図ることができる。また、外部端子板２４０のコンパクト化を図るべく端子部材４０３の数を減らすといった必要もなく、端子部材４０３の数の減少に伴って防犯性の低下や遊技者に対するサービスの低下を招いてしまうといった事態を回避することができる。もちろん、外部端子板２４０が大型化することでその他の部材の設置スペースの狭小化を招いてしまうといった事態を抑止しつつ、端子部材４０３の数を増やすこともできる。
【０３５５】
また、本実施形態では、操作部材４０４の操作部４５２、４７６を前方に押圧操作することで、保持突起４４３、４６３を柱部４１３から離間させ、差込み部４０２に外部機器からの配線を抜き差しできる状態（非保持状態）とすることができる。このように、第１操作部材４０４ａの操作部４５２の操作方向と、第２操作部材４０４ｂの操作部４７６の操作方向とが同じであるため、外部機器からの配線の端子部材４０３への接続作業性を向上させることができる。
【０３５６】
さらに、第１操作部材４０４ａ、第２操作部材４０４ｂの非操作状態において、第２操作部材４０４ｂの操作部４７６が、第１操作部材４０４ａの操作部４５２よりも後方に位置する構成となっている。そして、第２操作部材４０４ｂの操作部４７６を操作した場合に、第２操作部材４０４ｂの操作部４７６が、非操作状態にある第１操作部材４０４ａの操作部４５２を通り越して前方に位置する前の段階で、第２操作部材４０４ｂの保持突起４６３が柱部４１３から離間し、差込み部４０２に外部機器からの配線を抜き差しできる状態となるよう構成されている。
【０３５７】
例えば、第２操作部材４０４ｂに対応する差込み部４０２に外部機器からの配線を接続する際に、第２操作部材４０４ｂの操作部４７６が第１操作部材４０４ａの操作部４５２の前方に位置するまで第２操作部材４０４ｂの操作部４７６を押込む必要がある場合、第２操作部材４０４ｂの操作部４７６を操作する作業者の指等が、隣接する第１操作部材４０４ａの操作部４５２に引っ掛かってしまうおそれがある。この場合、隣接する第１操作部材４０４ａの操作部４５２が意図することなく操作されてしまい、当該第１操作部材４０４ａに対応する差込み部４０２に差し込まれて保持されている外部機器からの配線がかかる差込み部４０２から抜けてしまうおそれがある。また、第２操作部材４０４ｂの操作部４７６を操作して差込み部４０２に外部機器からの配線を差し込むスペースを形成する際に、作業者の指が第１操作部材４０４ａの操作部４５２に接触することに起因して、同操作が阻害され、作業性の低下を招くことが懸念される。
【０３５８】
これに対し、本実施形態では、第２操作部材４０４ｂの操作に際し、第２操作部材４０４ｂの操作部４７６が、第１操作部材４０４ａの操作部４５２よりも前方に位置する前の段階で、対応する差込み部４０２に外部機器からの配線を抜き差しできる状態となるよう構成されている。このため、隣接する第１操作部材４０４ａを変位させることなく、第２操作部材４０４ｂに対応する端子部材４０３に外部機器からの配線を接続することができ、上記不具合を抑止することができる。
【０３５９】
加えて、第２操作部材４０４ｂの第２突部４７９と規制壁部４３８とが当接し、第２操作部材４０４ｂの前方へのそれ以上の変位が規制された状態において、第２操作部材４０４ｂの操作部４７６は、左右方向において、第１操作部材４０４ａの操作部４５２と一部重なるようになっている。このため、例えば、操作部材４０４の操作部４５２、４７６の周りに比較的大きなスペースを確保するべく、第１操作部材４０４ａの操作部４５２と第２操作部材４０４ｂの操作部４７６とを大きく離間させた場合のように、外部端子板２４０の大型化を招いてしまうといった事態を抑制することができる。
【０３６０】
また、第２操作部材４０４ｂの操作部４７６よりも前方に位置する第１操作部材４０４ａの操作部４５２は、第２操作部材４０４ｂの操作部４７６よりも本体部４０１（底壁部４１１）の外周側に位置している。このため、第１操作部材４０４ａ（操作部４５２）の操作性を飛躍的に向上させることができる。
【０３６１】
さらに、第２操作部材４０４ｂ（及び第１操作部材４０４ａ）は、本体部４０１に対して傾動可能に支持されており、非操作状態において、第１操作部材４０４ａの操作部４５２よりも後方に位置する第２操作部材４０４ｂの操作部４７６は、第２操作部材４０４ｂの操作状態において、第１操作部材４０４ａの操作部４５２よりも本体部４０１（底壁部４１１）の外周側に位置するように構成されている。このため、第２操作部材４０４ｂの操作部４７６を操作した際に、第２操作部材４０４ｂの操作部４７６を操作している指が、隣接する第１操作部材４０４ａの操作部４５２に意図することなく引っ掛かってしまうといった事態を抑止することができる。従って、意図することなく第１操作部材４０４ａの操作部４５２が操作されてしまうといった事態を防止するとともに、第２操作部材４０４ｂの操作性の向上を図ることができる。尚、第２操作部材４０４ｂ（及び第１操作部材４０４ａ）が本体部４０１に対して傾動可能に支持されることにより、簡単な構成を採用しつつ、当該作用効果が奏される外部端子板２４０を得ることができる。
【０３６２】
また、操作部材４０４の操作部４５２、４７６には、操作面（後面）から突出する指掛け部４５３及び滑り止め部４５５が設けられている。このため、操作部４５２、４７６を操作する際に指掛け部４５３に指をかける等して作業を行うことができ、操作部４５２、４７６の操作性を飛躍的に向上させることができる。特に、本実施形態では、操作部材４０４が傾動する構成となっているが、指掛け部４５３の存在により、操作部４５２、４７６の操作面から作業者の指等が滑って外れてしまうといった事態を抑止することができる。
【０３６３】
さらに、操作部４５２、４７６の操作面には、操作凹部４５４が設けられている。例えば、多数のパチンコ機１０の外部端子板２４０に外部機器からの配線を接続する作業を続けて行う場合、作業者が操作部４５２、４７６を直接指で操作していくと、指に比較的大きな負担がかかってしまうことが懸念される。これ対し、本実施形態によれば、操作部４５２、４７６の操作面に操作凹部４５４が設けられているため、操作凹部４５４にドライバー等の工具の先端を差し込んで（押し当てて）操作部４５２、４７６を操作することができる。このため、多数のパチンコ機１０の外部端子板２４０に外部機器からの配線を接続する作業を続けて行う場合であっても、作業者は指の疲弊を招くことなく作業を行うことができる。
【０３６４】
また、本体部４０１は透明な材料により構成されている。このため、パチンコ機１０（主制御装置２６１）から外部機器（ホールコンピュータ）に出力される信号のうち、不正行為者が自身に都合の悪い信号が出力されないように、外部端子板２４０に細工を施す（端子部材４０３を取除く、端子部材４０３と外部機器からの配線との間に絶縁体を挟む、外部端子板２４０の裏側（パチンコ機１０への取付面側）に不正基板を介在させる等）といった不正行為を抑制及び早期発見することができる。
【０３６５】
さらに、外部端子板２４０と電気的に接続される中継基板４９１には、厚み方向に貫通する開口部４９４が形成されている。そして、外部端子板２４０が中継基板４９１に対して開口部４９４を覆うようにして固定され、その状態でパチンコ機１０に取付けられている。このため、例えば、中継基板４９１の裏側（前面側）に不正な基板を設置されたとしても、透明な外部端子板２４０の本体部４０１及び中継基板４９１の開口部４９４を介して、不正な基板が設置されていることを発見することができる。
【０３６６】
また、中継基板４９１にはフォトカプラ４９７が搭載されており、フォトカプラ４９７の入力側に主制御装置２６１からの配線が電気的に接続され、出力側に外部端子板２４０の端子部材４０３が電気的に接続されている。このため、主制御装置２６１と外部端子板２４０（ひいてはホールコンピュータ等の外部機器）とが電気的に絶縁され、主制御装置２６１から外部機器側への信号の出力のみが許容される構成となっている。従って、外部端子板２４０を介して、外部からの不正な信号が主制御装置２５１に入力されてしまうといった事態を防止することができる。
【０３６７】
なお、上述した実施形態の記載内容に限定されず、例えば次のように実施してもよい。
【０３６８】
（ａ）上記実施形態において、第２操作部材４０４ｂの操作部４７６を操作した際に、第２操作部材４０４ｂの操作部４７６が第１操作部材４０４ａの操作部４５２よりも前方に位置する前の段階で、第２操作部材４０４ｂの第２突起４７９と本体部４０１の規制壁部４３８とが当接し、第２操作部材４０４ｂのそれ以上の傾動変位が規制される（第１操作部材４０４ａの操作部４５２よりも底壁部４１１側に行かない）よう構成してもよい。この場合、第２突起４７９及び規制壁部４３８が制限手段に相当する。当該構成を採用することにより、作業者が第２操作部材４０４ｂの操作部４７６を勢いよく操作しても、第２操作部材４０４ｂの操作部４７６が第１操作部材４０４ａの操作部４５２を通り超して前方に位置するといった事態が防止される。このため、第２操作部材４０４ｂの操作部４７６を操作する際に、作業者の指が第１操作部材４０４ａの操作部４５２に引っ掛かってしまうといった事態を防止することができる。従って、意図することなく第１操作部材４０４ａが操作されてしまうといった事態をより確実に防止することができる。尚、第２操作部材４０４ｂの操作部４７６と規制壁部４３８とが当接した状態においては、第２操作部材４０４ｂに対応する差込み部４０２に対して、外部機器からの配線を抜き差し可能な状態となっていることとする。
【０３６９】
（ｂ）上記実施形態では、外部端子板２４０に設けられる操作部材４０４は第１操作部材４０４ａと第２操作部材４０４ｂとの２種類存在するが、左右に隣接する操作部材４０４の操作部４５２（４７６）の前後位置がずれていればよく、例えば、形状の異なる３種類の操作部材４０４が設けられていることとしてもよい。但し、生産性の向上、コストの削減等を図るべく、操作部材４０４は２種類とすることが望ましい。また、操作部材４０４を１種類とするとともに、各差込み部４０２の底面（底壁部４１１）を左右方向において１つおきに上げ底状に形成し（後方に突出させ）、互いに隣接する操作部材４０４の操作部４５２（４７６）の前後位置を異ならせることとしてもよい。但し、この場合、本体部４０１の構成の複雑化を招く上、形状の異なる２種類の端子部材４０３を形成する必要があるため、生産性の向上、コストの削減等を図るべく、操作部材４０４は２種類とすることが望ましい。
【０３７０】
（ｃ）上記実施形態において、１つの外部端子板２４０に設けられる端子部材４０３の数は特に限定されるものではなく、例えば、パチンコ機１０の機種毎に変更することも可能である。また、上記実施形態では、本体部４０１（底壁部４１１）の長手方向が左右方向となるように外部端子板２４０がパチンコ機１０に取付けられているが、例えば、長手方向が上下方向となるように取付けられることとしてもよい。加えて、本体部４０１の天壁部４１４や規制壁部４３８を省略したり、操作部材４０４の操作部４５２、４７６の指掛け部４５３、操作凹部４５４、滑り止め部４５５を省略したりすることとしてもよい。
【０３７１】
（ｄ）上記実施形態では、外部端子板２４０と主制御装置２６１との間にフォトカプラ４９７が介在しているが、フォトカプラ４９７に代えて、主制御装置２６１側からの配線が接続される入力側と、ホールコンピュータ５００等の外部機器からの配線が接続される出力側とを電気的に絶縁するリレー（フォトインタラプタ等）を介在させたり、主制御装置２６１からホールコンピュータ５００側にだけ電流が流れるようにダイオードを設けたりすることとしてもよい。また、フォトカプラ４９７や中継基板４９１自体を省略することも可能である。
【０３７２】
尚、外部端子板２４０に送られる信号は必ずしも主制御装置２６１から出力される信号に限定されるものではなく、その他の制御装置（例えば、払出制御装置３１１、サブ制御装置２６２等）から主制御装置２６１を介さずに外部端子板２４０に信号が出力されるような構成を採用してもよい。この場合、前記その他の制御装置と外部端子板２４０との間にフォトカプラ４９７や、それに代えて前記リレー等を介在させることとしてもよい。
【０３７３】
尚、外部端子板２４０や中継基板４９１において、外部機器からの配線や主制御装置２６１からの信号線に電気的に接続された発光ダイオードを設けることとしてもよい。この場合、外部端子板２４０に関わる配線の接続作業が適切に行われたか否かをチェックすることができる。また、断線させるなどして主制御装置２６１から外部機器に信号が送られないようにするといった不正行為の有無をチェックすることができる。
【０３７４】
また、中継基板４９１の開口部４９４に対応して内枠１２に開口部を形成することとしてもよい。この場合、前面枠セット１４を開放した状態において、内枠１２の前面側からかかる開口部を介して中継基板４９１の裏側（前面側）や外部端子板２４０と中継基板４９１との間に不正な基板が設置されているか否かを確認することができ、防犯性の向上を図ることができる。
【０３７５】
尚、上記実施形態では、中継基板４９１に開口部４９４が形成されているが、例えば、開口部４９４に相当する部位を格子状にしたり、複数の孔部を設けたりすることとしてもよい。また、開口部４９４を省略する（開口部４９４を形成しない）こととしてもよい。
【０３７６】
（ｅ）上記実施形態では、保持手段を構成する保持突起４４３、４６３と、操作手段を構成する延長部４４２、４６２とが操作部材４０４として一体的に形成されているが、例えば、保持手段及び操作手段が別体として構成されるとともに、操作手段の操作に保持手段が連動することとしてもよい。但し、構成の複雑化、生産性の低下等を防止するべく、一体的に形成することが望ましい。加えて、軸部４４４、４６４を別体として構成してもよい。
【０３７７】
また、上記実施形態では、コイルばね４０５の付勢力により、差込み部４０２に差し込まれた配線が保持される構成となっているが、例えば、差込み部４０２に差し込まれた配線を保持突起４４３、４６３で保持した状態にある操作部材４０４を係止可能な係止手段を設け、差込み部４０２に外部機器からの配線を差し込んだ後、手動で操作部材４０４を操作して操作部材４０４を係止手段に係止させるよう構成してもよい。但し、外部端子板２４０への配線の接続作業性の低下を回避するべく、上記実施形態のようにコイルばね４０５を設けることが望ましい。また、操作部材４０４を付勢する付勢手段としては、特にコイルばね４０５に限定されるものではなく、例えば、板バネや弾性樹脂等を採用することとしてもよい。但し、差込み部４０２へ差し込まれた配線の抜けを防止するべく、かかる配線を強固に保持しておく必要があるため、上記実施形態のようにコイルばね４０５を採用したり、上記係止手段を併用したりすることが望ましい。
【０３７８】
（ｆ）上記実施形態では、第１操作部材４０４ａ及び第２操作部材４０４ｂは、本体部４０１に対して傾動可能に取付けられ、操作部４５２、４７６をコイルばね４０５の付勢力に抗して前方に押圧操作することで、対応する差込み部４０２に配線を抜き差し可能な状態（非保持状態）とすることができるよう構成されているが、特にこのような構成に限定されるものではない。例えば、第２操作部材４０４ｂに関しては、操作部４７６を前方に押圧操作することで対応する差込み部４０２に配線を差し込めるようになり、第１操作部材４０４ａに関しては、操作部４５２を後方に引っ張る操作をすることで対応する差込み部４０２に配線を差し込める状態となるように構成してもよい。さらに、例えば、第１操作部材４０４ａ及び第２操作部材４０４ｂの各操作部４５２、４７６を後方に引っ張ることで、それぞれ対応する差込み部４０２に配線を差し込める状態となるように構成してもよい。また、第１操作部材４０４ｂは、傾動することなく、そのままの姿勢で前後に変位可能に構成されていることとしてもよいし、操作部材４０４の軸心が前後に延び、操作部材４０４が左右に傾動するよう構成してもよい。
【０３７９】
（ｇ）上記実施形態では、上入賞口３３ａに遊技球が入球した場合と、下入賞口３３ｂに入球した場合とで、大当たり状態の種別の振り分けが異なるよう構成されているが、同じにしてもよい。また、大当たり状態の種別の内容は特に限定されるものではなく、例えば、２ラウンドの大当たりの後、低確率状態が付与されるような種別を設定してもよい。
【０３８０】
加えて、上記実施形態では、上入賞口３３ａへの入球があった場合にのみ「特殊確変」の発生の可能性がある構成であったが、下入賞口３３ｂへの入球でも「特殊確変」が発生し得るように構成してもよい。尚、かかる構成を採用する場合、「特殊確変」の発生する割合（振分け率）が異なるように（例えば上入賞口３３ａへ入球したときの方が下入賞口３３ｂへ入球したときよりも特殊確変が発生しやすいように）構成してもよい。
【０３８１】
さらに、上記実施形態では、始動入球手段が２つ（上入賞口３３ａ及び下入賞口３３ｂ）設けられているが１つでもよいし、３つ以上設けてもよい。また、上入賞口３３ａに遊技球が入球した場合に払出される遊技球の数と、下入賞口３３ｂに入球した場合に払出される遊技球の数とが異なることとしてもよい。加えて、上記実施形態では、始動入球手段（上入賞口３３ａ及び下入賞口３３ｂ）が上下に並んで配置され、かつ、通常モードにおいては、下入賞口３３ｂへの入球がほとんど望めない構成となっているが、特にこのような構成に限定されるものではない。例えば、２つの始動入球手段を左右に配置してもよいし、開閉部材３３ｃを省略してもよい。
【０３８２】
（ｈ）上記実施形態では、上入賞口３３ａへの入球に基づく第１変動表示よりも、下入賞口３３ｂへの入球に基づく第２変動表示の方が優先して消化されるように構成されているが、特にこのような構成に限定されるものではなく、上入賞口３３ａ及び下入賞口３３ｂに入球があった順番通りに対応する変動表示が実行される構成としてもよい。
【０３８３】
（ｉ）上記実施形態では、本体部４０１が透明な樹脂により構成されていたが、半透明又は不透明の（着色された）樹脂により構成してもよい。また、上記実施形態では、操作部材４０４が着色された（不透明の）樹脂により構成されているが、透明又は半透明の樹脂により構成してもよい。ちなみに、本体部４０１及び操作部材４０４を透明な樹脂により構成した場合、外部端子板２４０越しに外部端子板２４０の裏側（前面側）を視認し易くなるため、外部端子板２４０の裏側や中継基板４９１の裏側に不正な基板が配設された場合に、かかる不正基板をより早期に発見することができるといった作用効果が奏される。尚、上記実施形態のように、左右に並ぶ操作部材４０４の色を異ならせる（配線の色と対応させる）ことによって、操作部材４０４を全て透明（全て同じ色）の樹脂で構成する場合に比べ、配線と差込み部４０２との対応関係を把握し易く、配線の接続作業性の向上を図ることができる。尚、操作部材４０４の色を全て同じにした場合であっても、左右方向に並ぶ差込み部４０２の周縁部の色を異ならせるようにして本体部４０１を構成した場合には、同様の作用効果が奏される。また、例えば、色を異ならせるのではなく、操作部材４０４や差込み部４０２の周縁部に対応する記号、番号、文字（例えば、対応する配線の色が黄色なら「Ｙ」、青なら「Ｂ」等）等を付しても同様の作用効果が奏される。
【０３８４】
（ｊ）上記実施形態では、差込み部４０２を挟んで上下に対向配置される操作部材４０４は同じ種類の操作部４０４（４０４ａ、４０４ｂ）であったが、異なる種類の操作部材４０４を上下に対向配置させることとしてもよい。すなわち、第１操作部材４０４ａと第２操作部材４０４ｂとが差込み部４０２を挟んで上下に対向配置されることとなる。
【０３８５】
（ｋ）上記実施形態では、左右方向において第１操作部材４０４ａと第２操作部材４０４ｂとが隣り合うように交互に配設されているが、特にこのような構成に限定されるものではない。例えば、背面視で左側から「第２操作部材４０４ｂ」（以下単に「第２」と記載する）、「第１操作部材４０４ａ」（以下単に「第１」と記載する）、「第１」、「第２」、「第１」、「第１」、「第２」、「第１」、「第１」、「第２」の順に配置されていること、すなわち、「第２」と「第２」との間に２つの「第１」が存在するように配置されていることとしてもよい。また、例えば、背面視で左側から「第１」、「第２」、「第２」、「第１」、「第２」、「第２」、「第１」、「第２」、「第２」、「第１」の順に配置されていること、すなわち、「第１」と「第１」との間に２つの「第２」が存在するように配置されていることとしてもよい。さらに、例えば、背面視で左側から「第１」、「第２」、「第２」、「第１」、「第１」、「第２」、「第２」、「第１」、「第１」、「第２」の順に配置されていること、すなわち、「第１」及び「第２」がそれぞれ２つずつ交互に配置されていることとしてもよい。
【０３８６】
上記のように同種の操作部材４０４が３つ以上左右に並ばないようになっていれば、所定の操作部材４０４（４０４ａ、４０４ｂ）に関し、同種の操作部材４０４が隣接している側にはスペース（操作部材４０４を操作する際に指等を進入させるスペース）がないものの、異種の操作部材４０４が隣接している側にはスペース（隣接する操作部材４０４を意図することなく操作してしまうといった事態を回避するのに十分なスペース）ができる。このため、基本的に上記実施形態と同様の作用効果が奏される。但し、操作部４５２、４７６を指で操作する場合に、指の平の中心で操作部４５２、４７６を押そうとすると、隣接する同種の操作部材４０４の操作部４５２、４７６に指が接触してしまうおそれがあるため、操作性・作業性の向上の観点からすれば、上記実施形態のように、左右方向において第１操作部材４０４ａと第２操作部材４０４ｂとが隣り合うように交互に配設されていることが望ましい。
【０３８７】
（ｌ）上記実施形態では、第２操作部材４０４ｂを前方に押圧操作した場合に、第２操作部材４０４ｂの操作部４７６が第１操作部材４０４ａの操作部４５２よりも本体部４０１の外周側に位置するよう構成されているが、特にこのような構成に限定されるものではない。
【０３８８】
（ｌ−１）例えば、第２操作部材４０４ｂを押圧操作した場合に、第２操作部材４０４ｂの操作部４７６が第１操作部材４０４ａの後面よりも後方に位置している（操作部４０４ａ、４０４ｂを横方向から見て操作部４７６が第１操作部材４０４ａに重なっていない）こととしてもよい。尚、ここで言う第１操作部材４０４ａの後面とは、前方に押圧操作された第２操作部材４０４ｂの操作部４７６と上下方向における位置が同じ部位及びその近傍部位の後面を意図している。当該構成を採用する場合においても、押圧操作される第２操作部材４０４ｂの操作部４７６の周りにスペースを確保することができ、第２操作部材４０４ｂを的確に（隣接する第１操作部材４０４ａを意図することなく操作してしまうといった事態を招くことなく）操作することができる。また、当該構成を採用する場合、第１操作部材４０４ａの延長部４４２先端から後方に突出する突出部を設ける等して、第１操作部材４０４ａの操作部４５２を前後方向において第２操作部材４０４ｂの操作部４７６とほぼ同じ位置に設けたとしても、（操作状態にある第２操作部材４０４ｂの操作部４７６と第１操作部材４０４ａの操作部４５２の上下位置がずれていることから）第２操作部材４０４ｂの操作が阻害されるといった事態を回避することができる。
【０３８９】
（ｌ−２）例えば、第１操作部材４０４ａの延長部４４２をその他の部位よりも細く（横幅を小さく）構成し、第２操作部材４０４ｂを操作した状態においても、上下方向において第２操作部材４０４ｂの操作部４７６が第１操作部材４０４ａの延長部４４２の間に位置するように構成することとしてもよい。この場合、第２操作部材４０４ｂを挟んで左右に隣り合う一対の第１操作部材４０４ａに関し、延長部４４２間の距離が操作部４５２間の距離よりも大きくなる。従って、第２操作部材４０４ｂを操作した状態においても操作部４７６が上下方向において延長部４４２間に位置するよう構成しておけば、押圧操作される第２操作部材４０４ｂの操作部４７６の周りにスペースを確保することができる。また、当該構成を採用する場合、操作部４７６の直上方や直下方にまで操作部４５２が張り出していても、第２操作部材４０４ｂの操作状態においても操作部４５２と操作部４７６とが上下に離間していれば、操作部４５２によって第２操作部材４０４ｂの操作が阻害されることはない。
【０３９０】
（ｍ）上記実施形態とは異なるタイプのパチンコ機として実施してもよい。また、パチンコ機以外にも、アレンジボール機、それに類する雀球等の各種遊技機、回胴式遊技機としてのスロットマシンや、スロットマシンとパチンコ機とを融合した形式の遊技機などとして実施してもよい。尚、スロットマシンに適用する場合、例えば、スタートレバー操作時、各停止ボタンの操作時、ベットボタン操作時、ボーナス時、メダル払い出し時、エラー発生（不正検知）時、扉開放時、リプレイ確率等がアップしたモード中等において、それぞれ主制御装置から外部端子板を介して外部機器に信号が出力される。
【０３９１】
［付記］
上記実施形態から把握できる技術的思想について、以下に記載する。
【０３９２】
手段１．外部機器からの配線が差し込まれる差込み部を複数備えた本体部と、
前記差込み部に対応させて設けられ、所定の電気信号を前記外部機器からの配線に伝導する端子部と、
前記本体部に対して変位可能に取付けられ、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が、前記各差込み部に対応して複数設けられた外部出力手段を備え、
前記操作手段は、前記保持状態にある前記保持手段を前記非保持状態へと状態変化させる際に操作される操作部を備え、
前記操作手段のうち第１操作手段の操作部と第２操作手段の操作部とは位置がずれていることを特徴とする遊技機。
【０３９３】
手段１によれば、第１操作手段の操作部の位置と、第２操作手段の操作部の位置とがずれている。このため、第１操作手段と第２操作手段とを近接配置しても、各操作手段の操作部の周りに一定のスペースを確保しやすく、各操作手段の操作部を比較的スムースに操作することができる。従って、各操作手段の操作部への操作性を向上させつつ、互いに隣接する操作手段同士、ひいては、差込み部同士を近接配置することができ、外部出力手段のコンパクト化を図ることができる。また、外部出力手段のコンパクト化を図るべく端子部の数を減らすといった必要もなく、端子部の数の減少に伴って防犯性の低下や遊技者に対するサービスの低下を招いてしまうといった事態を回避することができる。もちろん、外部出力手段が大型化することでその他の部材の設置スペースの狭小化を招いてしまうといった事態を抑止しつつ、端子部の数を増やすこともできる。
【０３９４】
尚、保持手段及び操作手段が一体的に形成されていることとしてもよいし、保持手段及び操作手段が別体として構成されるとともに、操作手段の操作に保持手段が連動することとしてもよい。また、前記保持手段を前記保持状態となる側に付勢する付勢手段を備えていることとしてもよい。この場合、非保持状態にある保持手段を保持状態とする際の作業性の向上を図ることができる上、保持手段を保持状態で維持するための構成（係止手段等）を別途用意する必要がなくなり、構成の簡素化を図ることができる。尚、外部出力手段と電気的に接続される外部機器としては、例えば、遊技ホールのホールコンピュータが挙げられる。
【０３９５】
手段２．外部機器からの配線が差し込まれる差込み部を複数備えた本体部と、
前記差込み部に対応させて設けられ、所定の電気信号を前記外部機器からの配線に伝導する端子部と、
前記本体部に対して変位可能に取付けられ、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が、前記各差込み部に対応して複数設けられた外部出力手段を備え、
前記操作手段は、前記保持状態にある前記保持手段を前記非保持状態へと状態変化させる際に操作される操作部を備え、
特定方向に並ぶようにして設けられた前記操作手段のうち第１操作手段の操作部と第２操作手段の操作部とは、前記特定方向に対して交差する方向において位置がずれていることを特徴とする遊技機。
【０３９６】
手段２によれば、基本的に手段１と同様の作用効果が奏される。尚、必ずしも特定方向において第１操作手段の両側方に第２操作手段が隣接していなくてもよく、少なくとも第１操作手段の一側方に第２操作手段が隣接するよう構成すれば、操作手段の操作部の周りにスペースを確保するといった作用効果が十分に奏される。もちろん、第１操作手段の両側方に第２操作手段を隣接させることで、かかる作用効果が一層確実に奏される。尚、「特定方向に並ぶようにして設けられた前記操作手段のうち、前記特定方向において第１操作手段の少なくとも一側部側に隣接する第２操作手段の操作部と、前記第１操作手段の操作部とは、前記特定方向に対して交差する方向において位置がずれていること」としてもよい。
【０３９７】
手段３．外部機器からの配線が差し込まれる差込み部を複数備えた本体部と、
前記差込み部に対応させて設けられ、所定の電気信号を前記外部機器からの配線に伝導する端子部と、
前記本体部に対して変位可能に取付けられ、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記端子部、前記保持手段、及び前記操作手段が、前記各差込み部に対応して複数設けられた外部出力手段を備え、
前記操作手段は、前記保持状態にある前記保持手段を前記非保持状態へと状態変化させる際に操作される操作部を備え、
前記操作手段のうち第１操作手段の操作部と第２操作手段の操作部とは、前記第１操作手段及び前記第２操作手段の操作方向（変位方向）において位置がずれていることを特徴とする遊技機。
【０３９８】
手段３によれば、第１操作手段及び第２操作手段の操作方向において、第１操作手段の操作部の位置と、第２操作手段の操作部の位置とがずれている。このため、操作手段同士を近接配置しても、各操作手段の操作部の周りに一定のスペースを確保しやすく、各操作手段の操作部を比較的スムースに操作することができる。従って、各操作手段の操作部への操作性を向上させつつ、互いに隣接する操作手段同士、ひいては、差込み部同士を近接配置することができ、外部出力手段のコンパクト化を図ることができる。また、外部出力手段のコンパクト化を図るべく端子部の数を減らすといった必要もなく、端子部の数の減少に伴って防犯性の低下や遊技者に対するサービスの低下を招いてしまうといった事態を回避することができる。もちろん、外部出力手段が大型化することでその他の部材の設置スペースの狭小化を招いてしまうといった事態を抑止しつつ、端子部の数を増やすこともできる。
【０３９９】
手段４．外部機器からの配線が差し込まれる差込み部を備えた本体部と、
前記差込み部に対応して設けられ、所定の制御手段からの電気信号を前記外部機器からの配線に伝導する端子部と、
前記本体部に対して変位可能に取付けられ、前記差込み部に差し込まれた配線を前記端子部に接触させた状態で保持可能な保持状態と、前記差込み部に対する配線の抜き差しを許容する非保持状態とに状態変化可能な保持手段と、
前記保持状態にある前記保持手段を前記非保持状態へと状態変化させることのできる操作手段とを具備し、
前記本体部は、特定方向に沿って並ぶ少なくとも３つ以上の前記差込み部を備えるとともに、前記端子部、前記保持手段、及び前記操作手段が、前記各差込み部に対応して複数設けられた外部出力手段を備え、
前記操作手段は、前記保持状態にある前記保持手段を前記非保持状態へと状態変化させる際に操作される操作部を備え、
前記特定方向において互いに隣接する前記操作手段のうち一方側である第１操作手段の操作部と、他方側である第２操作手段の操作部とは、前記第１操作手段及び前記第２操作手段の操作方向（変位方向）において位置がずれていることを特徴とする遊技機。
【０４００】
手段４によれば、基本的に上記手段３と同様の作用効果が奏される。
【０４０１】
尚、互いに隣接する操作手段とは、所定の差込み部に対応して設けられた操作手段と、特定方向において前記所定の差込み部に隣接する差込み部に対応して設けられた操作手段とを意味する。尚、「前記特定方向において互いに隣接する前記操作手段のうち一方側である第１操作手段、及び他方側である第２操作手段は、前記第１操作手段の操作部と前記第２操作手段の操作部とが、前記第１操作手段及び前記第２操作手段の操作方向において、所定距離（両操作部間に指を差し込めるだけの距離）を隔てるようにして設けられていること」としてもよい。この場合、第１操作手段の操作部及び第２操作手段の操作部の周りにそれぞれより多くのスペースを確保することができ、上記作用効果が一層確実に奏される。
【０４０２】
手段５．前記保持状態にある前記保持手段を前記非保持状態とする際の前記第１操作手段の操作方向及び前記第２操作手段の操作方向は同一方向を含み、
前記第１操作手段は、対応する前記保持手段を前記非保持状態とするべく当該第１操作手段の操作部を操作することで、当該操作部が前記第２操作手段の操作部から遠ざかる方向に変位するとともに、
前記第２操作手段は、対応する前記保持手段を前記非保持状態とするべく当該第２操作手段の操作部を操作することで、当該操作部が前記第１操作手段の操作部に近付く方向に変位する構成であって、
前記第２操作手段の操作部を操作した場合に、前記第２操作手段の操作部が、前記第２操作手段の変位方向において、非操作状態にある前記第１操作手段の操作部を通り越す前の段階で、前記第２操作手段に対応する前記保持手段が前記非保持状態とされ、対応する前記差込み部に前記外部機器からの配線を差し込み可能となることを特徴とする手段１乃至４のいずれかに記載の遊技機。
【０４０３】
手段５によれば、第１操作手段の操作部の操作方向と、第２操作手段の操作部の操作方向とが同じであるため、外部機器からの配線の端子部への接続作業性を向上させることができる。尚、ここで言う「操作方向が同じ」とは、必ずしも操作の軌道が全く同じことを意味しているのではなく、例えば、第１操作手段の操作方向が前方で、第２操作手段の操作方向が前上方といった具合に、少なくとも同一方向を含んでいればよい。つまり、第１操作手段及び第２操作手段の操作部に対してどちらも同じ方向に力を加えることで、どちらの操作手段も変位させることが可能であり、当該変位によって対応する保持手段を非保持状態とすることが可能である。
【０４０４】
また、例えば、第２操作手段に対応する保持手段を非保持状態とするために、操作手段の操作方向において、第２操作手段の操作部が隣接する第１操作手段の操作部を通り超すまで第２操作手段の操作部を押込む必要がある場合、第２操作手段の操作部を操作する作業者の指等が隣接する第１操作手段の操作部に引っ掛かってしまうおそれがある。この場合、隣接する第１操作手段の操作部が意図することなく操作されてしまい、当該第１操作手段に対応する保持手段が非保持状態となって、対応する差込み部から配線が抜けてしまうおそれがある。また、第２操作手段を操作して対応する保持手段が非保持状態となる前に、作業者の指が第１操作手段の操作部に接触することに起因して、同操作が阻害され、作業性の低下を招くことが懸念される。
【０４０５】
これに対し、本手段５によれば、第２操作手段の操作部を操作した場合に、第２操作手段の操作部が、第２操作手段の変位方向において、第１操作手段の操作部の手前側又は同じ位置で、第２操作手段に対応する保持手段が非保持状態とされ、差込み部において外部機器からの配線を差し込めるスペースが形成された状態となる。従って、隣接する第１操作手段を変位させることなく、第２操作手段に対応する端子部に外部機器からの配線を接続することができ、上記不具合を抑止することができる。
【０４０６】
手段６．前記第２操作手段の前記保持手段を前記非保持状態とする側への変位量を制限する制限手段が設けられ、
前記制限手段により前記第２操作手段の変位が制限された状態において、前記第２操作手段の操作部は、前記第２操作手段の操作方向において、前記第１操作手段の操作部の手前側又は同じ位置に位置するように構成されていることを特徴とする手段５に記載の遊技機。
【０４０７】
手段６によれば、作業者が第２操作手段の操作部を勢いよく操作しても、制限手段によって第２操作手段の操作部が隣接する第１操作手段の操作部を通り超していくといった事態が防止される。このため、第２操作手段の操作部を操作する際に、意図することなく隣接する第１操作手段の操作部が操作されてしまうといった事態をより確実に防止することができる。
【０４０８】
手段７．前記第２操作手段の前記保持手段を前記非保持状態とする側への変位量を制限する制限手段が設けられ、
前記制限手段により前記第２操作手段の変位が制限された状態において、前記第２操作手段の操作部は、前記第２操作手段の操作方向と直交する方向において、前記第１操作手段の操作部と一部重なる位置にあることを特徴とする手段５又は６に記載の遊技機。
【０４０９】
例えば、各操作手段の操作部の周りに比較的大きなスペースを確保するべく、第１操作手段の操作部と第２操作手段の操作部とを大きく離間させた場合、外部出力手段の大型化等を招くおそれがある。これに対し、本手段７によれば、かかる不具合を抑制することができる。
【０４１０】
手段８．前記第１操作手段及び前記第２操作手段は、いずれも操作部が操作されることで、前記外部出力手段が取付けられる取付部に対して前記操作部が近付くように変位する構成であって、
前記第１操作手段の操作部は、前記非操作状態にある前記第２操作手段の操作部よりも前記本体部の外周側に位置することを特徴とする手段５乃至７のいずれかに記載の遊技機。
【０４１１】
手段８によれば、第１操作手段の操作性の向上を図ることができる。
【０４１２】
手段９．少なくとも前記第１操作手段及び前記第２操作手段のうち一方は前記本体部に対して傾動可能に支持されており、
前記第１操作手段の操作部は、少なくとも前記第１操作手段の操作部を操作して対応する前記保持手段を前記非保持状態へと状態変化させた状態において、前記第２操作手段の操作部よりも前記本体部の外周側に位置し、
前記第２操作手段の操作部は、少なくとも前記第２操作手段の操作部を操作して対応する前記保持手段を前記非保持状態へと状態変化させた状態において、前記第１操作手段の操作部よりも前記本体部の外周側に位置することを特徴とする手段１乃至８のいずれかに記載の遊技機。
【０４１３】
手段９によれば、第１操作手段又は第２操作手段の操作部を操作して対応する保持手段を非保持状態とした際に、第１操作手段又は第２操作手段の操作部を操作している指が、隣接する第２操作手段又は第１操作手段の操作部に意図することなく引っ掛かってしまうといった事態を抑止することができる。従って、意図することなく第１操作手段の操作部が操作されてしまうといった事態を防止するとともに、操作手段の操作性の向上を図ることができる。特に、手段５に対応しては、第２操作手段の操作部を操作すると、第２操作手段の操作部と第１操作手段の操作部とが近接することとなるが、本手段によれば、本体部の内外周方向において、両操作部が本体部の内外周方向において位置がずれるため、第２操作手段の操作部の操作時に意図することなく第１操作手段の操作部を操作してしまうといった事態をより確実に防止することができる。
【０４１４】
尚、第１操作手段及び第２操作手段のうち少なくとも一方の操作手段が本体部に対して傾動可能に支持されることにより、簡単な構成を採用しつつ、本手段９の作用効果が奏される外部出力手段を得ることができる。また、上記手段８に対応しては、少なくとも前記第２操作手段は前記本体部に対して傾動可能に支持されていることとしてもよい。
【０４１５】
手段１０．前記操作部の操作面から突出する指掛け部が設けられていることを特徴とする手段１乃至９のいずれかに記載の遊技機。
【０４１６】
手段１０によれば、操作部を操作する際に指掛け部に指をかけて作業を行うことができ、操作部の操作性を飛躍的に向上させることができる。特に、上記手段９に記載のように操作手段が傾動する場合には、操作部の操作面から作業者の指等が滑って外れてしまうといった事態を抑止することができる。尚、指掛け部は、操作部の操作面に対し、操作部の変位方向に対して直交する方向に延びる突条部が形成されることで構成されていることとしてもよい。この場合、操作部から作業者の指が外れる（滑る）といった事態をより確実に防止することができる。
【０４１７】
手段１１．前記操作部の操作面には、凹部が設けられていることを特徴とする手段１乃至１０のいずれかに記載の遊技機。
【０４１８】
例えば、多数の遊技機の外部出力手段に外部機器からの配線を接続する作業を続けて行う場合、作業者が操作部を直接指で操作していくと、指に比較的大きな負担がかかってしまうことが懸念される。これ対し、手段１１によれば、操作部の操作面に凹部が設けられているため、凹部にドライバー等の工具の先端を差し込んで（押し当てて）操作部を操作することができる。このため、多数の遊技機の外部出力手段に外部機器からの配線を接続する作業を続けて行う場合であっても、作業者は指の疲弊を招くことなく作業を行うことができる。
【０４１９】
特に、上記手段８に記載のように、前記第１操作手段及び前記第２操作手段は、いずれも操作部が操作されることで、前記外部出力手段が取付けられる取付部に対して操作部が近付くように変位する構成であって、外部出力手段を遊技機後面側から見て、全ての凹部を目視可能に構成することができる上、操作部の操作を凹部に工具を当てて前方に押込むといった動作に統一することができるため、当該手段１１の作用効果が一層確実に奏される。
【０４２０】
手段１２．前記本体部は透視性を有する材料により構成されていることを特徴とする手段１乃至１１のいずれかに記載の遊技機。
【０４２１】
手段１２によれば、遊技機（主制御手段）から外部機器に出力される信号のうち、不正行為者が自身に都合の悪い信号が出力されないように、外部出力手段に細工を施す（端子部を取除く、端子部と外部機器からの配線との間に絶縁体を挟む、外部出力手段の裏側（遊技機への取付面側）に不正基板を介在させる等）といった不正行為を抑制及び早期発見することができる。
【０４２２】
手段１３．前記外部出力手段は、所定の制御手段に電気的に接続された中継基板と電気的に接続され、
前記中継基板は厚み方向に貫通する開口部を備えるとともに、前記外部出力手段は前記中継基板に対して前記開口部を覆うようにして固定された状態で遊技機に取付けられていることを特徴とする手段１２に記載の遊技機。
【０４２３】
手段１３によれば、例えば、中継基板の裏側に不正な基板を設置されたとしても、外部出力手段の透明な本体部及び中継基板の開口部を介して、不正な基板が設置されていることを発見することができる。
【０４２４】
手段１４．前記外部出力手段の前記各端子部は、所定の制御手段から外部機器側への信号の出力のみを許容する信号規制手段と電気的に接続されていることを特徴とする手段１乃至１３のいずれかに記載の遊技機。
【０４２５】
手段１４によれば、外部出力手段を介して、外部からの不正な信号が所定の制御手段（例えば主制御手段等）に入力されてしまうといった事態を防止することができる。尚、所定の制御手段と電気的に接続された入力側と、外部機器と電気的に接続された出力側とが電気的に絶縁された信号規制手段としてのリレーを備えた中継基板を備え、前記外部出力手段は前記リレーの出力側と電気的に接続されていることとしてもよい。この場合、当該手段１４の作用効果が一層確実に奏される。尚、信号規制手段としては、例えば、フォトカプラ、フォトインタラプタ等が挙げられる。
【０４２６】
以下に、上記各手段が適用される各種遊技機の基本構成を示す。
【０４２７】
Ａ．上記各手段における前記遊技機は弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内される遊技領域と、前記遊技領域内に配置された各入球手段（一般入賞口、可変入賞装置、作動口等）とを備えた弾球遊技機」が挙げられる。
【０４２８】
Ｂ．上記各手段における前記遊技機は略鉛直方向に延びる遊技領域を備えた弾球遊技機であること。より詳しい態様例としては、「遊技者が操作する操作手段（遊技球発射ハンドル）と、当該操作手段の操作に基づいて遊技球を弾いて発射する発射手段（発射モータ等）と、当該発射された遊技球が案内され、略鉛直方向に沿って延びる所定の遊技領域（例えば遊技領域は遊技盤面等により構成される）と、前記遊技領域内に配置された各入球手段（一般入賞口、可変入賞装置、作動口等）とを備え、前記遊技領域を流下する遊技球の挙動を視認可能に構成されてなる弾球遊技機」が挙げられる。
【０４２９】
Ｃ．上記各手段における前記遊技機、又は、上記各弾球遊技機は、パチンコ機又はパチンコ機に準ずる遊技機であること。
【０４３０】
Ｄ．上記各手段における遊技機は、スロットマシン等の回胴式遊技機であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的には停止ボタン）の操作に起因して識別情報（図柄）の変動が停止され、その停止時に有効ライン上に揃った識別情報が特定の識別情報であることを条件に遊技価値が付与されるよう構成した回胴式遊技機」が挙げられる。
【０４３１】
Ｅ．上記各手段における遊技機は、スロットマシンとパチンコ機とを融合した形式の遊技機（特に遊技球を遊技媒体として使用するスロットマシン仕様の遊技機）であること。より詳しい態様例としては、「複数の識別情報（図柄）からなる識別情報列（図柄列；具体的には図柄の付されたリール、ベルト等の回転体）を変動表示（具体的にはリール等の回転）した後に識別情報列を停止表示する可変表示手段（具体的にはリールユニット等の回転体ユニット）を備え、始動用操作手段（具体的にはスタートレバー）の操作に起因して識別情報（図柄）の変動が開始され、停止用操作手段（具体的には停止ボタン）の操作に起因して識別情報（図柄）の変動が停止され、その停止時に有効ライン上に揃った識別情報が特定の識別情報であることを条件に遊技価値が付与されるよう構成し、さらに球受皿（上皿等）を設けてその球受皿から遊技球を取り込む取込手段と、前記球受皿に遊技球の払出しを行う払出手段とを備え、前記取込手段により遊技球が取り込まれることにより遊技の開始条件が成立するように構成した遊技機」が挙げられる。
【符号の説明】
【０４３２】
１０…パチンコ機、１２…内枠、１４…前面枠セット、３３…始動入賞ユニット、３３ａ…上入賞口、３３ｂ…下入賞口、４３Ｌ，４３Ｒ…特別表示装置、２０３…裏パックユニット、２２４ａ，２２４ｂ…始動入賞スイッチ、２６１…主制御装置、２６２…サブ制御装置、４０１…本体部、４０２…差込み部、４０３…端子部材、４０４…操作部材、４０４ａ…第１操作部材、４０４ｂ…第２操作部材、４０５…コイルばね、４１１…底壁部、４１２…隔壁部、４１３…柱部、４１４…天壁部、４２７…軸受部、４３８…規制壁部、４４３，４６３…保持突起、４４４，４６４…軸部、４５２，４７６…操作部、４５３…指掛け部、４５４…操作凹部、４９１…中継基板、４９４…開口部、４９７…フォトカプラ。
【図１】
2010284365.tif 000003
【図２】
2010284365.tif 000004
【図３】
2010284365.tif 000005
【図４】
2010284365.tif 000006
【図５】
2010284365.tif 000007
【図６】
2010284365.tif 000008
【図７】
2010284365.tif 000009
【図８】
2010284365.tif 000010
【図９】
2010284365.tif 000011
【図１０】
2010284365.tif 000012
【図１１】
2010284365.tif 000013
【図１２】
2010284365.tif 000014
【図１３】
2010284365.tif 000015
【図１４】
2010284365.tif 000016
【図１５】
2010284365.tif 000017
【図１６】
2010284365.tif 000018
【図１７】
2010284365.tif 000019
【図１８】
2010284365.tif 000020
【図１９】
2010284365.tif 000021
【図２０】
2010284365.tif 000022
【図２１】
2010284365.tif 000023
【図２２】
2010284365.tif 000024
【図２３】
2010284365.tif 000025
【図２４】
2010284365.tif 000026
【図２５】
2010284365.tif 000027
【図２６】
2010284365.tif 000028
【図２７】
2010284365.tif 000029
【図２８】
2010284365.tif 000030
【図２９】
2010284365.tif 000031
【図３０】
2010284365.tif 000032
【図３１】
2010284365.tif 000033
【図３２】
2010284365.tif 000034
【図３３】
2010284365.tif 000035
【図３４】
2010284365.tif 000036
【図３５】
2010284365.tif 000037
【図３６】
2010284365.tif 000038
【図３７】
2010284365.tif 000039